(57)【要約】  ワイヤレス通信のための方法、システム、およびデバイスについて説明される。ユーザ機器（ＵＥ）が、セルと同期するための第１の同期信号を受信してよく、第１の同期信号は、セルにサービスする基地局によって第１の周期性において送信される。ＵＥは、同期することの後に、次いで、セルと再同期するための第２の同期信号を受信し得る。いくつかの場合には、第２の同期信号は、第１の周期性とは異なる第２の周期性に従って基地局によって送信され得る。いくつかの場合には、第２の同期信号は、セルのセル識別子に少なくとも部分的に基づく第１のシーケンスの複数の繰り返しを含み得る。ＵＥは、再同期することに少なくとも部分的に基づいてセルを介して基地局と通信し得る。
2021511760.tif 000002
【特許請求の範囲】
【請求項１】
ワイヤレス通信のための方法であって、
セルと同期するための第１の同期信号を受信することと、前記第１の同期信号が、第１の周期性に従って前記セルにサービスする基地局によって送信される、
前記同期することの後に、前記セルと再同期するための第２の同期信号を受信することと、前記第２の同期信号が、第２の周期性に従って前記基地局によって送信され、ここにおいて、前記第２の同期信号が、前記セルのセル識別子に少なくとも部分的に基づく第１のシーケンスの複数の繰り返しを備える、
前記再同期することに少なくとも部分的に基づいて前記セルを介して前記基地局と通信することと
を備える、方法。
【請求項２】
前記第２の同期信号が、第２のシーケンスの複数の繰り返しを備え、前記第１のシーケンスの前記複数の繰り返しと、前記第２のシーケンスの前記複数の繰り返しとが、バイナリシーケンスに従って送信される、請求項１に記載の方法。
【請求項３】
前記第１のシーケンスと、前記第２のシーケンスとが、互いに相互相関の低い絶対値を有する、請求項２に記載の方法。
【請求項４】
前記第２のシーケンスが、前記第１のシーケンスの複素共役に対応する、請求項２に記載の方法。
【請求項５】
前記第２のシーケンスが、前記第１のシーケンスの位相回転バージョンに対応する、請求項２に記載の方法。
【請求項６】
前記バイナリシーケンスが、前記第１のシーケンスの長さ、または前記第２の同期信号の長さ、または前記セル識別子、またはそれらの組合せに少なくとも部分的に基づく、請求項２に記載の方法。
【請求項７】
前記バイナリシーケンスのシーケンスタイプが、前記第１のシーケンスの長さまたは前記第２の同期信号の長さに少なくとも部分的に基づき、前記シーケンスタイプが、ゴールドシーケンス、ｍシーケンス、または自己相関関数において最小サイドローブ振幅をもつコンピュータ生成シーケンスに対応する、請求項２に記載の方法。
【請求項８】
前記バイナリシーケンスが、｛１，０，１，１｝によって与えられる４ビットバイナリシーケンス、｛１，０，０，１，０，１，１，１｝によって与えられる８ビットバイナリシーケンス、｛０，０，１，１，０，１，０，０，０，１，１，０，０，１，０，１｝によって与えられる１６ビットバイナリシーケンス、｛１，１，０，０，１，０，０，１，０，１，１，１，０，０，０，１，１，１，０，１，０，１，０，０，１，０，０，０，１，１，０，１｝によって与えられる３２ビットバイナリシーケンス、または｛０，１，１，０，１，１，０，０，０，１，０，１，０，０，１，１，１，０，１，１，１，０，０，０，０，１，１，１，０，１，０，０，１，１，０，１，０，１，１，０｝によって与えられる４０ビットバイナリシーケンスを備える、請求項２に記載の方法。
【請求項９】
前記第１のシーケンスが、第１のサブシーケンスと、第２のサブシーケンスとを備える、請求項１に記載の方法。
【請求項１０】
前記第２のサブシーケンスが、前記第１のサブシーケンスの複素共役に対応する、請求項９に記載の方法。
【請求項１１】
前記セルと前記再同期するための第３の同期信号を受信すること、前記第３の同期信号が、前記第２の同期信号の後に前記セルを介して前記基地局によって送信され、前記第１のシーケンスのシーケンス長よりも長いシーケンス長を有する、
をさらに備える、請求項１に記載の方法。
【請求項１２】
前記第３の同期信号の前記シーケンス長が、前記第２の同期信号のシーケンス長よりも短い、請求項１１に記載の方法。
【請求項１３】
前記第１の同期信号が、複数の物理リソースブロック（ＰＲＢ）にわたり、前記第２の同期信号が、前記複数のＰＲＢにわたる、請求項１に記載の方法。
【請求項１４】
前記第２の同期信号が、狭帯域プロトコルタイプの帯域幅に対応する複数の物理リソースブロック（ＰＲＢ）のサブセットにわたる、請求項１に記載の方法。
【請求項１５】
前記第２の同期信号に関連する送信電力が、前記複数のＰＲＢの前記サブセット中のＰＲＢの第２の数に対する前記複数のＰＲＢ中のＰＲＢの第１の数の比だけ、前記第１の同期信号に関連する送信電力に対して増加される、請求項１４に記載の方法。
【請求項１６】
前記複数のＰＲＢの前記サブセットが、ＰＲＢの連続セットに対応する、請求項１４に記載の方法。
【請求項１７】
前記複数のＰＲＢの前記サブセットが、ＰＲＢの不連続セットに対応する、請求項１４に記載の方法。
【請求項１８】
前記第１の同期信号から前記基地局の前記セル識別子を決定することと、
前記セル識別子に少なくとも部分的に基づいて決定される前記第１のシーケンスの表現を使用して前記再同期することのために前記第２の同期信号を相関させることと
をさらに備える、請求項１に記載の方法。
【請求項１９】
前記セルに関連するシステム情報を受信すること、前記システム情報が、前記第２の同期信号の存在、前記第２の同期信号のタイミング情報、前記第２の同期信号の長さ、前記第２の同期信号の周波数オフセットおよび／または周波数ロケーション、前記第２の同期信号の送信電力、前記第２の同期信号の帯域幅、前記第２の同期信号のホッピングパターン、前記第２の周期性の乗法的ファクタ、あるいはオーバーヘッド割合のうちの少なくとも１つを示す、
をさらに備える、請求項１に記載の方法。
【請求項２０】
前記システム情報中で受信された前記第２の同期信号の前記長さと前記第２の周期性との間の関連付けに少なくとも部分的に基づいて前記第２の周期性を決定すること
をさらに備える、請求項１９に記載の方法。
【請求項２１】
前記システム情報中で受信された前記第２の同期信号の前記長さと前記第２の周期性との間の前記関連付けが、前記乗法的ファクタに少なくとも部分的に基づいて決定される、請求項２０に記載の方法。
【請求項２２】
前記システム情報中で受信された前記第２の周期性と前記第２の同期信号の前記長さとの間の関連付けに少なくとも部分的に基づいて前記第２の同期信号の前記長さを決定すること
をさらに備える、請求項１９に記載の方法。
【請求項２３】
前記システム情報中で受信された前記第２の周期性と前記第２の同期信号の前記長さとの間の前記関連付けが、前記オーバーヘッド割合に少なくとも部分的に基づいて決定される、請求項２２に記載の方法。
【請求項２４】
前記第２の同期信号のための複数のスケジュールされたサブフレームのうちの少なくとも１つが、前記第２の同期信号の送信のために制限されたサブフレームと一致し、前記第２の同期信号を前記受信することが、
前記第２の同期信号を前記受信することのために、前記複数のスケジュールされたサブフレームを修正すること
を備える、請求項１に記載の方法。
【請求項２５】
前記制限されたサブフレームは、マルチキャストサブフレーム、マシンタイプ通信（ＭＴＣ）無効サブフレーム、時分割複信（ＴＤＤ）アップリンクサブフレーム、またはＴＤＤスペシャルサブフレームのうちの１つを備える、請求項２４に記載の方法。
【請求項２６】
前記複数のスケジュールされたサブフレームを前記修正することが、前記複数のスケジュールされたサブフレームのうちの前記少なくとも１つを、前記制限されたサブフレームの後の次のサブフレームに延期することと、前記制限されたサブフレームのために、前記複数のスケジュールされたサブフレームのうちの前記少なくとも１つの受信を抑制することと、前記制限されたサブフレーム中で、前記複数のスケジュールされたサブフレームのうちの前記少なくとも１つの一部分を受信することとからなるグループから修正行為を選択することを備える、請求項２４に記載の方法。
【請求項２７】
前記修正行為を前記選択することが、ＴＤＤスペシャルサブフレーム構成に少なくとも部分的に基づく、請求項２６に記載の方法。
【請求項２８】
前記第２の同期信号が、基準信号、前記第１の同期信号、またはブロードキャストチャネルのうちの少なくとも１つによってパンクチャされる、請求項１に記載の方法。
【請求項２９】
前記基地局からネイバーセルのための再同期信号構成を受信すること、前記再同期信号構成が、前記ネイバーセルのための再同期信号の存在、前記再同期信号の周期性、前記再同期信号の長さ、前記再同期信号のタイミングオフセット、前記再同期信号の周波数オフセット、前記再同期信号の送信電力、前記再同期信号の帯域幅、または前記再同期信号のホッピングパターンのうちの少なくとも１つを備える、
をさらに備える、請求項１に記載の方法。
【請求項３０】
前記再同期信号構成が、前記基地局からシステム情報中でまたは専用シグナリング中で受信される、請求項２９に記載の方法。
【請求項３１】
前記同期することの後に、前記基地局との接続モードから遷移すること
をさらに備える、請求項１に記載の方法。
【請求項３２】
前記第１のシーケンスが、擬似雑音シーケンス（pseudo-noise sequence）、Ｚａｄｏｆｆ−Ｃｈｕシーケンス、またはバイナリシーケンスとのサブシーケンスのクロネッカー積の結果に対応する、請求項１に記載の方法。
【請求項３３】
前記サブシーケンスが、擬似雑音シーケンスまたはＺａｄｏｆｆ−Ｃｈｕシーケンスに対応し、前記バイナリシーケンスが、最大長シーケンス、バーカーコード、またはゴールドシーケンスに対応する、請求項３１に記載の方法。
【請求項３４】
前記第２の同期信号から決定される位相またはタイミング情報に少なくとも部分的に基づいて、前記セルと前記再同期するための前記第１の同期信号の第２のインスタンスを受信すること
をさらに備える、請求項１に記載の方法。
【請求項３５】
前記第１のシーケンスの長さが、前記第２の同期信号の長さに少なくとも部分的に基づき、前記第２の同期信号の前記長さが、前記第１のシーケンスの前記長さの倍数である、請求項１に記載の方法。
【請求項３６】
前記第１のシーケンスの前記長さと前記第２の同期信号の前記長さとの間の関連付けが、ルックアップテーブルから識別される、請求項３５に記載の方法。
【請求項３７】
ワイヤレス通信のための方法であって、
セルにサービスする基地局によって、前記セルのための第１の同期信号を送信することと、前記第１の同期信号が、第１の周期性に従って送信される、
前記セルのための第２の同期信号を送信することと、前記第２の同期信号が、第２の周期性に従って送信され、ここにおいて、前記第２の同期信号が、前記セルのセル識別子に少なくとも部分的に基づく第１のシーケンスの複数の繰り返しを備える、
前記第１の同期信号または前記第２の同期信号の前記送信に少なくとも部分的に基づいて前記セルを介して少なくとも１つのユーザ機器（ＵＥ）と通信することと
を備える、方法。
【請求項３８】
第１のアンテナポートを介して前記第１のサブシーケンスを、および第２のアンテナポートを介して前記第２のサブシーケンスを送信すること
をさらに備える、請求項３７に記載の方法。
【請求項３９】
前記第２の同期信号が、第２のシーケンスの複数の繰り返しを備え、前記第１のシーケンスの前記複数の繰り返しと、前記第２のシーケンスの前記複数の繰り返しとが、バイナリシーケンスに従って送信される、請求項３８に記載の方法。
【請求項４０】
前記第１のシーケンスと、前記第２のシーケンスとが、互いに相互相関の低い絶対値を有する、請求項３８に記載の方法。
【請求項４１】
前記第２のシーケンスが、前記第１のシーケンスの複素共役に対応する、請求項３８に記載の方法。
【請求項４２】
前記バイナリシーケンスが、前記第１のシーケンスの長さ、または前記第２の同期信号の長さ、または前記セル識別子、またはそれらの組合せに少なくとも部分的に基づく、請求項３８に記載の方法。
【請求項４３】
前記バイナリシーケンスのシーケンスタイプが、前記第１のシーケンスの長さまたは前記第２の同期信号の長さに少なくとも部分的に基づき、前記シーケンスタイプが、ゴールドシーケンス、ｍシーケンス、または自己相関関数において最小サイドローブ振幅をもつコンピュータ生成シーケンスに対応する、請求項３８に記載の方法。
【請求項４４】
第１のアンテナポートを介して前記第１のシーケンスを、および第２のアンテナポートを介して前記第２のシーケンスを送信すること
をさらに備える、請求項３８に記載の方法。
【請求項４５】
前記第１のシーケンスが、第１のサブシーケンスと、第２のサブシーケンスとを備える、請求項３７に記載の方法。
【請求項４６】
前記第２のサブシーケンスが、前記第１のサブシーケンスの複素共役に対応する、請求項４５に記載の方法。
【請求項４７】
前記第２の同期信号の後に前記セルのための第３の同期信号を送信すること、前記第３の同期信号が、前記第１のシーケンスのシーケンス長よりも長いシーケンス長を有する、
をさらに備える、請求項３７に記載の方法。
【請求項４８】
前記第３の同期信号の前記シーケンス長が、前記第２の同期信号のシーケンス長よりも短い、請求項４７に記載の方法。
【請求項４９】
前記第１の同期信号が、複数の物理リソースブロック（ＰＲＢ）にわたり、前記第２の同期信号が、前記複数のＰＲＢにわたる、請求項３７に記載の方法。
【請求項５０】
前記第１の同期信号が、複数の物理リソースブロック（ＰＲＢ）にわたり、前記第２の同期信号が、前記複数のＰＲＢのサブセットにわたる、請求項３７に記載の方法。
【請求項５１】
前記第２の同期信号に関連する送信電力が、前記複数のＰＲＢの前記サブセット中のＰＲＢの第２の数に対する前記複数のＰＲＢ中のＰＲＢの第１の数の比だけ、前記第１の同期信号に関連する送信電力に対して増加される、請求項５０に記載の方法。
【請求項５２】
前記複数のＰＲＢの前記サブセットが、ＰＲＢの連続セットに対応する、請求項５０に記載の方法。
【請求項５３】
前記複数のＰＲＢの前記サブセットが、ＰＲＢの不連続セットに対応する、請求項５０に記載の方法。
【請求項５４】
前記セルに関連するシステム情報を送信すること、前記システム情報が、前記第２の同期信号の存在、前記第２の同期信号のタイミング情報、前記第２の同期信号の長さ、前記第２の同期信号の周波数オフセットおよび／または周波数ロケーション、前記第２の同期信号の送信電力、前記第２の同期信号の帯域幅、前記第２の同期信号のホッピングパターン、前記第２の周期性の乗法的ファクタ、あるいはオーバーヘッド割合のうちの少なくとも１つを示す、
をさらに備える、請求項３７に記載の方法。
【請求項５５】
前記システム情報中に示される前記第２の同期信号の前記長さと前記第２の周期性との間の関連付けに少なくとも部分的に基づいて前記第２の周期性を決定すること、ここにおいて、前記システム情報中で受信された前記第２の同期信号の前記長さと前記第２の周期性との間の前記関連付けが、前記乗法的ファクタに少なくとも部分的に基づいて決定される、
をさらに備える、請求項５４に記載の方法。
【請求項５６】
前記システム情報中に示される前記第２の周期性と前記第２の同期信号の前記長さとの間の関連付けに少なくとも部分的に基づいて前記第２の同期信号の前記長さを決定すること、ここにおいて、前記システム情報中で受信された前記第２の周期性と前記第２の同期信号の前記長さとの間の前記関連付けが、前記オーバーヘッド割合に少なくとも部分的に基づいて決定される、
をさらに備える、請求項５５に記載の方法。
【請求項５７】
前記第２の同期信号のための複数のスケジュールされたサブフレームのうちの少なくとも１つが、前記第２の同期信号ののために制限されたサブフレームと一致し、前記第２の同期信号を前記送信することが、
前記第２の同期信号を前記送信することのために、前記複数のスケジュールされたサブフレームを修正すること
を備える、請求項３７に記載の方法。
【請求項５８】
前記制限されたサブフレームは、マルチキャストサブフレーム、マシンタイプ通信（ＭＴＣ）無効サブフレーム、時分割複信（ＴＤＤ）アップリンクサブフレーム、またはＴＤＤスペシャルサブフレームのうちの１つを備える、請求項５７に記載の方法。
【請求項５９】
前記複数のスケジュールされたサブフレームを前記修正することが、前記複数のスケジュールされたサブフレームのうちの前記少なくとも１つを、前記制限されたサブフレームの後の次のサブフレームに延期することと、前記制限されたサブフレームのために、前記複数のスケジュールされたサブフレームのうちの前記少なくとも１つの送信を抑制することと、前記制限されたサブフレーム中で、前記複数のスケジュールされたサブフレームのうちの前記少なくとも１つの一部分を送信することとからなるグループから修正行為を選択することを備える、請求項５７に記載の方法。
【請求項６０】
前記修正行為を前記選択することが、ＴＤＤスペシャルサブフレーム構成に少なくとも部分的に基づく、請求項５９に記載の方法。
【請求項６１】
基準信号、前記第１の同期信号、またはブロードキャストチャネルのうちの少なくとも１つを用いて前記第２の同期信号をパンクチャすること
をさらに備える、請求項３７に記載の方法。
【請求項６２】
前記少なくとも１つのＵＥに、ネイバーセルのための再同期信号構成を送信すること、前記再同期信号構成が、前記ネイバーセルのための再同期信号の存在、前記再同期信号の周期性、前記再同期信号の長さ、前記再同期信号のタイミングオフセット、前記再同期信号の周波数オフセット、前記再同期信号の送信電力、前記再同期信号の帯域幅、または前記再同期信号のホッピングパターンのうちの少なくとも１つを備える、
をさらに備える、請求項３７に記載の方法。
【請求項６３】
前記再同期信号構成が、前記基地局から前記少なくとも１つのＵＥにシステム情報中でまたは専用シグナリング中で送信される、請求項６２に記載の方法。
【請求項６４】
前記第１のシーケンスが、擬似雑音シーケンス、Ｚａｄｏｆｆ−Ｃｈｕシーケンス、またはバイナリシーケンスとのサブシーケンスのクロネッカー積の結果に対応する、請求項３７に記載の方法。
【請求項６５】
前記サブシーケンスが、擬似雑音シーケンスまたはＺａｄｏｆｆ−Ｃｈｕシーケンスに対応し、前記バイナリシーケンスが、最大長シーケンス、バーカーコード、またはゴールドシーケンスに対応する、請求項６４に記載の方法。
【請求項６６】
前記第１のシーケンスの長さを識別することが、前記第２の同期信号の長さに少なくとも部分的に基づき、前記第２の同期信号の前記長さが、前記第１のシーケンスの前記長さの倍数である、請求項３７に記載の方法。
【請求項６７】
前記第１のシーケンスの前記長さと前記第２の同期信号の前記長さとの間の関連付けが、ルックアップテーブルから識別される、請求項６６に記載の方法。
【請求項６８】
ワイヤレス通信のための装置であって、
プロセッサと、
前記プロセッサと電子通信しているメモリと、
前記メモリに記憶された命令とを備え、前記命令は、
セルと同期するための第１の同期信号を受信することと、前記第１の同期信号が、第１の周期性に従って前記セルにサービスする基地局によって送信される、
前記同期することの後に、前記セルと再同期するための第２の同期信号を受信することと、前記第２の同期信号が、第２の周期性に従って前記基地局によって送信され、ここにおいて、前記第２の同期信号が、前記セルのセル識別子に少なくとも部分的に基づく第１のシーケンスの複数の繰り返しを備える、
前記再同期することに少なくとも部分的に基づいて前記セルを介して前記基地局と通信することと
を前記装置に行わせるように前記プロセッサによって実行可能である、装置。
【請求項６９】
前記第２の同期信号が、第２のシーケンスの複数の繰り返しを備え、前記第１のシーケンスの前記複数の繰り返しと、前記第２のシーケンスの前記複数の繰り返しとが、バイナリシーケンスに従って送信される、請求項６８に記載の装置。
【請求項７０】
前記第１のシーケンスと、前記第２のシーケンスとが、互いに相互相関の低い絶対値を有する、請求項６９に記載の装置。
【請求項７１】
ワイヤレス通信のための装置であって、
プロセッサと、
前記プロセッサと電子通信しているメモリと、
前記メモリに記憶された命令とを備え、前記命令は、
セルにサービスする基地局によって、前記セルのための第１の同期信号を送信することと、前記第１の同期信号が、第１の周期性に従って送信される、
前記セルのための第２の同期信号を送信することと、前記第２の同期信号が、第２の周期性に従って送信され、ここにおいて、前記第２の同期信号が、前記セルのセル識別子に少なくとも部分的に基づく第１のシーケンスの複数の繰り返しを備える、
前記第１の同期信号または前記第２の同期信号の前記送信に少なくとも部分的に基づいて前記セルを介して少なくとも１つのユーザ機器（ＵＥ）と通信することと
を前記装置に行わせるように前記プロセッサによって実行可能である、装置。
【請求項７２】
ユーザ機器（ＵＥ）におけるワイヤレス通信のための方法であって、
時間周波数リソースブロックのリソース要素の第１のサブセットにマッピングされた信号と、前記時間周波数リソースブロックの前記リソース要素の第２のサブセットにマッピングされた基準信号のセットとを受信すること、ここにおいて、リソース要素の前記第１のサブセットが、前記時間周波数リソースブロックの第１のシンボル期間のリソース要素のサブセットと、前記時間周波数リソースブロックの第２のシンボル期間の各リソース要素とを備える、
基準信号の前記セットのアンテナポートの数に少なくとも部分的に基づいてリソース要素の前記第１のサブセットの各々と基準信号の前記セットとの間の電力比を識別することと、
前記電力比に少なくとも部分的に基づいて前記信号を復調することと
を備える、方法。
【請求項７３】
前記電力比を前記識別することが、
前記第１のシンボル期間のための基準信号の前記セットとデータチャネルのリソース要素との間の第１の電力比と、前記第２のシンボル期間のための基準信号の前記セットと前記データチャネルのリソース要素との間の第２の電力比との関数を評価すること
を備える、請求項７２に記載の方法。
【請求項７４】
前記関数が、前記第１の電力比によって前記第２の電力比を正規化することを備える、請求項７３に記載の方法。
【請求項７５】
前記関数が、前記第１の電力比と前記第２の電力比との最小値を備える、請求項７３に記載の方法。
【請求項７６】
前記関数が、前記第１の電力比と前記第２の電力比との最大値を備える、請求項７３に記載の方法。
【請求項７７】
前記関数が、第１のスケーリングファクタとの前記第１の電力比の積と、第２のスケーリングファクタとの前記第２の電力比の積との和を備える、請求項７３に記載の方法。
【請求項７８】
基準信号の前記セットとデータチャネルのリソース要素との間の第１の電力比が、前記第１のシンボル期間のために構成され、基準信号の前記セットと前記データチャネルのリソース要素との間の第２の電力比が、前記第２のシンボル期間のために構成される、請求項７２に記載の方法。
【請求項７９】
システム情報パラメータの値の第１のサブセットについて、前記電力比が前記第１の電力比に対応し、前記システム情報パラメータの値の第２のサブセットについて、前記電力比が前記第２の電力比に対応する、請求項７８に記載の方法。
【請求項８０】
前記電力比が、前記アンテナポートの数、および前記第１の電力比と前記第２の電力比との比によってインデックス付けされたテーブルに基づいて識別される、請求項７８に記載の方法。
【請求項８１】
前記電力比を前記識別することが、前記第１のシンボル期間のための基準信号の前記セットとデータチャネルのリソース要素との間の第１の電力比、および前記第２のシンボル期間のための基準信号の前記セットと前記データチャネルのリソース要素との間の第２の電力比に独立している、請求項７２に記載の方法。
【請求項８２】
前記電力比が、いくつかの前記アンテナポートの各々についてのポート毎電力比に少なくとも部分的に基づく、請求項７２に記載の方法。
【請求項８３】
前記電力比に少なくとも部分的に基づいて前記信号を使用してチャネル推定またはチャネル測定を実施すること
をさらに備える、請求項７２に記載の方法。
【請求項８４】
前記信号に関連する電力ブーストパラメータを受信すること、前記電力ブーストパラメータが、前記信号の送信電力の構成可能な増加を示す、
をさらに備え、ここにおいて、前記電力比を前記識別することが、前記電力ブーストパラメータに少なくとも部分的に基づく、
請求項７２に記載の方法。
【請求項８５】
前記数のアンテナポートの各々が、前記信号の送信機における単一の無線周波数（ＲＦ）チェーンに関連付けられる、請求項７２に記載の方法。
【請求項８６】
前記信号が、セルのセル識別子に少なくとも部分的に基づく第１のシーケンスの複数の繰り返しを備える再同期信号を備える、請求項７２に記載の方法。
【請求項８７】
前記信号が、前記ＵＥのための関連するページングオケージョンより前に送信されるウェークアップ信号を備える、請求項７２に記載の方法。
【請求項８８】
基地局におけるワイヤレス通信のための方法であって、
信号を時間周波数リソースブロックのリソース要素の第１のサブセットに、および基準信号のセットを前記時間周波数リソースブロックの前記リソース要素の第２のサブセットにマッピングすることと、ここにおいて、リソース要素の前記第１のサブセットが、前記時間周波数リソースブロックの第１のシンボル期間のリソース要素のサブセットと、前記時間周波数リソースブロックの第２のシンボル期間の各リソース要素とを備える、
基準信号の前記セットのアンテナポートの数に少なくとも部分的に基づいてリソース要素の前記第１のサブセットの各々と基準信号の前記セットとの間の電力比を識別することと、
前記電力比に少なくとも部分的に基づいて前記信号と基準信号の前記セットとを送信することと
を備える、方法。
【請求項８９】
前記電力比を前記識別することが、
前記第１のシンボル期間のための基準信号の前記セットとデータチャネルのリソース要素との間の第１の電力比と、前記第２のシンボル期間のための基準信号の前記セットと前記データチャネルのリソース要素との間の第２の電力比との関数を評価すること
を備える、請求項８８に記載の方法。
【請求項９０】
前記関数が、前記第１の電力比によって前記第２の電力比を正規化することを備える、請求項８９に記載の方法。
【請求項９１】
前記関数が、前記第１の電力比と前記第２の電力比との最小値を備える、請求項８９に記載の方法。
【請求項９２】
前記関数が、前記第１の電力比と前記第２の電力比との最大値を備える、請求項８９に記載の方法。
【請求項９３】
前記関数が、第１のスケーリングファクタとの前記第１の電力比の積と、第２のスケーリングファクタとの前記第２の電力比の積との和を備える、請求項８９に記載の方法。
【請求項９４】
基準信号の前記セットとデータチャネルのリソース要素との間の第１の電力比が、前記第１のシンボル期間のために構成され、基準信号の前記セットと前記データチャネルのリソース要素との間の第２の電力比が、前記第２のシンボル期間のために構成される、請求項８８に記載の方法。
【請求項９５】
システム情報パラメータの値の第１のサブセットについて、前記電力比が前記第１の電力比に対応し、前記システム情報パラメータの値の第２のサブセットについて、前記電力比が前記第２の電力比に対応する、請求項９４に記載の方法。
【請求項９６】
前記電力比が、前記アンテナポートの数、および前記第１の電力比と前記第２の電力比との比によってインデックス付けされたテーブルに基づいて識別される、請求項９４に記載の方法。
【請求項９７】
前記電力比を前記識別することが、前記第１のシンボル期間のための基準信号の前記セットとデータチャネルのリソース要素との間の第１の電力比、および前記第２のシンボル期間のための基準信号の前記セットと前記データチャネルのリソース要素との間の第２の電力比に独立している、請求項８８に記載の方法。
【請求項９８】
前記電力比が、前記数のアンテナポートの各々についてのポート毎電力比に少なくとも部分的に基づく、請求項８８に記載の方法。
【請求項９９】
前記信号に関連する電力ブーストパラメータを構成すること、前記電力ブーストパラメータが、前記信号の送信電力の構成可能な増加を示す、
をさらに備え、ここにおいて、前記電力比を前記識別することが、前記電力ブーストパラメータに少なくとも部分的に基づく、
請求項８８に記載の方法。
【請求項１００】
前記電力ブーストパラメータは、いくつかのブランキングされた時間周波数リソースブロックに少なくとも部分的に基づく、請求項９９に記載の方法。
【請求項１０１】
基準信号の前記セットのうちの第１の基準信号が、前記時間周波数リソースブロックの第１のリソース要素にマッピングされ、基準信号の前記セットのうちの第２の基準信号が、前記時間周波数リソースブロックの第２のリソース要素にマッピングされ、
前記送信することが、第１のアンテナポートを介して、前記第１のリソース要素を介して前記第１の基準信号を、および前記第２のリソース要素を介してヌルシンボルを送信することと、第２のアンテナポートを介して、前記第２のリソース要素を介して前記第２の基準信号を、および前記第１のリソース要素を介してヌルシンボルを送信することとを備える、
請求項８８に記載の方法。
【請求項１０２】
前記数のアンテナポートの各々が、前記基地局における単一の無線周波数（ＲＦ）チェーンに関連付けられる、請求項８８に記載の方法。
【請求項１０３】
前記信号が、セルのセル識別子に少なくとも部分的に基づく第１のシーケンスの複数の繰り返しを備える再同期信号を備える、請求項８８に記載の方法。
【請求項１０４】
前記信号が、ページングオケージョンより前に送信されるウェークアップ信号を備える、請求項８８に記載の方法。
【発明の詳細な説明】
【技術分野】
【０００１】
相互参照
[0001]  本特許出願は、２０１８年１２月２７日に出願された「ＲＥＳＹＮＣＨＲＯＮＩＺＡＴＩＯＮ  ＳＩＧＮＡＬ  ＤＥＳＩＧＮ」と題するＳＥＮＧＵＰＴＡらによる米国特許出願第１６／２３４，３７５号と、２０１８年１月２５日に出願された「ＲＥＳＹＮＣＨＲＯＮＩＺＡＴＩＯＮ  ＳＩＧＮＡＬ  ＤＥＳＩＧＮ」と題するＳＥＮＧＵＰＴＡらによる米国仮特許出願第６２／６２１，７５１号との優先権を主張し、２０１８年２月１６日に出願された「ＲＥＳＹＮＣＨＲＯＮＩＺＡＴＩＯＮ  ＳＩＧＮＡＬ  ＤＥＳＩＧＮ」と題するＳＥＮＧＵＰＴＡらによる米国仮特許出願第６２／７１０，４０８号の利益を主張し、２０１８年４月４日に出願された「ＲＥＳＹＮＣＨＲＯＮＩＺＡＴＩＯＮ  ＳＩＧＮＡＬ  ＤＥＳＩＧＮ」と題するＳＥＮＧＵＰＴＡらによる米国仮出願第６２／６５２，６３４号の利益を主張し、２０１８年５月１０日に出願された「ＲＥＳＹＮＣＨＲＯＮＩＺＡＴＩＯＮ  ＳＩＧＮＡＬ  ＤＥＳＩＧＮ」と題するＳＥＮＧＵＰＴＡらによる米国仮出願第６２／６６９，７０４号の利益を主張し、２０１８年１１月２日に出願された「ＲＥＳＹＮＣＨＲＯＮＩＺＡＴＩＯＮ  ＳＩＧＮＡＬ  ＤＥＳＩＧＮ」と題するＳＥＮＧＵＰＴＡらによる米国仮出願第６２／７５５，４００号の利益を主張し、それらの各々は、本出願の譲受人に譲渡され、参照により本明細書に明確に組み込まれる。
【０００２】
[0002]  以下は、一般にワイヤレス通信（wireless communication）に関し、より詳細には再同期信号設計（resynchronization signal design）に関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例は、ロングタームエボリューション（ＬＴＥ（登録商標））システム、ＬＴＥアドバンスト（ＬＴＥ−Ａ）システム、またはＬＴＥ−Ａプロシステムなどの第４世代（４Ｇ）システム、および新無線（ＮＲ：New Radio）システムと呼ばれることがある第５世代（５Ｇ）システムを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散ＯＦＤＭ（ＤＦＴ−Ｓ−ＯＦＤＭ）などの技術を採用し得る。ワイヤレス多元接続通信システムは、場合によってはユーザ機器（ＵＥ：user equipment）として知られていることがある、複数の通信デバイスのための通信を各々が同時にサポートする、いくつかの基地局（base station）またはネットワークアクセスノード（network access nodes）を含み得る。
【０００４】
[0004]  ワイヤレス通信システムのいくつかの例では、ＵＥは、セル（cell）を発見し、１次同期信号（ＰＳＳ：primary synchronization signal）と２次同期信号（ＳＳＳ：secondary synchronization signal）とを検出することによってそれに同期し得る。いくつかの場合には、たとえばＵＥが低い信号対雑音比（ＳＮＲ）において動作するように設計された場合、タイミング同期のための検出は、ＰＳＳおよび／またはＳＳＳの複数のインスタンス（instance）からの信号エネルギーを合成することを伴い得る。ＰＳＳおよびＳＳＳ信号のエネルギー密度のために、（ＵＥが以前に同期しており、粗いタイミング情報（timing information）を維持する）同期（synchronization）または再同期（resynchronization）は、通信の著しいレイテンシ（significant latency）を引き起こし得る。ＰＳＳおよびＳＳＳの送信電力（transmission power）を増加させることは、レイテンシを改善し得るが、送信電力制限または干渉問題のために実現可能でないことがある。
【発明の概要】
【０００５】
[0005]  説明される技法は、再同期信号設計をサポートする、改善された方法、システム、デバイス、または装置に関する。概して、説明される技法は、通信のレイテンシを低減するための再同期信号（resynchronization signal）の効率的な設計を提供する。いくつかの第５世代（５Ｇ）または新無線（ＮＲ）システムは、低い信号対雑音比（ＳＮＲ）を有するユーザ機器（ＵＥ）をサポートするように設計される。前の技法を使用して、ＵＥは、同期信号の複数のインスタンスからの信号エネルギーを合成することによってタイミング同期を検出するように構成され得る。いくつかの態様では、セルのための同期信号は、１次同期信号（ＰＳＳ）と、２次同期信号（ＳＳＳ）とを含む。しかしながら、低いＳＮＲにおける動作では、ＵＥが同期を失うと、ＵＥは、同期を達成する前に複数のＰＳＳ／ＳＳＳサイクルにわたってエネルギーを合成し得る。本開示の態様は、同期信号のエネルギー密度を増加させ、それの送信のためのタイミング検出特性を改善するための方法、システム、およびデバイスを提供する。
【０００６】
[0006]  いくつかの場合には、ＵＥは、セルと同期するための第１の同期信号（first synchronization signal）（たとえば、ＰＳＳ／ＳＳＳ）を受信し得る。いくつかの例では、第１の同期信号は、セルにサービスする基地局によって第１の周期性（first periodicity）に従って送信され得る。第１の同期信号は、タイミング同期と、セルのセル識別子（cell identifier）の検出とのためにＵＥによって使用され得る。いくつかの例では、第１の同期信号は、第１の周期性に従って送信され得る。第１の同期信号を受信した後に、ＵＥは、何らかの時間期間の間、（たとえば、最初に接続モード（connected mode）に入ることを伴うかもしくは伴わない）アイドルモードまたはスリープモード（たとえば、省電力状態）において、セルにキャンプオンし得る。いくつかの例では、スリープモードに遷移することによって、ＵＥは、セルとのシンボルレベル同期を失い得る。本開示のいくつかの態様によれば、ＵＥは、セルと再同期（resynchronize）するための第２の同期信号（second synchronization signal）を受信し得る。いくつかの場合には、第２の同期信号は再同期信号（ＲＳＳ：resynchronization signal）と呼ばれることがある。いくつかの例では、ＲＳＳは、第１の周期性とは異なる第２の周期性（second periodicity）に従って送信され得る。たとえば、第２の周期性は第１の周期性よりも低くなり得る。いくつかの場合には、ＵＥは、ＵＥがスリープモードにあったとき、同期を再捕捉（re-acquire）するためにＲＳＳを使用するように構成され得る。いくつかの例では、再同期すると、ＵＥは、セルと通信するように構成され得る。このようにして、ＵＥが基地局と同期状態にあったか、または再同期信号の周期性に関係するタイミング情報を有するとき、本技法は、ＵＥが、低減されたレイテンシおよび電力消費でタイミング同期を回復することを可能にする。
【０００７】
[0007]  ワイヤレス通信の方法について説明される。本方法は、セルと同期するための第１の同期信号を受信することと、第１の同期信号が、第１の周期性に従ってセルにサービスする基地局によって送信される、同期することの後に、セルと再同期するための第２の同期信号を受信することと、第２の同期信号が、第２の周期性に従って基地局によって送信される、再同期することに基づいてセルを介して基地局と通信することとを含み得る。いくつかの場合には、第２の同期信号は、セルのセル識別子に基づく第１のシーケンス（first sequence）の複数の繰り返し（repetition）を含み得る。
【０００８】
[0008]  ワイヤレス通信のための装置について説明される。本装置は、セルと同期するための第１の同期信号を受信するための手段と、第１の同期信号が、第１の周期性に従ってセルにサービスする基地局によって送信される、同期することの後に、セルと再同期するための第２の同期信号を受信するための手段と、第２の同期信号が、第２の周期性に従って基地局によって送信される、再同期することに基づいてセルを介して基地局と通信するための手段とを含み得る。いくつかの場合には、第２の同期信号は、セルのセル識別子に基づく第１のシーケンスの複数の繰り返しを含み得る。
【０００９】
[0009]  ワイヤレス通信のための別の装置について説明される。本装置は、プロセッサと、プロセッサと電子通信しているメモリと、メモリに記憶された命令とを含み得る。命令は、セルと同期するための第１の同期信号を受信することと、第１の同期信号が、第１の周期性に従ってセルにサービスする基地局によって送信される、同期することの後に、セルと再同期するための第２の同期信号を受信することと、第２の同期信号が、第２の周期性に従って基地局によって送信される、再同期することに基づいてセルを介して基地局と通信することとをプロセッサに行わせるように動作可能であり得る。いくつかの場合には、第２の同期信号は、セルのセル識別子に基づく第１のシーケンスの複数の繰り返しを含み得る。
【００１０】
[0010]  ワイヤレス通信のための非一時的コンピュータ可読媒体（non-transitory computer-readable medium）について説明される。非一時的コンピュータ可読媒体は、プロセッサに、セルと同期するための第１の同期信号を受信することと、第１の同期信号が、第１の周期性に従ってセルにサービスする基地局によって送信される、同期することの後に、セルと再同期するための第２の同期信号を受信することと、第２の同期信号が、第２の周期性に従って基地局によって送信される、再同期することに基づいてセルを介して基地局と通信することとを行わせるように動作可能な命令を含み得る。いくつかの場合には、第２の同期信号は、セルのセル識別子に基づく第１のシーケンスの複数の繰り返しを含み得る。
【００１１】
[0011]  上記で説明された方法、装置、および非一時的コンピュータ可読媒体のいくつかの例では、第１のシーケンスは、第１のサブシーケンス（first subsequence）と、第２のサブシーケンス（second subsequence）とを含み得る。上記で説明された方法、装置、および非一時的コンピュータ可読媒体のいくつかの例では、第２のサブシーケンスは、第１のサブシーケンスの複素共役（complex conjugate）に対応する。
【００１２】
[0012]  上記で説明された方法、装置、および非一時的コンピュータ可読媒体のいくつかの例では、第２の同期信号は、第２のシーケンス（second sequence）の複数の繰り返しを含み得る。いくつかの場合には、第１のシーケンスの複数の繰り返しと、第２のシーケンスの複数の繰り返しとは、バイナリシーケンス（binary sequence）に従って送信され得る。
【００１３】
[0013]  上記で説明された方法、装置、および非一時的コンピュータ可読媒体のいくつかの例では、第１のシーケンスと、第２のシーケンスとは、互いに相互相関の低い絶対値（low absolute value of cross-correlation）を有し得る。上記で説明された方法、装置、および非一時的コンピュータ可読媒体のいくつかの例では、第２のシーケンスは、第１のシーケンスの複素共役に対応する。
【００１４】
[0014]  上記で説明された方法、装置、および非一時的コンピュータ可読媒体のいくつかの例では、バイナリシーケンスを識別することは、第１のシーケンスの長さ、または第２の同期信号の長さ、またはセル識別子、またはそれらの組合せに基づく。
【００１５】
[0015]  上記で説明された方法、装置、および非一時的コンピュータ可読媒体のいくつかの例では、バイナリシーケンスのシーケンスタイプ（sequence type）を識別することは、第１のシーケンスの長さまたは第２の同期信号の長さに基づく。いくつかの場合には、シーケンスタイプは、ゴールドシーケンス（Gold sequence）、ｍシーケンス（m-sequence）、または自己相関関数（autocorrelation function）において最小サイドローブ振幅（minimum sidelobe amplitude）をもつコンピュータ生成シーケンス（computer-generated sequence）に対応する。
【００１６】
[0016]  上記で説明された方法、装置、および非一時的コンピュータ可読媒体のいくつかの例では、バイナリシーケンスは、｛１，０，１，１｝によって与えられる４ビットバイナリシーケンス、｛１，０，０，１，０，１，１，１｝によって与えられる８ビットバイナリシーケンス、｛０，０，１，１，０，１，０，０，０，１，１，０，０，１，０，１｝によって与えられる１６ビットバイナリシーケンス、｛１，１，０，０，１，０，０，１，０，１，１，１，０，０，０，１，１，１，０，１，０，１，０，０，１，０，０，０，１，１，０，１｝によって与えられる３２ビットバイナリシーケンス、または｛０，１，１，０，１，１，０，０，０，１，０，１，０，０，１，１，１，０，１，１，１，０，０，０，０，１，１，１，０，１，０，０，１，１，０，１，０，１，１，０｝によって与えられる４０ビットバイナリシーケンスを備える。
【００１７】
[0017]  上記で説明された方法、装置、および非一時的コンピュータ可読媒体のいくつかの例は、セルと再同期するための第３の同期信号（third synchronization signal）を受信するためのプロセス、特徴、手段、または命令をさらに含んでよく、第３の同期信号は、第２の同期信号の後にセルを介して基地局によって送信され、第１のシーケンスのシーケンス長（sequence length）よりも長いシーケンス長を有する。
【００１８】
[0018]  上記で説明された方法、装置、および非一時的コンピュータ可読媒体のいくつかの例では、第３の同期のシーケンス長は、第２の同期信号のシーケンス長よりも短くなり得る。上記で説明された方法、装置、および非一時的コンピュータ可読媒体のいくつかの例では、第１の同期信号は、複数の物理リソースブロック（ＰＲＢ：physical resource block）にわたってよく、第２の同期信号は、これらの複数のＰＲＢにわたり得る。上記で説明された方法、装置、および非一時的コンピュータ可読媒体のいくつかの例では、第２の同期信号は、狭帯域プロトコルタイプ（narrowband protocol type）の帯域幅（bandwidth）に対応する複数のＰＲＢのサブセット（subset）にわたり得る。
【００１９】
[0019]  上記で説明された方法、装置、および非一時的コンピュータ可読媒体のいくつかの例では、第２の同期信号に関連する送信電力は、複数のＰＲＢのサブセット中のＰＲＢの第２の数に対する複数のＰＲＢ中のＰＲＢの第１の数の比（ratio）だけ、第１の同期信号に関連する送信電力に対して増加され得る。いくつかの場合には、複数のＰＲＢのサブセットは、ＰＲＢの連続セット（contiguous set）に対応する。いくつかの場合には、複数のＰＲＢのサブセットは、ＰＲＢの不連続セット（non-contiguous set）に対応する。上記で説明された方法、装置、および非一時的コンピュータ可読媒体のいくつかの例は、第１の同期信号から基地局のセル識別子を決定するためのプロセス、特徴、手段、または命令をさらに含み得る。上記で説明された方法、装置、および非一時的コンピュータ可読媒体のいくつかの例は、セル識別子に基づいて決定される第１のシーケンスの表現（representation）を使用して再同期することのために第２の同期信号を相関（correlate）させるためのプロセス、特徴、手段、または命令をさらに含み得る。
【００２０】
[0020]  上記で説明された方法、装置、および非一時的コンピュータ可読媒体のいくつかの例は、セルに関連するシステム情報（system information）を受信するためのプロセス、特徴、手段、または命令をさらに含んでよく、システム情報は、第２の同期信号の存在、第２の同期信号のタイミング情報（たとえば、第２の周期性、第１の同期信号からのタイミングオフセット（timing offset））、第２の同期信号の長さ、第２の同期信号の周波数オフセット（frequency offset）および／または周波数ロケーション（frequency location）、第２の同期信号の送信電力、第２の同期信号の帯域幅、第２の同期信号のホッピングパターン（hopping pattern）、第２の周期性の乗法的ファクタ（multiplicative factor）、あるいはオーバーヘッド割合（overhead percentage）のうちの少なくとも１つを示す。
【００２１】
[0021]  上記で説明された方法、装置、および非一時的コンピュータ可読媒体のいくつかの例は、システム情報中で受信された第２の同期信号の長さと第２の周期性との間の関連付けに基づいて第２の周期性を決定するためのプロセス、特徴、手段、または命令をさらに含み得る。
【００２２】
[0022]  上記で説明された方法、装置、および非一時的コンピュータ可読媒体のいくつかの例では、システム情報中で受信された第２の同期信号の長さと第２の周期性との間の関連付けは、乗法的ファクタに基づいて決定され得る。
【００２３】
[0023]  上記で説明された方法、装置、および非一時的コンピュータ可読媒体のいくつかの例は、システム情報中で受信された第２の周期性と第２の同期信号の長さとの間の関連付けに基づいて第２の同期信号の長さを決定するためのプロセス、特徴、手段、または命令をさらに含み得る。
【００２４】
[0024]  上記で説明された方法、装置、および非一時的コンピュータ可読媒体のいくつかの例では、システム情報中で受信された第２の周期性と第２の同期信号の長さとの間の関連付けは、オーバーヘッド割合に基づいて決定され得る。
【００２５】
[0025]  上記で説明された方法、装置、および非一時的コンピュータ可読媒体のいくつかの例では、第２の同期信号を受信することは、第２の同期信号のための複数のスケジュールされたサブフレーム（scheduled subframe）のうちの少なくとも１つが、第２の同期信号の送信のために制限され得るサブフレームと一致すると識別することを含み得る。上記で説明された方法、装置、および非一時的コンピュータ可読媒体のいくつかの例は、第２の同期信号を受信することのために、複数のスケジュールされたサブフレームを修正する（modify）ためのプロセス、特徴、手段、または命令をさらに含み得る。
【００２６】
[0026]  上記で説明された方法、装置、および非一時的コンピュータ可読媒体のいくつかの例では、制限されたサブフレーム（restricted subframe）は、マルチキャストサブフレーム（multicast subframe）、マシンタイプ通信（ＭＴＣ：machine-type communication）無効サブフレーム（invalid subframe）、時分割複信（ＴＤＤ：time division duplex）アップリンクサブフレーム（uplink subframe）、またはＴＤＤスペシャルサブフレーム（special subframe）のうちの１つを含み得る。
【００２７】
[0027]  上記で説明された方法、装置、および非一時的コンピュータ可読媒体のいくつかの例では、複数のスケジュールされたサブフレームを修正することは、複数のスケジュールされたサブフレームのうちの少なくとも１つを、制限されたサブフレームの後の次のサブフレームに延期することと、制限されたサブフレームのために、複数のスケジュールされたサブフレームのうちの少なくとも１つの受信を抑制することと、制限されたサブフレーム中で、複数のスケジュールされたサブフレームのうちの少なくとも１つの一部分を受信することとを含むグループから修正行為（modification action）を選択することを含み得る。
【００２８】
[0028]  上記で説明された方法、装置、および非一時的コンピュータ可読媒体のいくつかの例では、修正行為を選択することは、ＴＤＤスペシャルサブフレーム構成（special subframe configuration）に基づき得る。上記で説明された方法、装置、および非一時的コンピュータ可読媒体のいくつかの例では、第２の同期信号は、基準信号（reference signal）、第１の同期信号、またはブロードキャストチャネル（broadcast channel）のうちの少なくとも１つによってパンクチャ（puncture）され得る。
【００２９】
[0029]  上記で説明された方法、装置、および非一時的コンピュータ可読媒体のいくつかの例は、基地局から、ネイバーセル（neighbor cell）のための再同期信号構成（resynchronization signal configuration）を受信するためのプロセス、特徴、手段、または命令をさらに含んでよく、再同期信号構成は、ネイバーセルのための再同期信号の存在、再同期信号の周期性、再同期信号の長さ、再同期信号のタイミングオフセット、再同期信号の周波数オフセット、再同期信号の送信電力、再同期信号の帯域幅、または再同期信号のホッピングパターンのうちの少なくとも１つを含む。上記で説明された方法、装置、および非一時的コンピュータ可読媒体のいくつかの例では、再同期信号構成は、基地局からシステム情報中でまたは専用シグナリング（dedicated signaling）中で受信され得る。
【００３０】
[0030]  上記で説明された方法、装置、および非一時的コンピュータ可読媒体のいくつかの例は、同期することの後に、基地局との接続モードから遷移するためのプロセス、特徴、手段、または命令をさらに含み得る。上記で説明された方法、装置、および非一時的コンピュータ可読媒体のいくつかの例では、第１のシーケンスは、擬似雑音（ＰＮ：pseudo-noise）シーケンス、Ｚａｄｏｆｆ−Ｃｈｕシーケンス、またはバイナリシーケンスとのサブシーケンスのクロネッカー積（Kronecker product）の結果に対応する。
【００３１】
[0031]  上記で説明された方法、装置、および非一時的コンピュータ可読媒体のいくつかの例では、サブシーケンスは、ＰＮシーケンスまたはＺａｄｏｆｆ−Ｃｈｕシーケンスに対応する。上記で説明された方法、装置、および非一時的コンピュータ可読媒体のいくつかの例では、バイナリシーケンスは、最大長シーケンス（maximum length sequence）、バーカーコード（Barker code）、またはゴールドシーケンスに対応する。
【００３２】
[0032]  上記で説明された方法、装置、および非一時的コンピュータ可読媒体のいくつかの例は、第２の同期信号から決定される位相またはタイミング情報に基づいて、セルと再同期するための第１の同期信号の第２のインスタンスを受信するためのプロセス、特徴、手段、または命令をさらに含み得る。上記で説明された方法、装置、および非一時的コンピュータ可読媒体のいくつかの例では、第１のシーケンスの長さを識別することは、第２の同期信号の長さに基づく。上記で説明された方法、装置、および非一時的コンピュータ可読媒体のいくつかの例では、第２の同期信号の長さは、第１のシーケンスの長さの倍数である。
【００３３】
[0033]  上記で説明された方法、装置、および非一時的コンピュータ可読媒体のいくつかの例は、ルックアップテーブルから第１のシーケンスの長さと第２の同期信号の長さとの間の関連付けを識別するためのプロセス、特徴、手段、または命令をさらに含み得る。
【００３４】
[0034]  ワイヤレス通信の方法について説明される。本方法は、セルにサービスする基地局によって、セルのための第１の同期信号を送信することと、第１の同期信号が、第１の周期性に従って送信される、セルのための第２の同期信号を送信することと、第２の同期信号が、第２の周期性に従って送信される、第１の同期信号または第２の同期信号の送信に基づいてセルを介して少なくとも１つのＵＥと通信することとを含み得る。いくつかの場合には、第２の同期信号は、セルのセル識別子に基づく第１のシーケンスの複数の繰り返しを含み得る。
【００３５】
[0035]  ワイヤレス通信のための装置について説明される。本装置は、セルにサービスする基地局によって、セルのための第１の同期信号を送信するための手段と、第１の同期信号が、第１の周期性に従って送信される、セルのための第２の同期信号を送信するための手段と、第２の同期信号が、第２の周期性に従って送信される、第１の同期信号または第２の同期信号の送信に基づいてセルを介して少なくとも１つのＵＥと通信するための手段とを含み得る。いくつかの場合には、第２の同期信号は、セルのセル識別子に基づく第１のシーケンスの複数の繰り返しを含み得る。
【００３６】
[0036]  ワイヤレス通信のための別の装置について説明される。本装置は、プロセッサと、プロセッサと電子通信しているメモリと、メモリに記憶された命令とを含み得る。命令は、セルにサービスする基地局によって、セルのための第１の同期信号を送信することと、第１の同期信号が、第１の周期性に従って送信される、セルのための第２の同期信号を送信することと、第２の同期信号が、第２の周期性に従って送信される、第１の同期信号または第２の同期信号の送信に基づいてセルを介して少なくとも１つのＵＥと通信することとをプロセッサに行わせるように動作可能であり得る。いくつかの場合には、第２の同期信号は、セルのセル識別子に基づく第１のシーケンスの複数の繰り返しを含み得る。
【００３７】
[0037]  ワイヤレス通信のための非一時的コンピュータ可読媒体について説明される。非一時的コンピュータ可読媒体は、セルにサービスする基地局によって、セルのための第１の同期信号を送信することと、第１の同期信号が、第１の周期性に従って送信される、セルのための第２の同期信号を送信することと、第２の同期信号が、第２の周期性に従って送信される、第１の同期信号または第２の同期信号の送信に基づいてセルを介して少なくとも１つのＵＥと通信することとをプロセッサに行わせるように動作可能な命令を含み得る。いくつかの場合には、第２の同期信号は、セルのセル識別子に基づく第１のシーケンスの複数の繰り返しを含み得る。
【００３８】
[0038]  上記で説明された方法、装置、および非一時的コンピュータ可読媒体のいくつかの例では、第１のシーケンスは、第１のサブシーケンスと、第２のサブシーケンスとを含み得る。上記で説明された方法、装置、および非一時的コンピュータ可読媒体のいくつかの例では、第２のサブシーケンスは、第１のサブシーケンスの複素共役に対応する。
【００３９】
[0039]  上記で説明された方法、装置、および非一時的コンピュータ可読媒体のいくつかの例は、第１のアンテナポート（first antenna port）を介して第１のサブシーケンスを、および第２のアンテナポート（second antenna port）を介して第２のサブシーケンスを送信するためのプロセス、特徴、手段、または命令をさらに含み得る。上記で説明された方法、装置、および非一時的コンピュータ可読媒体のいくつかの例では、第２の同期信号は、第２のシーケンスの複数の繰り返しを含み得る。いくつかの場合には、第１のシーケンスの複数の繰り返しと、第２のシーケンスの複数の繰り返しとは、バイナリシーケンスに従って送信され得る。
【００４０】
[0040]  上記で説明された方法、装置、および非一時的コンピュータ可読媒体のいくつかの例では、第１のシーケンスと、第２のシーケンスとは、互いに相互相関の低い絶対値を有し得る。上記で説明された方法、装置、および非一時的コンピュータ可読媒体のいくつかの例では、第２のシーケンスは、第１のシーケンスの複素共役に対応する。
【００４１】
[0041]  上記で説明された方法、装置、および非一時的コンピュータ可読媒体のいくつかの例では、バイナリシーケンスを識別することは、第１のシーケンスの長さ、または第２の同期信号の長さ、またはセル識別子、またはそれらの組合せに基づく。
【００４２】
[0042]  上記で説明された方法、装置、および非一時的コンピュータ可読媒体のいくつかの例では、バイナリシーケンスのシーケンスタイプを識別することは、第１のシーケンスの長さまたは第２の同期信号の長さに基づく。いくつかの場合には、シーケンスタイプは、ゴールドシーケンス、ｍシーケンス、または自己相関関数において最小サイドローブ振幅をもつコンピュータ生成シーケンスに対応する。
【００４３】
[0043]  上記で説明された方法、装置、および非一時的コンピュータ可読媒体のいくつかの例は、第１のアンテナポートを介して第１のシーケンスを、および第２のアンテナポートを介して第２のシーケンスを送信するためのプロセス、特徴、手段、または命令をさらに含み得る。
【００４４】
[0044]  上記で説明された方法、装置、および非一時的コンピュータ可読媒体のいくつかの例は、第２の同期信号の後にセルのための第３の同期信号を送信するためのプロセス、特徴、手段、または命令をさらに含んでよく、第３の同期信号は、第１のシーケンスのシーケンス長よりも長いシーケンス長を有する。上記で説明された方法、装置、および非一時的コンピュータ可読媒体のいくつかの例では、第３の同期のシーケンス長は、第２の同期信号のシーケンス長よりも短くなり得る。
【００４５】
[0045]  上記で説明された方法、装置、および非一時的コンピュータ可読媒体のいくつかの例は、セルに関連するシステム情報を送信するためのプロセス、特徴、手段、または命令をさらに含んでよく、システム情報は、第２の同期信号の存在、第２の同期信号のタイミング情報（たとえば、第２の周期性、第１の同期信号からのタイミングオフセット）、第２の同期信号の長さ、第２の同期信号の周波数オフセットおよび／または周波数ロケーション、第２の同期信号の送信電力、第２の同期信号の帯域幅、第２の同期信号のホッピングパターン、第２の周期性の乗法的ファクタ、あるいはオーバーヘッド割合のうちの少なくとも１つを示す。
【００４６】
[0046]  上記で説明された方法、装置、および非一時的コンピュータ可読媒体のいくつかの例は、システム情報中に示される第２の同期信号の長さと第２の周期性との間の関連付けに基づいて第２の周期性を決定するためのプロセス、特徴、手段、または命令をさらに含み得る。上記で説明された方法、装置、および非一時的コンピュータ可読媒体のいくつかの例では、システム情報中で受信された第２の同期信号の長さと第２の周期性との間の関連付けは、乗法的ファクタに基づいて決定され得る。
【００４７】
[0047]  上記で説明された方法、装置、および非一時的コンピュータ可読媒体のいくつかの例は、システム情報中に示される第２の周期性と第２の同期信号の長さとの間の関連付けに基づいて第２の同期信号の長さを決定するためのプロセス、特徴、手段、または命令をさらに含み得る。上記で説明された方法、装置、および非一時的コンピュータ可読媒体のいくつかの例では、システム情報中で受信された第２の周期性と第２の同期信号の長さとの間の関連付けは、オーバーヘッド割合に基づいて決定され得る。
【００４８】
[0048]  上記で説明された方法、装置、および非一時的コンピュータ可読媒体のいくつかの例は、第２の同期信号のための複数のスケジュールされたサブフレームのうちの少なくとも１つが、第２の同期信号ののために制限され得るサブフレームと一致すると識別するためのプロセス、特徴、手段、または命令をさらに含み得る。上記で説明された方法、装置、および非一時的コンピュータ可読媒体のいくつかの例は、第２の同期信号を送信することのために、複数のスケジュールされたサブフレームを修正するためのプロセス、特徴、手段、または命令をさらに含み得る。
【００４９】
[0049]  上記で説明された方法、装置、および非一時的コンピュータ可読媒体のいくつかの例では、制限されたサブフレームは、マルチキャストサブフレーム、マシンタイプ通信（ＭＴＣ）無効サブフレーム、時分割複信（ＴＤＤ）アップリンクサブフレーム、またはＴＤＤスペシャルサブフレームのうちの１つを含み得る。
【００５０】
[0050]  上記で説明された方法、装置、および非一時的コンピュータ可読媒体のいくつかの例では、複数のスケジュールされたサブフレームを修正することは、複数のスケジュールされたサブフレームのうちの少なくとも１つを、制限されたサブフレームの後の次のサブフレームに延期することと、制限されたサブフレームのために、複数のスケジュールされたサブフレームのうちの少なくとも１つの送信を抑制することと、制限されたサブフレーム中で、複数のスケジュールされたサブフレームのうちの少なくとも１つの一部分を送信することとを含むグループから修正行為を選択することを含み得る。上記で説明された方法、装置、および非一時的コンピュータ可読媒体のいくつかの例では、修正行為を選択することは、ＴＤＤスペシャルサブフレーム構成に基づき得る。
【００５１】
[0051]  上記で説明された方法、装置、および非一時的コンピュータ可読媒体のいくつかの例は、基準信号、第１の同期信号、またはブロードキャストチャネルのうちの少なくとも１つで第２の同期信号をパンクチャするためのプロセス、特徴、手段、または命令をさらに含み得る。上記で説明された方法、装置、および非一時的コンピュータ可読媒体のいくつかの例は、少なくとも１つのＵＥに、ネイバーセルのための再同期信号構成を送信するためのプロセス、特徴、手段、または命令をさらに含んでよく、再同期信号構成は、ネイバーセルのための再同期信号の存在、再同期信号の周期性、再同期信号の長さ、再同期信号のタイミングオフセット、再同期信号の周波数オフセット、再同期信号の送信電力、再同期信号の帯域幅、または再同期信号のホッピングパターンのうちの少なくとも１つを含む。
【００５２】
[0052]  上記で説明された方法、装置、および非一時的コンピュータ可読媒体のいくつかの例では、再同期信号構成は、基地局から少なくとも１つのＵＥにシステム情報中でまたは専用シグナリング中で送信され得る。上記で説明された方法、装置、および非一時的コンピュータ可読媒体のいくつかの例では、第１のシーケンスは、ＰＮシーケンス、Ｚａｄｏｆｆ−Ｃｈｕシーケンス、またはバイナリシーケンスとのサブシーケンスのクロネッカー積の結果に対応する。
【００５３】
[0053]  上記で説明された方法、装置、および非一時的コンピュータ可読媒体のいくつかの例では、サブシーケンスは、ＰＮシーケンスまたはＺａｄｏｆｆ−Ｃｈｕシーケンスに対応する。上記で説明された方法、装置、および非一時的コンピュータ可読媒体のいくつかの例では、バイナリシーケンスは、最大長シーケンス、バーカーコード、またはゴールドシーケンスに対応する。
【００５４】
[0054]  上記で説明された方法、装置、および非一時的コンピュータ可読媒体のいくつかの例では、第１のシーケンスの長さを識別することは、第２の同期信号の長さに基づく。上記で説明された方法、装置、および非一時的コンピュータ可読媒体のいくつかの例では、第２の同期信号の長さは、第１のシーケンスの長さの倍数である。
【００５５】
[0055]  上記で説明された方法、装置、および非一時的コンピュータ可読媒体のいくつかの例は、ルックアップテーブルから第１のシーケンスの長さと第２の同期信号の長さとの間の関連付けを識別するためのプロセス、特徴、手段、または命令をさらに含み得る。
【００５６】
[0056]  ＵＥにおけるワイヤレス通信の方法について説明される。本方法は、時間周波数リソースブロック（time-frequency resource block）のリソース要素（resource element）の第１のサブセットにマッピングされた信号と、時間周波数リソースブロックのリソース要素の第２のサブセットにマッピングされた基準信号のセットとを受信することと、ここで、リソース要素の第１のサブセットが、時間周波数リソースブロックの第１のシンボル期間（symbol period）のリソース要素のサブセットと、時間周波数リソースブロックの第２のシンボル期間の各リソース要素とを含む、基準信号のセットのアンテナポートの数に基づいてリソース要素の第１のサブセットの各々と基準信号のセットとの間の電力比（power ratio）を識別することと、電力比に基づいて信号を復調することとを含み得る。
【００５７】
[0057]  ＵＥにおけるワイヤレス通信のための装置について説明される。本装置は、プロセッサと、プロセッサと電子通信しているメモリと、メモリに記憶された命令とを含み得る。命令は、時間周波数リソースブロックのリソース要素の第１のサブセットにマッピングされた信号と、時間周波数リソースブロックのリソース要素の第２のサブセットにマッピングされた基準信号のセットとを受信することと、ここで、リソース要素の第１のサブセットが、時間周波数リソースブロックの第１のシンボル期間のリソース要素のサブセットと、時間周波数リソースブロックの第２のシンボル期間の各リソース要素とを含む、基準信号のセットのアンテナポートの数に基づいてリソース要素の第１のサブセットの各々と基準信号のセットとの間の電力比を識別することと、電力比に基づいて信号を復調することとを本装置に行わせるようにプロセッサによって実行可能であり得る。
【００５８】
[0058]  ＵＥにおけるワイヤレス通信のための別の装置について説明される。本装置は、時間周波数リソースブロックのリソース要素の第１のサブセットにマッピングされた信号と、時間周波数リソースブロックのリソース要素の第２のサブセットにマッピングされた基準信号のセットとを受信するための手段と、ここで、リソース要素の第１のサブセットが、時間周波数リソースブロックの第１のシンボル期間のリソース要素のサブセットと、時間周波数リソースブロックの第２のシンボル期間の各リソース要素とを含む、基準信号のセットのアンテナポートの数に基づいてリソース要素の第１のサブセットの各々と基準信号のセットとの間の電力比を識別するための手段と、電力比に基づいて信号を復調するための手段とを含み得る。
【００５９】
[0059]  ＵＥにおけるワイヤレス通信のためのコードを記憶する非一時的コンピュータ可読媒体について説明される。コードは、時間周波数リソースブロックのリソース要素の第１のサブセットにマッピングされた信号と、時間周波数リソースブロックのリソース要素の第２のサブセットにマッピングされた基準信号のセットとを受信すること、ここで、リソース要素の第１のサブセットが、時間周波数リソースブロックの第１のシンボル期間のリソース要素のサブセットと、時間周波数リソースブロックの第２のシンボル期間の各リソース要素とを含む、基準信号のセットのアンテナポートの数に基づいてリソース要素の第１のサブセットの各々と基準信号のセットとの間の電力比を識別することと、電力比に基づいて信号を復調することとを行うようにプロセッサによって実行可能な命令を含み得る。
【００６０】
[0060]  本明細書で説明される方法、装置、および非一時的コンピュータ可読媒体のいくつかの例では、電力比を識別することは、第１のシンボル期間のための基準信号のセットとデータチャネルのリソース要素との間の第１の電力比と、第２のシンボル期間のための基準信号のセットとデータチャネルのリソース要素との間の第２の電力比との関数を評価するための動作、特徴、手段、または命令を含み得る。
【００６１】
[0061]  本明細書で説明される方法、装置、および非一時的コンピュータ可読媒体のいくつかの例では、関数は、第１の電力比によって第２の電力比を正規化することを含み得る。本明細書で説明される方法、装置、および非一時的コンピュータ可読媒体のいくつかの例では、関数は、第１の電力比と第２の電力比との最小値を含む。
【００６２】
[0062]  本明細書で説明される方法、装置、および非一時的コンピュータ可読媒体のいくつかの例では、関数は、第１の電力比と第２の電力比との最大値を含む。本明細書で説明される方法、装置、および非一時的コンピュータ可読媒体のいくつかの例では、関数は、第１のスケーリングファクタ（scaling factor）との第１の電力比の積と、第２のスケーリングファクタとの第２の電力比の積との和を含む。
【００６３】
[0063]  本明細書で説明される方法、装置、および非一時的コンピュータ可読媒体のいくつかの例では、基準信号のセットとデータチャネルのリソース要素との間の第１の電力比は、第１のシンボル期間のために構成されてよく、基準信号のセットとデータチャネルのリソース要素との間の第２の電力比は、第２のシンボル期間のために構成され得る。システム情報パラメータの値の第１のサブセットについて、電力比は第１の電力比に対応し得、システム情報パラメータの値の第２のサブセットについて、電力比は第２の電力比に対応し得る。
【００６４】
[0064]  本明細書で説明される方法、装置、および非一時的コンピュータ可読媒体のいくつかの例では、電力比は、アンテナポートの数（the number of antenna ports）、および第１の電力比と第２の電力比との比によってインデックス付けされたテーブルに基づいて識別される。本明細書で説明される方法、装置、および非一時的コンピュータ可読媒体のいくつかの例では、電力比を識別することは、第１のシンボル期間のための基準信号のセットとデータチャネルのリソース要素との間の第１の電力比と、第２のシンボル期間のための基準信号のセットとデータチャネルのリソース要素との間の第２の電力比とに独立し得る。本明細書で説明される方法、装置、および非一時的コンピュータ可読媒体のいくつかの例では、電力比は、アンテナポートの数の各々についてのポート毎電力比に基づき得る。
【００６５】
[0065]  本明細書で説明される方法、装置、および非一時的コンピュータ可読媒体のいくつかの例は、電力比に基づいて信号を使用してチャネル推定またはチャネル測定を実施するための動作、特徴、手段、または命令をさらに含み得る。本明細書で説明される方法、装置、および非一時的コンピュータ可読媒体のいくつかの例は、信号に関連する電力ブーストパラメータ（power boost parameter）を受信するための動作、特徴、手段、または命令をさらに含んでよく、電力ブーストパラメータは、信号の送信電力の構成可能な増加を示し、ここで、電力比を識別することは、電力ブーストパラメータに基づき得る。
【００６６】
[0066]  本明細書で説明される方法、装置、および非一時的コンピュータ可読媒体のいくつかの例では、いくつかのアンテナポートの各々は、信号の送信機における単一の無線周波数（ＲＦ）チェーンに関連し得る。本明細書で説明される方法、装置、および非一時的コンピュータ可読媒体のいくつかの例では、信号は、セルのセル識別子に基づき得る第１のシーケンスの繰り返しのセットを含む再同期信号を含む。本明細書で説明される方法、装置、および非一時的コンピュータ可読媒体のいくつかの例では、信号は、ＵＥのための関連するページングオケージョン（paging occasion）より前に送信されるウェークアップ信号（wake-up signal）を含む。
【００６７】
[0067]  基地局におけるワイヤレス通信の方法について説明される。本方法は、信号を時間周波数リソースブロックのリソース要素の第１のサブセットに、および基準信号のセットを時間周波数リソースブロックのリソース要素の第２のサブセットにマッピングすることと、ここで、リソース要素の第１のサブセットが、時間周波数リソースブロックの第１のシンボル期間のリソース要素のサブセットと、時間周波数リソースブロックの第２のシンボル期間の各リソース要素とを含む、基準信号のセットのアンテナポートの数に基づいてリソース要素の第１のサブセットの各々と基準信号のセットとの間の電力比を識別することと、電力比に基づいて信号と基準信号のセットとを送信することとを含み得る。
【００６８】
[0068]  基地局におけるワイヤレス通信のための装置について説明される。本装置は、プロセッサと、プロセッサと電子通信しているメモリと、メモリに記憶された命令とを含み得る。命令は、信号を時間周波数リソースブロックのリソース要素の第１のサブセットに、および基準信号のセットを時間周波数リソースブロックのリソース要素の第２のサブセットにマッピングすることと、ここで、リソース要素の第１のサブセットが、時間周波数リソースブロックの第１のシンボル期間のリソース要素のサブセットと、時間周波数リソースブロックの第２のシンボル期間の各リソース要素とを含む、基準信号のセットのアンテナポートの数に基づいてリソース要素の第１のサブセットの各々と基準信号のセットとの間の電力比を識別することと、電力比に基づいて信号と基準信号のセットとを送信することとを本装置に行わせるようにプロセッサによって実行可能であり得る。
【００６９】
[0069]  基地局におけるワイヤレス通信のための別の装置について説明される。本装置は、信号を時間周波数リソースブロックのリソース要素の第１のサブセットに、および基準信号のセットを時間周波数リソースブロックのリソース要素の第２のサブセットにマッピングするための手段と、ここで、リソース要素の第１のサブセットが、時間周波数リソースブロックの第１のシンボル期間のリソース要素のサブセットと、時間周波数リソースブロックの第２のシンボル期間の各リソース要素とを含む、基準信号のセットのアンテナポートの数に基づいてリソース要素の第１のサブセットの各々と基準信号のセットとの間の電力比を識別するための手段と、電力比に基づいて信号と基準信号のセットとを送信するための手段とを含み得る。
【００７０】
[0070]  基地局におけるワイヤレス通信のためのコードを記憶する非一時的コンピュータ可読媒体について説明される。コードは、信号を時間周波数リソースブロックのリソース要素の第１のサブセットに、および基準信号のセットを時間周波数リソースブロックのリソース要素の第２のサブセットにマッピングすることと、ここで、リソース要素の第１のサブセットが、時間周波数リソースブロックの第１のシンボル期間のリソース要素のサブセットと、時間周波数リソースブロックの第２のシンボル期間の各リソース要素とを含む、基準信号のセットのアンテナポートの数に基づいてリソース要素の第１のサブセットの各々と基準信号のセットとの間の電力比を識別することと、電力比に基づいて信号と基準信号のセットとを送信することとを行うようにプロセッサによって実行可能な命令を含み得る。
【００７１】
[0071]  本明細書で説明される方法、装置、および非一時的コンピュータ可読媒体のいくつかの例では、電力比を識別することは、第１のシンボル期間のための基準信号のセットとデータチャネルのリソース要素との間の第１の電力比と、第２のシンボル期間のための基準信号のセットとデータチャネルのリソース要素との間の第２の電力比との関数を評価するための動作、特徴、手段、または命令を含み得る。本明細書で説明される方法、装置、および非一時的コンピュータ可読媒体のいくつかの例では、関数は、第１の電力比によって第２の電力比を正規化することを含み得る。
【００７２】
[0072]  本明細書で説明される方法、装置、および非一時的コンピュータ可読媒体のいくつかの例では、関数は、第１の電力比と第２の電力比との最小値を含む。本明細書で説明される方法、装置、および非一時的コンピュータ可読媒体のいくつかの例では、関数は、第１の電力比と第２の電力比との最大値を含む。本明細書で説明される方法、装置、および非一時的コンピュータ可読媒体のいくつかの例では、関数は、第１のスケーリングファクタとの第１の電力比の積と、第２のスケーリングファクタとの第２の電力比の積との和を含む。
【００７３】
[0073]  本明細書で説明される方法、装置、および非一時的コンピュータ可読媒体のいくつかの例では、基準信号のセットとデータチャネルのリソース要素との間の第１の電力比は、第１のシンボル期間のために構成されてよく、基準信号のセットとデータチャネルのリソース要素との間の第２の電力比は、第２のシンボル期間のために構成され得る。システム情報パラメータの値の第１のサブセットについて、電力比は第１の電力比に対応し得、システム情報パラメータの値の第２のサブセットについて、電力比は第２の電力比に対応し得る。
【００７４】
[0074]  本明細書で説明される方法、装置、および非一時的コンピュータ可読媒体のいくつかの例では、電力比は、アンテナポートの数、および第１の電力比と第２の電力比との比によってインデックス付けされたテーブルに基づいて識別される。本明細書で説明される方法、装置、および非一時的コンピュータ可読媒体のいくつかの例では、電力比を識別することは、第１のシンボル期間のための基準信号のセットとデータチャネルのリソース要素との間の第１の電力比と、第２のシンボル期間のための基準信号のセットとデータチャネルのリソース要素との間の第２の電力比とに独立し得る。本明細書で説明される方法、装置、および非一時的コンピュータ可読媒体のいくつかの例では、電力比は、アンテナポートの数の各々についてのポート毎電力比に基づき得る。
【００７５】
[0075]  本明細書で説明される方法、装置、および非一時的コンピュータ可読媒体のいくつかの例は、信号に関連する電力ブーストパラメータを構成するための動作、特徴、手段、または命令をさらに含んでよく、電力ブーストパラメータは、信号の送信電力の構成可能な増加を示し、ここで、電力比を識別することは、電力ブーストパラメータに基づき得る。
【００７６】
[0076]  本明細書で説明される方法、装置、および非一時的コンピュータ可読媒体のいくつかの例では、電力ブーストパラメータは、いくつかのブランキングされた時間周波数リソースブロック（blanked time-frequency resource block）に基づき得る。本明細書で説明される方法、装置、および非一時的コンピュータ可読媒体のいくつかの例では、基準信号のセットのうちの第１の基準信号は、時間周波数リソースブロックの第１のリソース要素にマッピングされてよく、基準信号のセットのうちの第２の基準信号は、時間周波数リソースブロックの第２のリソース要素にマッピングされてよく、送信することは、第１のアンテナポートを介して、第１のリソース要素を介して第１の基準信号を、および第２のリソース要素を介してヌルシンボル（null symbol）を送信することと、第２のアンテナポートを介して、第２のリソース要素を介して第２の基準信号を、および第１のリソース要素を介してヌルシンボルを送信することとを含む。
【００７７】
[0077]  本明細書で説明される方法、装置、および非一時的コンピュータ可読媒体のいくつかの例では、アンテナポートの数の各々は、基地局における単一の無線周波数（ＲＦ）チェーンに関連し得る。本明細書で説明される方法、装置、および非一時的コンピュータ可読媒体のいくつかの例では、信号は、セルのセル識別子に基づき得る第１のシーケンスの繰り返しのセットを含む再同期信号を含む。本明細書で説明される方法、装置、および非一時的コンピュータ可読媒体のいくつかの例では、信号は、ページングオケージョンより前に送信されるウェークアップ信号を含む。
【図面の簡単な説明】
【００７８】
【図１】[0078]  本開示の態様による再同期信号設計をサポートするワイヤレス通信のためのシステムの一例を示す図。
【図２】[0079]  本開示の態様による再同期信号設計をサポートするワイヤレス通信システムの一例を示す図。
【図３】[0080]  本開示の態様による再同期信号設計をサポートする信号設計の一例を示す図。
【図４】[0081]  本開示の態様による再同期信号設計をサポートする信号設計の一例を示す図。
【図５】[0082]  本開示の態様による再同期信号設計をサポートする信号設計の例を示す図。
【図６】本開示の態様による再同期信号設計をサポートする信号設計の例を示す図。
【図７Ａ】本開示の態様による再同期信号設計をサポートする信号設計の例を示す図。
【図７Ｂ】本開示の態様による再同期信号設計をサポートする信号設計の例を示す図。
【図８Ａ】本開示の態様による再同期信号設計をサポートする信号設計の例を示す図。
【図８Ｂ】本開示の態様による再同期信号設計をサポートする信号設計の例を示す図。
【図９】[0083]  本開示の態様による再同期信号設計をサポートするデバイスのブロック図。
【図１０】本開示の態様による再同期信号設計をサポートするデバイスのブロック図。
【図１１Ａ】本開示の態様による再同期信号設計をサポートするデバイスのブロック図。
【図１１Ｂ】本開示の態様による再同期信号設計をサポートするデバイスのブロック図。
【図１２】[0084]  本開示の態様による再同期信号設計をサポートするＵＥを含むシステムのブロック図。
【図１３】[0085]  本開示の態様による再同期信号設計をサポートするデバイスのブロック図。
【図１４】本開示の態様による再同期信号設計をサポートするデバイスのブロック図。
【図１５Ａ】本開示の態様による再同期信号設計をサポートするデバイスのブロック図。
【図１５Ｂ】本開示の態様による再同期信号設計をサポートするデバイスのブロック図。
【図１６】[0086]  本開示の態様による再同期信号設計をサポートする基地局を含むシステムのブロック図。
【図１７】[0087]  本開示の態様による再同期信号設計のための方法を示す図。
【図１８】本開示の態様による再同期信号設計のための方法を示す図。
【図１９】本開示の態様による再同期信号設計のための方法を示す図。
【図２０】本開示の態様による再同期信号設計のための方法を示す図。
【図２１】本開示の態様による再同期信号設計のための方法を示す図。
【図２２】本開示の態様による再同期信号設計のための方法を示す図。
【図２３】本開示の態様による再同期信号設計のための方法を示す図。
【発明を実施するための形態】
【００７９】
[0088]  第５世代（５Ｇ）または新無線（ＮＲ）システムは、低い信号対雑音比（ＳＮＲ）を有するユーザ機器（ＵＥ）をサポートするように設計される。いくつかの態様では、セルのための同期信号は、１次同期信号（ＰＳＳ）と、２次同期信号（ＳＳＳ）とを含む。しかしながら、低いＳＮＲにおけるセル検出またはタイミング同期では、ＵＥは、同期を達成する前に複数のＰＳＳ／ＳＳＳサイクルにわたってエネルギーを合成し得る。（エネルギーを正確に合成するためになど）ＰＳＳ／ＳＳＳからタイミング同期を正確に検出するために、ＵＥは、長い時間期間の間オンのままである。これは、電力非効率性ならびに通信の増加したレイテンシを生じる。本開示の態様は、同期信号のエネルギー密度を増加させ、それの送信のためのタイミング検出特性を改善するための方法、システム、およびデバイスを提供する。
【００８０】
[0089]  いくつかの場合には、ＵＥは、セルと同期するための第１の同期信号（たとえば、ＰＳＳ／ＳＳＳ）を受信し得る。いくつかの例では、第１の同期信号は、セルにサービスする基地局によって第１の周期性に従って送信され得る。第１の同期信号は、タイミング同期と、セルのセル識別子の検出とのためにＵＥによって使用され得る。第１の同期信号を受信した後に、ＵＥは、何らかの時間期間の間、（たとえば、最初に接続モードに入ることを伴うかもしくは伴わない）アイドルモードまたはスリープモード（たとえば、省電力状態）において、セルにキャンプオンし得る。ＵＥは、ローカルクロックを介してセルとの粗いタイミング同期を維持し得るが、シンボルレベルタイミング同期を維持しないことがある。いくつかの態様によれば、ＵＥは、セルと再同期するための第２の同期信号を受信し得る。いくつかの場合には、第２の同期信号は再同期信号（ＲＳＳ）と呼ばれることがある。たとえば、ＵＥは、ＵＥがスリープモードにあったとき、同期を再捕捉するためにＲＳＳを使用するように構成され得る。いくつかの態様によれば、ＲＳＳは、第２の周期性に従って（たとえば、第１の周期性とは異なり得る別個に構成された周期性に従って）基地局によって送信され得る。たとえば、第２の周期性は第１の周期性よりも低くなり得る。ＲＳＳは、ＰＳＳ／ＳＳＳよりも低い周期性において送信され得るが、増加した密度（たとえば、より連続また準連続したシンボル）は、ＵＥが、より少数のサイクルを介して再同期することを可能にし得る（たとえば、いくつかの場合には、再同期は、ＲＳＳの１つのインスタンスから達成され得る）。このようにして、ＵＥが基地局と同期状態にあったか、またはＲＳＳの周期性に関係するタイミング情報を有するとき、本技法は、ＵＥが、低減されたレイテンシおよび電力消費でタイミング同期を回復することを可能にする。
【００８１】
[0090]  いくつかの例では、ＵＥは、再同期信号において使用されるシーケンスに気づいていることがある。より詳細には、ＵＥは、ローカルに記憶されたシーケンスのコピーを有し得るか、またはセルパラメータ（たとえば、セルＩＤなど）に基づいてシーケンスを決定し得る。いくつかの実施形態では、ＵＥは、システム情報ブロック（ＳＩＢ：system information block）中でＲＳＳの存在またはパラメータのインジケーションを受信し得る。１つまたは複数のシーケンスを含むＲＳＳを受信すると、ＵＥは、ＲＳＳを、シーケンスの記憶されたローカルコピーと相関させる（correlate）ように構成され得る。相関出力に基づいて、ＵＥは、セルのためのタイミング（たとえば、シンボルタイミング）を検出するように構成され得る。
【００８２】
[0091]  いくつかの例では、同期信号の処理の複雑さは、同期信号の長さに基づき得る。より長いシーケンスを含む同期信号はより良い性能を有し得るが、より長いシーケンスは、より高い処理の複雑さを伴う。たとえば、より長いランダムシーケンスを含む同期信号は、同期信号を、記憶されたローカルコピーと相関させる一方で、より良い性能を生じ得る。より良い相関性能は、（セルのためのシンボルタイミング調整など）より正確なタイミング調整を生じ得るしかしながら、ＵＥにおいてシーケンスを相関させるプロセスは、計算量的に複雑である。構造化された（たとえば、非ランダム）シーケンスは、計算複雑さを低減し得るが、良好な信号自己相関特性を有しないことがある。そのような場合、構造化されたシーケンスの相関は、相関における２次ピーク（たとえば、サイドローブ）の振幅により、（ＵＥなどの）受信機における劣悪な性能につながり得る。したがって、本開示は、受信機において低減された計算複雑さを有しながら、高い相関性能を達成するための、同期信号設計を提供する。
【００８３】
[0092]  再同期のための様々な同期信号設計が開示される。いくつかの例では、ＲＳＳは、シーケンスＳの複数の繰り返しを含み得る。いくつかの例では、シーケンスＳは、時間領域において繰り返される擬似雑音（ＰＮ）シーケンスであり得る。より詳細には、シーケンスＳは、同期信号中で所定の回数繰り返されてよく、連結された信号は、第１のＲＳＳと呼ばれることがある。いくつかの場合には、シーケンスＳは、セルのセル識別子に基づき得る。いくつかの場合には、セルのための再同期は、第１のＲＳＳの後に送信される第２のＲＳＳを介してサポートされ得る。いくつかの例では、第２のＲＳＳは、シーケンスＳのシーケンス長よりも長く、第１のＲＳＳ（たとえば、複数のシーケンスＳの連結）のシーケンス長よりも短い、シーケンス長を有し得る。いくつかの例では、第２のＲＳＳはまた、第１のＲＳＳと第２のＲＳＳとを送信する基地局によってサービスされるセルの識別子に基づき得る。第１のＲＳＳを受信すると、（ＵＥなどの）受信機は、受信されたＲＳＳをシーケンスＳと相関させることによって受信信号を検出するように構成され得る。いくつかの場合には、受信機は、シーケンスＳとの相関を計算するように構成されてよく、相関が計算されると、受信機は、シーケンスの後続の繰り返しの相関をシフトおよび加算し得る。いくつかの場合には、シーケンスＳの長さは、第１のＲＳＳの長さに関係し得る。たとえば、シーケンスＳの長さは、第１のＲＳＳの長さの固定の部分であり得る。代替的に、シーケンスＳの長さは、第１のＲＳＳの長さの構成可能な部分であり得る。いくつかの場合には、シーケンスＳの長さと第１のＲＳＳの長さとの間の関係が、ルックアップテーブルとして定義され得る。
【００８４】
[0093]  いくつかの場合には、信号自己相関における２次ピークを低減または拡散することにより、性能を改善し得る。第２のＲＳＳ設計は、第１のシーケンスＳと第２のシーケンスＳ*との複数の繰り返しを含み得る。いくつかの例では、第２のシーケンスＳ*は、第１のシーケンスＳの複素共役であり得る。いくつかの場合には、第２のシーケンスＳ*と、第１のシーケンスＳは、無相関であり得る。いくつかの例では、第１のシーケンスＳはＰＮシーケンスであり得る。第１のＲＳＳは、第１のシーケンスＳと第２のシーケンスＳ*との交互繰り返しを含み得る。いくつかの場合には、シーケンスＳは、第１のＲＳＳを送信する基地局によってサービスされるセルのセル識別子に基づき得る。いくつかの場合には、セルのための再同期は、第１のＲＳＳの後に送信される第２のＲＳＳを介してサポートされ得る。いくつかの例では、第２のＲＳＳは、第１のシーケンスＳと第２のシーケンスＳ*とのシーケンス長よりも長いシーケンス長を有し得る。いくつかの場合には、第２のＲＳＳのシーケンス長は、第１のＲＳＳ（第１のシーケンスＳと第２のシーケンスＳ*との複数の繰り返し）のシーケンス長よりも短くなり得る。
【００８５】
[0094]  第１のＲＳＳを受信すると、（ＵＥなどの）受信機は、受信されたＲＳＳを第１のシーケンスＳおよび第２のシーケンスＳ*と相関させることによって受信信号を検出するように構成され得る。いくつかの場合には、受信機は、第１のシーケンスＳおよび第２のシーケンスＳ*との受信信号の相関を計算するように構成され得る。いくつかの例では、第１のＲＳＳについての信号自己相関は、複数のピークを含み得る。たとえば、自己相関は、１次ピークと、複数の２次ピークとを含み得る。しかしながら、第１のＲＳＳ設計と比較されたとき、第２のＲＳＳ設計は、自己相関において交互ピークをなくす。第２のＲＳＳは、ピーク間の曖昧さを除去するために受信機によって使用され得る。第２のＲＳＳを受信すると、（ＵＥなどの）受信機は、第２のＲＳＳをさらに相関させることによって同期を実施するように構成され得る。
【００８６】
[0095]  第３のＲＳＳ設計では、ＲＳＳは、バイナリシーケンス中の０および１に従って配置された第１のシーケンスＳ１と第２のシーケンスＳ２との複数の繰り返しを含み得る。いくつかの場合には、第１のシーケンスＳ１の長さまたは第２のシーケンスＳ２の長さは、所定の長さであり得る。いくつかの場合には、第１のシーケンスＳ１または第２のシーケンスＳ２は、長さが１つのサブフレーム（たとえば、１ｍｓ）であり得る。いくつかの例では、ＲＳＳは、所定の長さであり得るか、またはその長さは、ＲＳＳ長の所定のセットから選択され得る。たとえば、ＲＳＳは、４ｍｓ、８ｍｓ、１６ｍｓ、３２ｍｓ、または４０ｍｓのうちの１つの全長を有し得る（たとえば、長さ４、８、１６、３２、または４０のバイナリシーケンス、ただし、バイナリシーケンス中の０および１は、それぞれ、第１のシーケンスＳ１と第２のシーケンスＳ２との繰り返しに対応する）。バイナリシーケンスのためにいくつかの異なるシーケンスタイプが使用され得る。たとえば、バイナリシーケンスは、ｍシーケンス、バーカーコード、ゴールドシーケンス、自己相関関数において最小サイドローブ振幅をもつコンピュータ生成シーケンス、またはそれらの組合せであり得る。いくつかの場合には、シーケンスタイプは、第１のシーケンスＳ１の長さまたはＲＳＳの長さに基づき得る。一例として、ＲＳＳの長さがしきい値よりも大きい場合、バイナリシーケンスとしてゴールドシーケンスまたはｍシーケンスが使用され得る。追加または代替として、ＲＳＳの長さがしきい値よりも小さい場合、バイナリシーケンスとして、自己相関関数において最小サイドローブ振幅をもつコンピュータ生成シーケンスが使用され得る。より詳細には、最小サイドローブ振幅をもつコンピュータ生成シーケンスは、シーケンス自己相関関数（たとえば、ハミング相関）において最も小さい「最大サイドローブ振幅（maximum side-lobe amplitude）」を有するコンピュータ生成シーケンスを含み得る。いくつかの例では、（たとえば、力まかせ探索について実現可能であるよりも大きい長さを有するシーケンスについて）所与の長さのシーケンスを決定するために、動的プログラミングまたは確率的探索技法が使用され得る。たとえば、シミュレーテッドアニーリング、モンテカルロ探索、または進化的探索などの技法が使用され得る。確率的探索は、探索分岐を選定するためにランダムまたは半ランダムルールを使用し得る。いくつかの場合には、ミニマックスプルーニング、ナイーブミニマックスプルーニング、またはアルファベータプルーニングを含む、探索ツリーをプルーニングするための分岐限定技法が使用され得る。一例では、長さ４バイナリシーケンスは｛１，０，１，１｝によって与えられることがあり、長さ８バイナリシーケンスは｛１，０，０，１，０，１，１，１｝によって与えられることがあり、長さ１６バイナリシーケンスは｛０，０，１，１，０，１，０，０，０，１，１，０，０，１，０，１｝によって与えられることがあり、長さ３２バイナリシーケンスは｛１，１，０，０，１，０，０，１，０，１，１，１，０，０，０，１，１，１，０，１，０，１，０，０，１，０，０，０，１，１，０，１｝によって与えられることがあり���長さ４０バイナリシーケンスは｛０，１，１，０，１，１，０，０，０，１，０，１，０，０，１，１，１，０，１，１，１，０，０，０，０，１，１，１，０，１，０，０，１，１，０，１，０，１，１，０｝によって与えられることがある。いくつかの場合には、このバイナリシーケンスは、セルＩＤに関する情報を搬送することもある。いくつかの例では、第２のシーケンスＳ２は、第１のシーケンスＳ１の複素共役（たとえば、上記で説明されたＳおよびＳ*）であり得る。いくつかの場合には、第２のシーケンスＳ２と、第１のシーケンスＳ１は、２つの異なる無相関シーケンス（uncorrelated sequence）であり得る。第１のＲＳＳ設計と第２のＲＳＳ設計とに関して前に説明されたように、シーケンスＳ１およびＳ２はＰＮシーケンスであり得る。いくつかの場合には、Ｓ１およびＳ２は、Ｚａｄｏｆｆ−Ｃｈｕシーケンス、コンピュータ生成シーケンスであるか、またはバイナリカバーコード（binary cover code）を使用してより小さいシーケンスを繰り返すことによって構築され得る。いくつかの場合には、第１のシーケンスＳ１と、第２のシーケンスＳ２とは、セル識別子に基づき得る。ＲＳＳを受信すると、受信機は、受信されたＲＳＳを第１のシーケンスＳ１および第２のシーケンスＳ２と相関させることによって受信信号を検出するように構成され得る。いくつかの場合には、第３のＲＳＳ設計は、第２のＲＳＳ（たとえば、より長いシーケンス長を有する第２のＲＳＳ）の必要をなくし得る。いくつかの場合には、第３のＲＳＳ設計は、計算複雑さを増加させることなしに受信機の最高２×高速な再捕捉時間（re-acquisition time）を導き得る。したがって、このより高速な再捕捉時間は、省電力化およびレイテンシの利益を生じる。
【００８７】
[0096]  本開示のいくつかの態様によれば、基地局は、信号（たとえば、ＲＳＳ、ＷＵＳ）を時間周波数リソースブロックのリソース要素の第１のサブセットに、および基準信号（たとえば、セル固有基準信号（ＣＲＳ：cell-specific reference signal））のセットを時間周波数リソースブロックのリソース要素の第２のサブセットにマッピングし得る。いくつかの場合には、第１の電力比（ρA）は、ＣＲＳを含まないシンボル期間のための基準信号のセットとデータチャネルのリソース要素との間の電力比として構成されてよく、第２の電力比（ρB）は、ＣＲＳを含むシンボル期間のための基準信号のセットとデータチャネルのリソース要素との間の電力比として構成され得る。いくつかの場合には、ＵＥは、基準信号のセットのアンテナポートの数に基づいてリソース要素の第１のサブセットの各々と基準信号のセットとの間の電力比の関数を決定し得る。たとえば、関数は、第１の電力比によって第２の電力比を正規化することを含み得る。代替的に、関数は、第１の電力比と第２の電力比との最小値、または第１の電力比と第２の電力比との最大値を含み得る。いくつかの例では、関数は、第１のスケーリングファクタとの第１の電力比の積と、第２のスケーリングファクタとの第２の電力比の積との和を含み得る。
【００８８】
[0097]  本開示の態様について、初めにワイヤレス通信システムのコンテキストにおいて説明される。より詳細には、本開示の態様は、再同期信号設計をサポートする方法を対象とする。本開示の態様は、再同期信号設計に関係する装置図、システム図、およびフローチャートによってさらに示され、それらを参照しながら説明される。
【００８９】
[0098]  図１は、本開示の様々な態様によるワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）ネットワーク、ＬＴＥアドバンスト（ＬＴＥ−Ａ）ネットワーク、ＬＴＥ−Ａプロネットワーク、または新無線（ＮＲ）ネットワークであり得る。いくつかの場合には、ワイヤレス通信システム１００は、拡張ブロードバンド通信、超高信頼（たとえば、ミッションクリティカル）通信、低レイテンシ通信、または低コストおよび低複雑度デバイスを用いた通信をサポートし得る。
【００９０】
[0099]  基地局１０５は、１つまたは複数の基地局アンテナを介してＵＥ１１５とワイヤレスに通信し得る。本明細書で説明される基地局１０５は、基地トランシーバ局、無線基地局、アクセスポイント、無線トランシーバ、ノードＢ、ｅノードＢ（ｅＮＢ）、（いずれもｇＮＢと呼ばれることがある）次世代ノードＢもしくはギガノードＢ、ホームノードＢ、ホームｅノードＢ、または何らかの他の好適な用語を含み得るか、または当業者によってそれらで呼ばれることがある。ワイヤレス通信システム１００は、異なるタイプの基地局１０５（たとえば、マクロセル基地局またはスモールセル基地局）を含み得る。本明細書で説明されるＵＥ１１５は、マクロｅＮＢ、スモールセルｅＮＢ、ｇＮＢ、リレー基地局などを含む様々なタイプの基地局１０５およびネットワーク機器と通信することが可能であり得る。
【００９１】
[0100]  各基地局１０５は、様々なＵＥ１１５との通信がサポートされる特定の地理的カバレージエリア１１０に関連付けられ得る。各基地局１０５は、通信リンク１２５を介してそれぞれの地理的カバレージエリア１１０に通信カバレージを提供し得、基地局１０５とＵＥ１１５との間の通信リンク１２５は、１つまたは複数のキャリアを利用し得る。ワイヤレス通信システム１００に示されている通信リンク１２５は、ＵＥ１１５から基地局１０５へのアップリンク送信、または基地局１０５からＵＥ１１５へのダウンリンク送信を含み得る。ダウンリンク送信は順方向リンク送信と呼ばれることもあり、一方、アップリンク送信は逆方向リンク送信と呼ばれることもある。
【００９２】
[0101]  基地局１０５のための地理的カバレージエリア１１０は、地理的カバレージエリア１１０の一部分のみを構成するセクタに分割され得、各セクタはセルに関連付けられ得る。たとえば、各基地局１０５は、マクロセル、スモールセル、ホットスポット、もしくは他のタイプのセル、またはそれらの様々な組合せに通信カバレージを提供し得る。いくつかの例では、基地局１０５は可動であり得、したがって、移動する地理的カバレージエリア１１０に通信カバレージを提供し得る。いくつかの例では、異なる技術に関連する異なる地理的カバレージエリア１１０は、重複することがあり、異なる技術に関連する重複する地理的カバレージエリア１１０は、同じ基地局１０５によってまたは異なる基地局１０５によってサポートされ得る。ワイヤレス通信システム１００は、たとえば、異なるタイプの基地局１０５が様々な地理的カバレージエリア１１０にカバレージを提供する異種ＬＴＥ／ＬＴＥ−Ａ／ＬＴＥ−ＡプロまたはＮＲネットワークを含み得る。
【００９３】
[0102]  「セル（cell）」という用語は、（たとえば、キャリアを介した）基地局１０５との通信のために使用される論理的通信エンティティを指し、同じまたは異なるキャリアを介して動作する近隣セルを区別するための識別子（たとえば、物理セル識別子（ＰＣＩＤ：physical cell identifier）、仮想セル識別子（ＶＣＩＤ：virtual cell identifier））に関連付けられ得る。いくつかの例では、キャリアは複数のセルをサポートし得、異なるセルは、異なるタイプのデバイスにアクセスを提供し得る異なるプロトコルタイプ（たとえば、マシンタイプ通信（ＭＴＣ：machine-type communication）、狭帯域モノのインターネット（ＮＢ−ＩｏＴ）、拡張モバイルブロードバンド（ｅＭＢＢ：enhanced mobile broadband）など）に従って構成され得る。いくつかの場合には、「セル」という用語は、論理エンティティがその上で動作する地理的カバレージエリア１１０の一部分（たとえば、セクタ）を指すことがある。
【００９４】
[0103]  ＵＥ１１５は、ワイヤレス通信システム１００全体にわたって分散され得、各ＵＥ１１５は固定または移動であり得る。ＵＥ１１５は、モバイルデバイス、ワイヤレスデバイス、リモートデバイス、ハンドヘルドデバイス、もしくは加入者デバイス、または何らかの他の好適な用語で呼ばれることもあり、ここで、「デバイス」は、ユニット、局、端末、またはクライアントと呼ばれることもある。ＵＥ１１５はまた、セルラーフォン、携帯情報端末（ＰＤＡ）、タブレットコンピュータ、ラップトップコンピュータ、またはパーソナルコンピュータなどのパーソナル電子デバイスであり得る。いくつかの例では、ＵＥ１１５は、器具、車両、メーターなどの様々な物品中で実装され得る、ワイヤレスローカルループ（ＷＬＬ）局、モノのインターネット（ＩｏＴ）デバイス、あらゆるモノのインターネット（ＩｏＥ）デバイス、またはＭＴＣデバイスなどを指すこともある。
【００９５】
[0104]  ＭＴＣデバイスまたはＩｏＴデバイスなど、いくつかのＵＥ１１５は、低コストまたは低複雑度デバイスであり得、（たとえば、マシンツーマシン（Ｍ２Ｍ）通信を介した）マシン間の自動通信を提供し得る。Ｍ２Ｍ通信またはＭＴＣは、デバイスが人間の介入なしに互いにまたは基地局１０５と通信することを可能にするデータ通信技術を指すことがある。いくつかの例では、Ｍ２Ｍ通信またはＭＴＣは、情報を測定またはキャプチャするためにセンサーまたはメーターを組み込み、情報を利用することができる中央サーバもしくはアプリケーションプログラムにその情報を中継するか、またはプログラムもしくはアプリケーションと対話している人間に情報を提示するデバイスからの通信を含み得る。いくつかのＵＥ１１５は、情報を収集するか、またはマシンの自動化された挙動を可能にするように設計され得る。ＭＴＣデバイスのための適用例の例は、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネス課金を含む。
【００９６】
[0105]  いくつかのＵＥ１１５は、半二重通信などの電力消費量を低減する動作モード（たとえば、送信と受信とを同時にではなく、送信または受信を介した一方向通信をサポートするモード）を採用するように構成され得る。いくつかの例では、半二重通信は、低減されたピークレートで実施され得る。ＵＥ１１５のための他の電力節約技法は、アクティブ通信に関与していないときに省電力「ディープスリープ（deep sleep）」モードに入ること、または（たとえば、狭帯域通信に従って）制限された帯域幅上で動作することを含む。いくつかの場合には、ＵＥ１１５は、重要な機能（たとえば、ミッションクリティカルな機能）をサポートするように設計され得、ワイヤレス通信システム１００は、これらの機能に超高信頼通信を提供するように構成され得る。
【００９７】
[0106]  いくつかの場合には、ＵＥ１１５は、（たとえば、ピアツーピア（Ｐ２Ｐ：peer-to-peer）またはデバイス間（Ｄ２Ｄ：device-to-device）プロトコルを使用して）他のＵＥ１１５と直接通信することも可能であり得る。Ｄ２Ｄ通信を利用するＵＥ１１５のグループのうちの１つまたは複数は、基地局１０５の地理的カバレージエリア１１０内にあり得る。そのようなグループ中の他のＵＥ１１５は、基地局１０５の地理的カバレージエリア１１０外にあるか、またはさもなければ、基地局１０５からの送信を受信することができないことがある。いくつかの場合には、Ｄ２Ｄ通信を介して通信するＵＥ１１５のグループは、各ＵＥ１１５がグループ中のあらゆる他のＵＥ１１５に送信する１対多（１：Ｍ）システムを利用し得る。いくつかの場合には、基地局１０５は、Ｄ２Ｄ通信のためのリソースのスケジューリングを促進する。他の場合には、Ｄ２Ｄ通信は、基地局１０５の関与なしにＵＥ１１５間で行われる。
【００９８】
[0107]  基地局１０５は、コアネットワーク１３０とおよび互いに通信し得る。たとえば、基地局１０５は、バックホールリンク１３２を通して（たとえば、Ｓ１または他のインターフェースを介して）コアネットワーク１３０とインターフェースし得る。基地局１０５は、直接的に（たとえば、基地局１０５間で直接的に）あるいは間接的に（たとえば、コアネットワーク１３０を介して）バックホールリンク１３４を介して（たとえば、Ｘ２または他のインターフェースを介して）互いに通信し得る。
【００９９】
[0108]  コアネットワーク１３０は、ユーザ認証と、アクセス許可と、トラッキングと、インターネットプロトコル（ＩＰ）接続性と、他のアクセス、ルーティング、またはモビリティ機能とを提供し得る。コアネットワーク１３０は、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含み得る、発展型パケットコア（ＥＰＣ）であり得る。ＭＭＥは、ＥＰＣに関連付けられた基地局１０５によってサービスされるＵＥ１１５のためのモビリティ、認証、およびベアラ管理などの非アクセス層（たとえば、制御プレーン）機能を管理し得る。ユーザＩＰパケットは、それ自体がＰ−ＧＷに接続され得るＳ−ＧＷを通して転送され得る。Ｐ−ＧＷは、ＩＰアドレス割振りならびに他の機能を提供し得る。Ｐ−ＧＷは、ネットワーク事業者ＩＰサービスに接続され得る。事業者ＩＰサービスは、インターネット、イントラネット、ＩＰマルチメディアサブシステム（ＩＭＳ）、またはパケット交換（ＰＳ）ストリーミングサービスに対するアクセスを含み得る。
【０１００】
[0109]  基地局１０５など、ネットワークデバイスのうちの少なくともいくつかは、アクセスノードコントローラ（ＡＮＣ）の一例であり得る、アクセスネットワークエンティティなどの副構成要素を含み得る。各アクセスネットワークエンティティは、無線ヘッド、スマート無線ヘッド、または送信／受信ポイント（ＴＲＰ）と呼ばれることがある、いくつかの他のアクセスネットワーク送信エンティティを通してＵＥ１１５と通信し得る。いくつかの構成では、各アクセスネットワークエンティティまたは基地局１０５の様々な機能は、様々なネットワークデバイス（たとえば、無線ヘッドおよびアクセスネットワークコントローラ）にわたって分散されるか、または単一のネットワークデバイス（たとえば、基地局１０５）に統合され得る。
【０１０１】
[0110]  ワイヤレス通信システム１００は、一般に３００ＭＨｚから３００ＧＨｚの範囲内の、１つまたは複数の周波数帯域を使用して動作し得る。概して、３００ＭＨｚから３ＧＨｚまでの領域は、波長が約１デシメートルから１メートルまでの長さの範囲にあるので、極超短波（ＵＨＦ）領域またはデシメートル帯域として知られている。ＵＨＦ波は、建築物および環境特徴によってブロックまたはリダイレクトされることがある。しかしながら、波は、マクロセルが屋内に位置するＵＥ１１５にサービスを提供するために構造を十分に透過し得る。ＵＨＦ波の送信は、３００ＭＨｚを下回るスペクトルの短波（ＨＦ）または超短波（ＶＨＦ）部分のより小さい周波数およびより長い波を使用する送信と比較してより小さいアンテナおよびより短い距離（たとえば、１００ｋｍ未満）に関連付けられ得る。
【０１０２】
[0111]  ワイヤレス通信システム１００はまた、センチメートル帯域としても知られる３ＧＨｚから３０ＧＨｚまでの周波数帯域を使用して超高周波（ＳＨＦ：Super High Frequency）領域において動作し得る。ＳＨＦ領域は、他のユーザからの干渉を許容することができるデバイスによって機会主義的に使用され得る、５ＧＨｚ産業科学医療用（ＩＳＭ）帯域などの帯域を含む。
【０１０３】
[0112]  ワイヤレス通信システム１００はまた、ミリメートル帯域としても知られる（たとえば、３０ＧＨｚから３００ＧＨｚまでの）スペクトルの極高周波（ＥＨＦ：extremely high frequency）領域において動作し得る。いくつかの例では、ワイヤレス通信システム１００は、ＵＥ１１５と基地局１０５との間のミリメートル波（ｍｍＷ）通信をサポートし得、それぞれのデバイスのＥＨＦアンテナは、ＵＨＦアンテナよりもさらに小さく、さらに狭い間隔にあり得る。いくつかの場合には、これは、ＵＥ１１５内でのアンテナアレイの使用を容易にし得る。しかしながら、ＥＨＦ送信の伝搬は、ＳＨＦまたはＵＨＦ送信よりも一層大きい大気減衰を受け、距離が短くなり得る。本明細書で開示される技法は、１つまたは複数の異なる周波数領域を使用する送信にわたって採用され得、これらの周波数領域にわたる帯域の指定された使用は、国または規制団体によって異なり得る。
【０１０４】
[0113]  いくつかの場合には、ワイヤレス通信システム１００は、認可無線周波数スペクトル帯域と無認可無線周波数スペクトル帯域の両方を利用し得る。たとえば、ワイヤレス通信システム１００は、５ＧＨｚ  ＩＳＭ帯域などの無認可帯域中でライセンス支援型アクセス（ＬＡＡ：License Assisted Access）、ＬＴＥ無認可（ＬＴＥ−Ｕ）無線アクセス技術、またはＮＲ技術を採用し得る。無認可無線周波数スペクトル帯域中で動作するとき、基地局１０５およびＵＥ１１５などのワイヤレスデバイスは、データを送信する前に周波数チャネルがクリアであることを保証するために、リッスンビフォアトーク（ＬＢＴ：listen-before-talk）手順を採用し得る。いくつかの場合には、無認可帯域中の動作は、認可帯域（たとえば、ＬＡＡ）中で動作するＣＣとともに、ＣＡ構成に基づき得る。無認可スペクトル中の動作は、ダウンリンク送信、アップリンク送信、ピアツーピア送信、またはこれらの組合せを含み得る。無認可スペクトル中の複信は、周波数分割複信（ＦＤＤ）、時分割複信（ＴＤＤ）、またはその両方の組合せに基づき得る。
【０１０５】
[0114]  いくつかの例では、基地局１０５またはＵＥ１１５は、送信ダイバーシティ、受信ダイバーシティ、多入力多出力（ＭＩＭＯ）通信、またはビームフォーミングなどの技法を採用するために使用され得る、複数のアンテナを装備され得る。たとえば、ワイヤレス通信システム１００は、送信デバイス（たとえば、基地局１０５）と受信デバイス（たとえば、ＵＥ１１５）との間で送信方式を使用し得、ここで、送信デバイスは、複数のアンテナを装備され、受信デバイスは、１つまたは複数のアンテナを装備される。ＭＩＭＯ通信は、空間多重化と呼ばれることがある異なる空間レイヤを介して複数の信号を送信または受信することによってスペクトル効率を増加させるためにマルチパス信号伝搬を採用し得る。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム（たとえば、同じコードワード）または異なるデータストリームに関連付けられたビットを搬送し得る。異なる空間レイヤは、チャネル測定および報告のために使用される異なるアンテナポートに関連付けられ得る。ＭＩＭＯ技法は、複数の空間レイヤが同じ受信デバイスに送信されるシングルユーザＭＩＭＯ（ＳＵ−ＭＩＭＯ）と、複数の空間レイヤが複数のデバイスに送信されるマルチユーザＭＩＭＯ（ＭＵ−ＭＩＭＯ）とを含む。
【０１０６】
[0115]  空間フィルタ処理、指向性送信、または指向性受信と呼ばれることもあるビームフォーミングは、送信デバイスと受信デバイスとの間の空間経路に沿ってアンテナビーム（たとえば、送信ビームまたは受信ビーム）を成形または誘導するために送信デバイスまたは受信デバイス（たとえば、基地局１０５またはＵＥ１１５）において使用され得る信号処理技法である。ビームフォーミングは、アンテナアレイに対して特定の向きに伝搬する信号が強め合う干渉を受ける一方で他のものが弱め合う干渉を受けるようにアンテナアレイのアンテナ要素を介して通信される信号を組み合わせることによって達成され得る。アンテナ要素を介して通信される信号の調整は、送信デバイスまたは受信デバイスが、デバイスに関連付けられたアンテナ要素の各々を介して搬送される信号に特定の振幅と位相オフセットとを適用することを含み得る。アンテナ要素の各々に関連付けられた調整は、（たとえば、送信デバイスもしくは受信デバイスのアンテナアレイに対して、または何らかの他の向きに対して）特定の向きに関連付けられたビームフォーミング重みセットによって定義され得る。
【０１０７】
[0116]  一例では、基地局１０５は、ＵＥ１１５との指向性通信のためのビームフォーミング動作を行うために、複数のアンテナまたはアンテナアレイを使用し得る。たとえば、いくつかの信号（たとえば、同期信号、基準信号、ビーム選択信号、または他の制御信号）は、様々な方向に複数回基地局１０５によって送信されてよく、それらは、様々な送信方向に関連付けられた様々なビームフォーミング重みセットに従って送信される信号を含み得る。様々なビーム方向における送信は、基地局１０５による後続の送信および／または受信のためのビーム方向を（たとえば、基地局１０５、またはＵＥ１１５などの受信デバイスによって）識別するために使用され得る。特定の受信デバイスに関連付けられたデータ信号などのいくつかの信号は、単一のビーム方向（たとえば、ＵＥ１１５などの受信デバイスに関連付けられた方向）に基地局１０５によって送信され得る。いくつかの例では、単一のビーム方向に沿った送信に関連付けられたビーム方向は、様々なビーム方向に送信された信号に少なくとも部分的に基づいて決定され得る。たとえば、ＵＥ１１５は、様々な方向に基地局１０５によって送信された信号のうちの１つまたは複数を受信し得、ＵＥ１１５は、最高の信号品質または別様の許容できる信号品質でそれが受信した信号のインジケーションを基地局１０５に報告し得る。これらの技法について、基地局１０５によって１つまたは複数の方向に送信される信号に関して説明されたが、ＵＥ１１５は、（たとえば、ＵＥ１１５による後続の送信または受信のためのビーム方向を識別するために）様々な方向に複数回信号を送信すること、または（たとえば、受信デバイスにデータを送信するために）単一の方向に信号を送信することを行うために同様の技法を採用し得る。
【０１０８】
[0117]  受信デバイス（たとえば、ｍｍＷ受信デバイスの一例であり得るＵＥ１１５）は、同期信号、基準信号、ビーム選択信号、または他の制御信号など、基地局１０５からの様々な信号を受信するときに複数の受信ビームを試み得る。たとえば、受信デバイスは、様々なアンテナサブアレイを介して受信することによって、様々なアンテナサブアレイに従って受信信号を処理することによって、アンテナアレイの複数のアンテナ要素において受信された信号に適用された様々な受信ビームフォーミング重みセットに従って受信することによって、またはアンテナアレイの複数のアンテナ要素において受信された信号に適用された様々な受信ビームフォーミング重みセットに従って受信信号を処理することによって、複数の受信方向を試みることができ、それらのいずれも、様々な受信ビームまたは受信方向に従って「リッスンすること（listening）」と呼ばれることがある。いくつかの例では、受信デバイスは、（たとえば、データ信号を受信するときに）単一のビーム方向に沿って受信するために単一の受信ビームを使用し得る。単一の受信ビームは、様々な受信ビーム方向（たとえば、複数のビーム方向に従ってリッスンすることに基づいて最も高い信号強度、最も高い信号対雑音比、またはさもなければ許容できる信号品質を有すると決定されたビーム方向）に従ってリッスンすることに基づいて決定されたビーム方向に整列され得る。
【０１０９】
[0118]  いくつかの場合には、基地局１０５またはＵＥ１１５のアンテナは、ＭＩＭＯ動作または送信もしくは受信ビームフォーミングをサポートし得る１つまたは複数のアンテナアレイ内に位置し得る。たとえば、１つまたは複数の基地局アンテナまたはアンテナアレイは、アンテナタワーなどのアンテナアセンブリにおいてコロケートされ得る。いくつかの場合には、基地局１０５に関連するアンテナまたはアンテナアレイは、多様な地理的ロケーションに位置し得る。基地局１０５は、ＵＥ１１５との通信のビームフォーミングをサポートするために基地局１０５が使用し得るアンテナポートのいくつかの行および列をもつアンテナアレイを有し得る。同様に、ＵＥ１１５は、様々なＭＩＭＯまたはビームフォーミング動作をサポートし得る１つまたは複数のアンテナアレイを有し得る。
【０１１０】
[0119]  いくつかの場合には、ワイヤレス通信システム１００は、階層化プロトコルスタックに従って動作するパケットベースのネットワークであり得る。ユーザプレーンでは、ベアラまたはパケットデータコンバージェンスプロトコル（ＰＤＣＰ）レイヤにおける通信はＩＰベースであり得る。無線リンク制御（ＲＬＣ）レイヤは、いくつかの場合には、論理チャネル上で通信するためにパケットセグメンテーションおよびリアセンブリを実施し得る。媒体アクセス制御（ＭＡＣ）レイヤは、優先度処理と、トランスポートチャネルへの論理チャネルの多重化とを実施し得る。ＭＡＣレイヤはまた、リンク効率を改善するために、ＭＡＣレイヤにおいて再送信を行うためにハイブリッド自動再送要求（ＨＡＲＱ）を使用し得る。制御プレーンでは、無線リソース制御（ＲＲＣ）プロトコルレイヤは、ユーザプレーンデータのための無線ベアラをサポートする、ＵＥ１１５と基地局１０５またはコアネットワーク１３０との間のＲＲＣ接続の確立と構成と維持とを行い得る。物理（ＰＨＹ）レイヤにおいて、トランスポートチャネルは物理チャネルにマッピングされ得る。
【０１１１】
[0120]  いくつかの場合には、ＵＥ１１５および基地局１０５は、データが正常に受信される可能性を増加させるためにデータの再送信をサポートし得る。ＨＡＲＱフィードバックは、データが通信リンク１２５を介して正しく受信される可能性を増加させる１つの技法である。ＨＡＲＱは、（たとえば、巡回冗長検査（ＣＲＣ）を使用する）誤り検出と、前方誤り訂正（ＦＥＣ）と、再送信（たとえば、自動再送要求（ＡＲＱ））との組合せを含み得る。ＨＡＲＱは、劣悪な無線状態（たとえば、信号対雑音状態）でのＭＡＣレイヤにおけるスループットを改善し得る。いくつかの場合には、ワイヤレスデバイスは、デバイスがスロット中の前のシンボル中で受信されたデータ用の特定のスロット中でＨＡＲＱフィードバックを実現し得る、同一スロットＨＡＲＱフィードバックをサポートし得る。他の場合には、デバイスは、後続のスロット中でまたは何らかの他の時間間隔に従ってＨＡＲＱフィードバックを実現し得る。
【０１１２】
[0121]  ＬＴＥまたはＮＲにおける時間間隔は、たとえば、Ｔs＝１／３０，７２０，０００秒のサンプリング周期を指す基本時間単位の倍数で表され得る。通信リソースの時間間隔は、各々が１０ミリ秒（ｍｓ）の持続時間を有する無線フレームに従って編成され得、ここで、フレーム周期は、Ｔf＝３０７，２００Ｔsとして表され得る。無線フレームは、０から１０２３にわたるシステムフレーム番号（ＳＦＮ：system frame number）によって識別され得る。各フレームは、０から９まで番号付けされた１０個のサブフレームを含み得、各サブフレームは、１ｍｓの持続時間を有し得る。サブフレームは、各々が０．５ｍｓの持続時間を有する２つのスロットにさらに分割され得、各スロットは、（たとえば、各シンボル期間にプリペンドされたサイクリックプレフィックスの長さに応じて）６つまたは７つの変調シンボル期間を含んでいてよい。サイクリックプレフィックスを除いて、各シンボル期間は２０４８個のサンプル期間を含んでよい。いくつかの場合には、サブフレームは、ワイヤレス通信システム１００の最も小さいスケジューリングユニットであり得、送信時間間隔（ＴＴＩ：transmission time interval）と呼ばれることがある。他の場合には、ワイヤレス通信システム１００の最も小さいスケジューリングユニットは、サブフレームよりも短くなり得るか、あるいは（たとえば、短縮ＴＴＩ（ｓＴＴＩ）のバースト中でまたはｓＴＴＩを使用する選択されたコンポーネントキャリア（component carrier）中で）動的に選択され得る。
【０１１３】
[0122]  いくつかのワイヤレス通信システムでは、スロットは、１つまたは複数のシンボルを含んでいる複数のミニスロットにさらに分割され得る。場合によっては、ミニスロットのシンボルまたはミニスロットは、スケジューリングの最も小さい単位であり得る。たとえば、各シンボルは、サブキャリア間隔または動作周波数帯域に応じて持続時間において変化し得る。さらに、いくつかのワイヤレス通信システムは、複数のスロットまたはミニスロットが互いにアグリゲートされ、ＵＥ１１５と基地局１０５との間の通信のために使用されるスロットアグリゲーションを実装し得る。
【０１１４】
[0123]  「キャリア（carrier）」という用語は、通信リンク１２５を介した通信をサポートするための定義された物理レイヤ構造を有する無線周波数スペクトルリソースのセットを指す。たとえば、通信リンク１２５のキャリアは、所与の無線アクセス技術のための物理レイヤチャネルに従って動作する無線周波数スペクトル帯域の一部分を含み得る。各物理レイヤチャネルは、ユーザデータ、制御情報、または他のシグナリングを搬送し得る。キャリアは、あらかじめ定義された周波数チャネル（たとえば、Ｅ−ＵＴＲＡ絶対無線周波数チャネル番号（ＥＡＲＦＣＮ））に関連付けられ得、ＵＥ１１５による発見のためのチャネルラスタに従って配置され得る。キャリアは、（たとえば、ＦＤＤモードで）ダウンリンクまたはアップリンクであり得るか、あるいは（たとえば、ＴＤＤモードで）ダウンリンクおよびアップリンク通信を搬送するように構成され得る。いくつかの例では、キャリアを介して送信される信号波形は、（たとえば、ＯＦＤＭまたはＤＦＴ−ｓ−ＯＦＤＭなどのマルチキャリア変調（ＭＣＭ）技法を使用して）複数のサブキャリアから構成され得る。
【０１１５】
[0124]  キャリアの編成構造は、異なる無線アクセス技術（たとえば、ＬＴＥ、ＬＴＥ−Ａ、ＬＴＥ−Ａプロ、ＮＲなど）では異なり得る。たとえば、キャリアを介した通信は、ＴＴＩまたはスロットに従って編成され得、それらの各々は、ユーザデータならびにユーザデータを復号するのをサポートするための制御情報またはシグナリングを含み得る。キャリアはまた、キャリアのための動作を協調させる専用の捕捉シグナリング（acquisition signaling）（たとえば、同期信号またはシステム情報など）と制御シグナリングとを含み得る。いくつかの例では（たとえば、キャリアアグリゲーション構成では）、キャリアはまた、他のキャリアのための動作を協調させる捕捉シグナリングまたは制御シグナリングを有し得る。
【０１１６】
[0125]  物理チャネルは、様々な技法に従ってキャリア上で多重化され得る。物理制御チャネルと物理データチャネルとは、たとえば、時分割多重化（ＴＤＭ）技法、周波数分割多重化（ＦＤＭ）技法、またはハイブリッドＴＤＭ−ＦＤＭ技法を使用して、ダウンリンクキャリア上で多重化され得る。いくつかの例では、物理制御チャネル中で送信される制御情報は、カスケード方式で異なる制御領域間で（たとえば、共通制御領域または共通探索空間と、１つまたは複数のＵＥ固有制御領域またはＵＥ固有探索空間との間で）分散され得る。
【０１１７】
[0126]  キャリアは、無線周波数スペクトルの特定の帯域幅に関連付けられ得、いくつかの例では、キャリア帯域幅は、キャリアまたはワイヤレス通信システム１００の「システム帯域幅」と呼ばれることがある。たとえば、キャリア帯域幅は、特定の無線アクセス技術のキャリアのためのいくつかの所定の帯域幅（たとえば、１．４、３、５、１０、１５、２０、４０、または８０ＭＨｚ）のうちの１つであり得る。いくつかの例では、各サービスされるＵＥ１１５は、キャリア帯域幅の部分またはすべてを介して動作するために構成され得る。他の例では、いくつかのＵＥ１１５は、キャリア内のあらかじめ定義された部分または範囲（たとえば、サブキャリアまたはＲＢのセット）に関連付けられる狭帯域プロトコルタイプを使用した動作（たとえば、狭帯域プロトコルタイプの「帯域内（in-band）」展開）のために構成され得る。
【０１１８】
[0127]  ＭＣＭ技法を採用するシステムでは、リソース要素は、１つのシンボル期間（たとえば、１つの変調シンボルの持続時間）と、１つのサブキャリアとを含んでよく、ここで、シンボル期間とサブキャリア間隔は逆関係にある。各リソース要素によって搬送されるビット数は、変調方式（たとえば、変調方式の次数）に依存し得る。したがって、ＵＥ１１５が受信するリソース要素が多いほど、また変調方式の次数が高いほど、ＵＥ１１５のデータレートは高くなり得る。ＭＩＭＯシステムでは、ワイヤレス通信リソースは、無線周波数スペクトルリソース、時間リソース、および空間リソース（たとえば、空間レイヤ）の組合せを指すことがあり、複数の空間レイヤの使用は、ＵＥ１１５との通信のためのデータレートをさらに増加させ得る。
【０１１９】
[0128]  ワイヤレス通信システム１００のデバイス（たとえば、基地局１０５またはＵＥ１１５）は、特定のキャリア帯域幅を介した通信をサポートするハードウェア構成を有し得るか、またはキャリア帯域幅のセットのうちの１つを介した通信をサポートするように構成可能であり得る。いくつかの例では、ワイヤレス通信システム１００は、２つ以上の異なるキャリア帯域幅に関連するキャリアを介した同時通信をサポートすることができる基地局１０５および／またはＵＥを含み得る。
【０１２０】
[0129]  ワイヤレス通信システム１００は、複数のセルまたはキャリア上でのＵＥ１１５との通信、キャリアアグリゲーション（ＣＡ：carrier aggregation）またはマルチキャリア動作と呼ばれることがある特徴をサポートし得る。ＵＥ１１５は、キャリアアグリゲーション構成に従って複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【０１２１】
[0130]  いくつかの場合には、ワイヤレス通信システム１００は、拡張コンポーネントキャリア（ｅＣＣ：enhanced component carrier）を利用し得る。ｅＣＣは、より広いキャリアもしくは周波数チャネル帯域幅、より短いシンボル持続時間、より短いＴＴＩ持続時間、または修正された制御チャネル構成を含む１つまたは複数の特徴によって特徴づけられ得る。いくつかの場合には、ｅＣＣは、（たとえば、複数のサービングセルが準最適または非理想バックホールリンクを有するときに）キャリアアグリゲーション構成またはデュアル接続性構成に関連付けられ得る。ｅＣＣはまた、（たとえば、２つ以上の事業者がスペクトルを使用することを許可された場合）無認可スペクトルまたは共有スペクトル中で使用するために構成され得る。広いキャリア帯域幅によって特徴付けられるｅＣＣは、キャリア帯域幅全体を監視することが可能でないか、またはさもなければ（たとえば、電力を節約するために）限られたキャリア帯域幅を使用するように構成されたＵＥ１１５によって利用され得る１つまたは複数のセグメントを含み得る。
【０１２２】
[0131]  いくつかの場合には、ｅＣＣは、他のＣＣとは異なるシンボル持続時間を利用し得、これは、他のＣＣのシンボル持続時間と比較して低減されたシンボル持続時間の使用を含み得る。より短いシンボル持続時間は、隣接するサブキャリア間の増加した間隔に関連付けられ得る。ｅＣＣを利用する、ＵＥ１１５または基地局１０５などのデバイスは、低減されたシンボル持続時間（たとえば、１６．６７マイクロ秒）で（たとえば、２０、４０、６０、８０ＭＨｚなどの周波数チャネルまたはキャリア帯域幅に従って）広帯域信号を送信し得る。ｅＣＣ中のＴＴＩは、１つまたは複数のシンボル期間を含み得る。いくつかの場合には、ＴＴＩ持続時間（すなわち、ＴＴＩ中のシンボル期間の数）は可変であってよい。
【０１２３】
[0132]  ＮＲシステムなどのワイヤレス通信システムは、特に、認可スペクトル帯域、共有スペクトル帯域、および無認可スペクトル帯域の任意の組合せを利用し得る。ｅＣＣシンボル持続時間およびサブキャリア間隔の柔軟性は、複数のスペクトルにわたってｅＣＣの使用を可能にし得る。いくつかの例では、ＮＲ共有スペクトルは、詳細には、リソースの動的な垂直（たとえば、周波数にわたる）共有と水平（たとえば、時間にわたる）共有とを通して、スペクトル利用率とスペクトル効率とを増加させ得る。
【０１２４】
[0133]  セルにサービスする基地局１０５のうちの１つまたは複数は、第１の周期性に従ってセルのための第１の同期信号を送信し得る。基地局１０５は、第１の周期性とは異なる第２の周期性に従ってセルのための第２の同期信号を送信し得る。いくつかの場合には、第２の同期信号は、セルのセル識別子に基づく第１のシーケンスの複数の繰り返しを含み得る。いくつかの場合には、第２の同期信号はＲＳＳと呼ばれることがある。いくつかの例では、基地局１０５は、第１の同期信号または第２の同期信号の送信に基づいてセルを介して少なくとも１つのＵＥ１１５と通信し得る。
【０１２５】
[0134]  本開示の１つまたは複数の態様によれば、ＵＥ１１５は、セルと同期するための第１の同期信号を受信し得る。いくつかの場合には、セルにサービスする基地局１０５によって第１の周期性に従って送信される第１の同期信号。いくつかの例では、ＵＥ１１５は、同期することの後に、セルと再同期するための第２の同期信号を受信し得る。いくつかの場合には、第１の周期性とは異なる第２の周期性に従って基地局１０５によって送信される第２の同期信号。さらに、いくつかの場合には、第２の同期信号は、セルのセル識別子に基づく第１のシーケンスの複数の繰り返しを含み得る。ＵＥ１１５は、次いで、再同期することに基づいてセルを介して基地局１０５と通信し得る。
【０１２６】
[0135]  図２は、本開示の様々な態様による再同期信号設計をサポートするワイヤレス通信システム２００の一例を示す。いくつかの例では、ワイヤレス通信システム２００は、ワイヤレス通信システム１００の態様を実装し得る。いくつかの例では、ワイヤレス通信システム２００は、図１を参照しながら説明された対応するデバイスの例であり得る、基地局１０５−ａとＵＥ１１５−ａとを含み得る。ＵＥ１１５−ａは、カバレージエリア１１０−ａ内の基地局１０５−ａと通信し得る。
【０１２７】
[0136]  いくつかの例では、基地局１０５−ａは、ＵＥ１１５−ａとともにセル捕捉手順（cell acquisition procedure）を実施するために同期信号を利用し得る。たとえば、ＵＥ１１５−ａは、セルと同期するためにＰＳＳとＳＳＳとを利用し得る。一例では、同期信号は、セルのためにキャリア２０５を介して送信され得る。同期信号は、同期シーケンスを使用して伝達され得る。いくつかの場合には、ＵＥ１１５−ａは、基地局１０５−ａによってサービスされるセルと同期するための同期信号（たとえば、ＰＳＳ／ＳＳＳ）を受信し得る。いくつかの例では、ＵＥ１１５−ａは、基地局１０５−ａによって第１の周期性に従って送信された同期信号２１０を受信し得る。図２の例では、ＵＥ１１５−ａは、その後、第１の周期性に従って、同期信号の第１のインスタンス２１０−ａと、同期信号の第２のインスタンス２１０−ｂと、同期信号の第３のインスタンス２１０−ｃとを受信し得る。いくつかの場合には、同期信号２１０は、タイミング同期と、セル識別子の検出とのためにＵＥ１１５−ａによって使用され得る。たとえば、ＵＥ１１５−ａは、基地局１０５−ａによってサービスされるセルに関連する識別子を決定するために同期信号２１０を利用し得る。
【０１２８】
[0137]  いくつかの場合には、ＵＥ１１５−ａは、セルに関連するシステム情報（図示されず）を受信するように構成され得る。たとえば、同期信号を受信した後に、システム情報は、システム情報ブロック（ＳＩＢ）の形態で受信され得る。ＳＩＢは、キャリア２０５上でＲＳＳの存在をシグナリングし得る。いくつかの場合には、ＳＩＢは、ＲＳＳの第２の周期性、ＲＳＳの長さ、ＲＳＳの周波数オフセットおよび／または周波数ロケーションのインジケーションをシグナリングし得る。いくつかの場合には、周波数オフセットは、セルＩＤ、ならびにＲＳＳの周波数領域構成に基づき得る。ＲＳＳの周波数領域構成に基づく周波数オフセットは、セル間衝突を低減し得る。追加または代替として、ＳＩＢは、ＲＳＳの送信電力、ＲＳＳの帯域幅、ＲＳＳのホッピングパターン、第２の周期性の乗法的ファクタ、またはオーバーヘッド割合を示し得る。いくつかの場合には、ＳＩＢは、ＲＳＳの開始物理リソースブロック（ＰＲＢ）を示し得る。いくつかの例では、ＵＥ１１５−ａは、ＲＳＳの周期性とＲＳＳの長さとの間の暗黙的または明示的関係を決定するように構成され得る。たとえば、ＲＳＳの長さが明示的にシグナリングされることがあり、ＲＳＳの周期性は、ＲＳＳの長さに対する暗黙的関係に基づいて決定され得る。代替的に、ＲＳＳの周期性が明示的にシグナリングされることがあり、ＲＳＳの長さは、ＲＳＳの周期性に対する暗黙的関係に基づいて決定され得る。暗黙的関係は、別のパラメータ（たとえば、オーバーヘッド割合、乗法的ファクタなど）に基づき得る。いくつかの場合には、初期同期の後に、ＵＥ１１５−ａは、接続モードから遷移し得る。いくつかの場合には、初期同期の後に、ＵＥ１１５−ａは、スリープモードに遷移することによって同期を失い得る。
【０１２９】
[0138]  いくつかの例によれば、ＵＥ１１５−ａは、セルと再同期するための第２の同期信号２１５を受信し得る。第２の同期信号２１５はＲＳＳ２１５と呼ばれることもある。図２の例では、ＵＥ１１５−ａは、その後、第２の周期性に従って、ＲＳＳの第１のインスタンス２１５−ａと、ＲＳＳの第２のインスタンス２１５−ｂとを受信し得る。いくつかの態様によれば、ＵＥ１１５−ａは、同期を再捕捉するためにＲＳＳ２１５を使用し得る。いくつかの態様によれば、ＲＳＳ２１５の第２の周期性は、同期信号２１０の第１の周期性とは異なり得る。図２の例に示されているように、第２の周期性は第１の周期性よりも低くなり得る。いくつかの場合には、ＲＳＳ２１５は、より連続または準連続したシンボルを使用して増加した密度で送信され得る。これは、ＵＥ１１５−ａが、より少数のサイクルを介して再同期することを可能にする（たとえば、いくつかの場合には、再同期は、ＲＳＳ２１５の１つのインスタンスから達成され得る）。
【０１３０】
[0139]  いくつかの例では、ＵＥ１１５−ａは、再同期信号において使用されるシーケンスに気づいていることがある。前に説明されたように、ＵＥ１１５−ａは、ＲＳＳ２１５の存在、タイミング情報（たとえば、第２の周期性、同期信号２１０からのオフセット）、ＲＳＳ２１５の長さ、ＲＳＳ２１５の周波数オフセットおよび／または周波数ロケーション、ＲＳＳ２１５の送信電力、ＲＳＳ２１５の帯域幅、ＲＳＳ２１５のホッピングパターン、第２の周期性の乗法的ファクタ、あるいはオーバーヘッド割合のうちの少なくとも１つを示すＳＩＢを受信し得る。いくつかの場合には、ＲＳＳ２１５の周波数オフセットは、セル間衝突を低減するために、セルＩＤ、ならびにＲＳＳ２１５の周波数領域構成に基づき得る。周波数オフセットは、たとえば、ＲＳＳ２１５の開始ＰＲＢを示し得る。ＲＳＳ２１５に関連する情報を受信すると、ＵＥは、ＲＳＳ２１５において使用されるシーケンスのコピーを記憶し得る。追加または代替として、ＵＥ１１５−ａは、ＳＩＢ中に示されるＰＳＳ／ＳＳＳから決定されるセルパラメータ（たとえば、セルＩＤなど）に基づいてシーケンスを決定し得る。
【０１３１】
[0140]  いくつかの例では、ＲＳＳ２１５は、第１のＲＳＳ２４０と、第２のＲＳＳ２５０とを含み得る。第１のＲＳＳ２４０は、シーケンスＳの第１の繰り返し２２０と、第２の繰り返し２３０とを含み得る。いくつかの例では、ＲＳＳは、時間領域において繰り返されるＰＮシーケンスであり得る。１つまたは複数の態様によれば、シーケンスＳは、信号中で所定の回数繰り返されてよく、連結された信号は、第１のＲＳＳ２４０と呼ばれることがある。いくつかの場合には、シーケンスＳの長さは、第１のＲＳＳ２４０の長さに関係し得る。たとえば、シーケンスＳの長さは、第１のＲＳＳ２４０の長さの固定の部分であり得る。代替的に、シーケンスＳの長さは、第１のＲＳＳ２４０の長さの構成可能な部分であり得る。いくつかの場合には、シーケンスＳの長さと第１のＲＳＳ２４０の長さとの間の関係が、基地局１０５−ａとＵＥ１１５−ａの両方にとって利用可能なルックアップテーブル内で定義され得る。たとえば、ルックアップテーブルは、第１のＲＳＳ２４０の様々な長さについて、シーケンスＳの長さの値を含み得る。いくつかの例では、シーケンスＳは、基地局１０５−ａによってサービスされるセルのセル識別子に基づき得る。いくつかの場合には、セルのための再同期は、場合によっては、第１のＲＳＳ２４０の後に送信される第２のＲＳＳ２５０を介してサポートされ得る。いくつかの例では、第２のＲＳＳ２５０は、シーケンスＳのシーケンス長よりも長く、第１のＲＳＳ２４０（たとえば、シーケンスＳの複数の繰り返し）のシーケンス長よりも短い、シーケンス長を有し得る。いくつかの例では、第２のＲＳＳ２５０はまた、第１のＲＳＳ２４０と第２のＲＳＳ２５０とを送信する基地局１０５−ａによってサービスされるセルの識別子に基づき得る。
【０１３２】
[0141]  ＲＳＳ２１５のための第２の設計の別の例では、ＲＳＳ２１５は、第１のＲＳＳ２４０と、第２のＲＳＳ２５０とを含み得る。第１のＲＳＳ２４０は、第１のシーケンスＳの第１の繰り返し２２０と、第２のシーケンスＳ*の第１の繰り返し２３０とを含み得る。第１のＲＳＳ２４０は、第１のシーケンスＳと第２のシーケンスＳ*との追加の繰り返しを含み得る。いくつかの例では、第２のシーケンスＳ*は、第１のシーケンスＳの複素共役であり得る。いくつかの場合には、第２のシーケンスＳ*と、第１のシーケンスＳは、無相関であり得る。いくつかの例では、第１のＲＳＳ２４０は、第１のシーケンスＳと第２のシーケンスＳ*との交互繰り返しを含み得る。いくつかの場合には、第１のシーケンスＳはＰＮシーケンスであり得る。１つまたは複数の態様によれば、第１のシーケンスＳと、第２のシーケンスＳ*とは、代替的に、信号中で所定の回数繰り返されてよく、連結された信号は、第１のＲＳＳ２４０と呼ばれることがある。いくつかの場合には、シーケンスＳは、基地局１０５−ａによってサービスされるセルのセル識別子に基づき得る。いくつかの場合には、セルのための再同期は、第１のＲＳＳ２４０の後に送信される第２のＲＳＳ２５０を介してサポートされ得る。前に論じられたように、第２のＲＳＳ２５０は、第１のシーケンスＳと第２のシーケンスＳ*とのシーケンス長よりも長いシーケンス長を有し得る。いくつかの場合には、第２のＲＳＳ２５０のシーケンス長は、第１のＲＳＳ（すなわち、第１のシーケンスＳと第２のシーケンスＳ*との複数の繰り返し）のシーケンス長よりも短くなり得る。
【０１３３】
[0142]  ＲＳＳ２１５のための設計の第３の例では、ＲＳＳ２１５は第１のＲＳＳ２４０を含み得る。第１のＲＳＳ２４０は、バイナリシーケンス中の０および１に従って配置された、第１のシーケンスＳ１の第１の繰り返し２２０と、第２のシーケンスＳ２の第２の繰り返し２３０とを含み得る。バイナリシーケンスのためにいくつかの異なるシーケンスタイプが使用され得る。たとえば、バイナリシーケンスは、ｍシーケンス、バーカーコード、ゴールドシーケンス、自己相関関数において最小サイドローブ振幅をもつコンピュータ生成シーケンス、またはそれらの組合せであり得る。いくつかの場合には、バイナリシーケンスのシーケンスタイプは、第１のシーケンスＳ１の長さまたは第１のＲＳＳ２４０の長さに基づき得る。一例として、第１のＲＳＳ２４０の長さがしきい値よりも大きい場合、バイナリシーケンスとしてゴールドシーケンスまたはｍシーケンスが使用され得る。追加または代替として、第１のＲＳＳ２４０の長さがしきい値よりも小さい場合、バイナリシーケンスとして、自己相関関数において最小サイドローブ振幅をもつコンピュータ生成シーケンスが使用され得る。いくつかの場合には、バイナリシーケンスは、セルＩＤに関する情報を搬送することもある。いくつかの場合には、バイナリシーケンスは第１のＲＳＳの長さに依存する（たとえば、バイナリシーケンスは、ＳＩＢ中でシグナリングされるＲＳＳの明示的長さに基づいて選択される）。
【０１３４】
[0143]  いくつかの例では、第２のシーケンスＳ２は、第１のシーケンスＳ１の複素共役（たとえば、第２の設計に関して説明されるＳおよびＳ*）であり得る。いくつかの場合には、第２のシーケンスＳ２と、第１のシーケンスＳ１は、２つの異なる無相関シーケンスであり得る。第１のＲＳＳ設計と第２のＲＳＳ設計とに関して前に説明されたように、第１のシーケンスＳ１と第２のシーケンスＳ２とはＰＮシーケンスであり得る。いくつかの場合には、第１のシーケンスＳ１と第２のシーケンスＳ２とは、Ｚａｄｏｆｆ−Ｃｈｕシーケンス、コンピュータ生成シーケンスであるか、またはバイナリカバーコードを使用してより小さいシーケンスを繰り返すことによって構築され得る。いくつかの例では、第１のシーケンスＳ１と第２のシーケンスＳ２とは、基地局１０５−ａによってサービスされるセルのセル識別子に基づき得る。いくつかの例では、第２のＲＳＳ２５０は、第１のＲＳＳ２４０の後に送信されないことがある。
【０１３５】
[0144]  いくつかの場合には、ＲＳＳ２１５のための複数のスケジュールされたサブフレームのうちの少なくとも１つが、制限されたサブフレームと一致し得る。たとえば、ＲＳＳ２１５のための複数のスケジュールされたサブフレームのうちの少なくとも１つは、ＲＳＳ２１５の送信のために制約されているかあるいは無効サブフレームであるサブフレームと一致し得る。いくつかの場合には、有効サブフレームと無効サブフレームとのための既存のパターンがあり得る。たとえば、１つまたは複数のサブフレームは、より優先度の高い情報の送信のためにネットワークによってブロックされ得る。いくつかの例では、制限されたサブフレームは、マルチキャストサブフレーム、マシンタイプ通信（ＭＴＣ）無効サブフレーム、時分割複信（ＴＤＤ）アップリンクサブフレーム、またはＴＤＤスペシャルサブフレームのうちの１つを含み得る。そのような場合、基地局１０５−ａとＵＥ１１５−ａとは、ＲＳＳ２１５のための複数のスケジュールされたサブフレームを修正し得る。一例として、基地局１０５−ａは、複数のスケジュールされたサブフレームを次回の有効ダウンリンクサブフレームに延期するように構成され得る。
【０１３６】
[0145]  いくつかの場合には、次回の衝突を決定すると、ＵＥ１１５−ａは、ＲＳＳのためのそのあるスケジュールされたサブフレームを無効と見なしてよく、スケジュールされたサブフレームの受信を次の有効サブフレームに延期するか、またはサブフレームのためのＲＳＳの受信をドロップし得る。いくつかの例では、基地局１０５−ａは、ＲＳＳ２１５のためのサブフレームの部分をパンクチャするように構成され得る。たとえば、基地局１０５−ａは、制限された部分と有効部分とを有するＴＤＤスペシャルサブフレームまたは他のサブフレームのダウンリンク部分中でのみ送信するためにＲＳＳ２１５をパンクチャし得る。その結果、ＵＥ１１５−ａは、ＲＳＳ２１５がサブフレームのダウンリンク部分中にのみあるように適応されていると識別し得る。いくつかの例では、ＵＥ１１５−ａは、ＳＩＢ中でスペシャルサブフレーム構成のインジケーションを受信し得る。いくつかの場合には、基地局は、どのようにＲＳＳがスペシャルサブフレーム中で適応されるかのインジケーションを（たとえば、ＳＩＢ中で）送信してよく、この適応は、スペシャルサブフレームのダウンリンク部分の長さに基づいて変化することができる。たとえば、ＵＥ１１５−ａは、（たとえば、しきい値以下のダウンリンク部分などを有する）短いダウンリンクサブフレームのためのＲＳＳ２１５を延期するかまたはドロップするように構成され得る。さらに、いくつかの場合には、（たとえば、しきい値以上のダウンリンク部分などを有する）より長いダウンリンクサブフレームのために、ＲＳＳ２１５はパンクチャされ得る。
【０１３７】
[0146]  いくつかの態様によれば、ＲＳＳ２１５は、基準信号、第１の同期信号、またはブロードキャストチャネルのうちの少なくとも１つによってパンクチャされ得る。たとえば、ＲＳＳ２１５は、ＣＲＳ、ＰＳＳ、ＳＳＳ、または物理ブロードキャストチャネル（ＰＢＣＨ：physical broadcast channel）によってパンクチャされ得る。いくつかの場合には、ＲＳＳ２１５が、ＰＳＳ、ＳＳＳ、またはＰＢＣＨのためのサブフレームと衝突する場合、ＲＳＳ２１５は、サブフレーム全体についてドロップされる。いくつかの場合には、そのようなパンクチャを防ぐために、ＲＳＳ２１５の周波数中のロケーションが、ＳＩＢにおいて構成可能であり得る。いくつかの場合には、１つのセルは、それの近隣セルのＲＳＳ構成を示すように構成され得る。たとえば、ＲＳＳ構成は、近隣セルに関連するＲＳＳの長さ、近隣セルに関連するＲＳＳの周期性、近隣セルに関連するＲＳＳのタイミングオフセット、近隣セルに関連するＲＳＳの送信電力、近隣セルに関連するＲＳＳの送信帯域幅、近隣セルに関連するＲＳＳの周波数位置、および近隣セルに関連するＲＳＳの存在のインジケーションを含み得る。いくつかの場合には、近隣セルのためのＲＳＳ構成は、無線リソース制御（ＲＲＣ：radio resource control）シグナリングを介して示されてもよい。
【０１３８】
[0147]  いくつかの場合には、１つまたは複数のシーケンスを含む、ＲＳＳ２１５を受信すると、ＵＥ１１５−ａは、ＲＳＳ２１５を、シーケンスの記憶されたローカルコピーと相関させるように構成され得る。相関出力に基づいて、ＵＥは、セルのためのタイミング（たとえば、シンボルタイミング）を検出するように構成され得る。
【０１３９】
[0148]  図３は、本開示の様々な態様による再同期信号設計をサポートする信号設計３００の一例を示す。いくつかの例では、信号設計３００は、ワイヤレス通信システム１００の態様によって実装され得る。
【０１４０】
[0149]  いくつかの例では、（図１の基地局１０５および図２の基地局１０５−ａなどの）基地局は、ＵＥのためのセル上の接続をサポートするためのセルの同期信号をブロードキャストし得る。たとえば、基地局は、第１の周期性に従ってＵＥに第１の同期信号を送信し得る。ＵＥは、セルと同期するための第１の同期信号を受信し得る。いくつかの場合には、ＵＥは、接続モードから遷移するか、またはスリープモードに遷移するか、またはセルとの同期を失い得る。そのような場合、ＵＥは、セルと再同期するための第２の同期信号を受信し得る。より詳細には、第２の同期信号はＲＳＳと呼ばれることがある。いくつかの場合には、第２の同期信号は、セルのセル識別子に基づき得る。図３の例では、第２の同期信号は、第１のＲＳＳ３１０と、第２のＲＳＳ３３０とを含み得る。第１のＲＳＳ３１０は、シーケンスＳ３０５の複数の繰り返しを含み得る。いくつかの場合には、シーケンスＳは所定の長さ３１５であり得る。いくつかの場合には、シーケンスＳの長さ３１５は、第１のＲＳＳ３１０に基づいて構成され得る。そのような場合、シーケンスＳの長さ３１５は、第１のＲＳＳ３１０のシーケンス長３２０に関係し得る。たとえば、シーケンスＳの長さ３１５は、第１のＲＳＳ３１０のシーケンス長３２０の長さの固定の部分であり得る。代替的に、シーケンスＳの長さ３１５は、第１のＲＳＳ３１０のシーケンス長３２０の構成可能な部分であり得る。いくつかの場合には、シーケンスＳの長さ３１５と第１のＲＳＳ３１０の長さ３２０との間の関係が、ルックアップテーブル中の値に基づいて決定され得る。たとえば、長さ３１５は、第１のＲＳＳ３１０の長さ３２０の値または範囲に従ってルックアップテーブル中で指定され得る。
【０１４１】
[0150]  １つまたは複数の態様によれば、シーケンスＳは、信号中で所定の回数繰り返されてよく、連結された信号は、第１のＲＳＳ３１０と呼ばれることがある。いくつかの場合には、第１のＲＳＳ３１０の長さは、シーケンスＳの長さ３１５と、シーケンスが繰り返されている回数とに基づき得る。いくつかの例では、各シーケンスＳは、１つのシンボル期間中に送信され、したがって、第１のＲＳＳ３１０が及んでいるシンボル期間の数は、シーケンスＳの繰り返しの数に対応する。
【０１４２】
[0151]  いくつかの場合には、セルのための再同期は、第１のＲＳＳ３１０の後に送信される第２のＲＳＳ３３０を介してサポートされ得る。図３を参照しながら説明されるように、第２のＲＳＳ３３０もＰＮシーケンスであり得る。いくつかの例では、第２のＲＳＳ３３０はまた、第１のＲＳＳ３１０と第２のＲＳＳ３３０とを送信する基地局によってサービスされるセルのセル識別子に基づき得る。いくつかの例では、第２のＲＳＳ３３０は、シーケンスＳのシーケンス長３１５よりも長く、第１のＲＳＳ３１０のシーケンス長３２０よりも短い、シーケンス長３２５を有し得る。第１のＲＳＳ３１０を受信すると、ＵＥは、次いで第１のＲＳＳを、シーケンスＳの記憶されたローカルコピーと相関させることによって、受信信号を検出するように構成され得る。いくつかの場合には、相関が計算されると、ＵＥは、後続のシーケンスの相関をシフトおよび加算し得る。
【０１４３】
[0152]  図４は、本開示の様々な態様による再同期信号設計をサポートする信号設計４００の一例を示す。いくつかの例では、信号設計４００は、ワイヤレス通信システム１００の態様によって実装され得る。
【０１４４】
[0153]  図３を参照しながら前に論じられたように、（図１の基地局１０５および図２の基地局１０５−ａなどの）基地局は、ＵＥによるセル上の接続をサポートするためのセルの同期信号をブロードキャストし得る。基地局は、第１の周期性に従って第１の同期信号を送信し得る。いくつかの例では、ＵＥは、セルと同期するための第１の同期信号を受信し得る。いくつかの場合には、ＵＥがセルとの同期を失ったとき、ＵＥは、セルと再同期するための第２の同期信号を受信するように構成され得る。より詳細には、第２の同期信号はＲＳＳと呼ばれることがある。いくつかの場合には、第２の同期信号は、セルのセル識別子に基づき得る。図４の例では、第２の同期信号は、第１のＲＳＳ４１５と、第２のＲＳＳ４４０とを含み得る。第１のＲＳＳ４１５は、第１のシーケンスＳ４０５と第２のシーケンスＳ*４１０との複数の繰り返しを含み得る。いくつかの場合には、シーケンスＳは所定の長さ４２０であり得る。いくつかの場合には、シーケンスＳの長さ４２０は、第１のＲＳＳ４１５のシーケンス長４２５に関係し得る。一例では、第１のＲＳＳ４１５のシーケンス長４２５は、シーケンスＳの長さ４２０の倍数であり得る。いくつかの場合には、シーケンスＳの長さ４２０と第１のＲＳＳ４１５のシーケンス長４２５との間の関係が、ルックアップテーブルを使用して決定され得る。いくつかの例では、第２のシーケンスＳ*４１０は、第１のシーケンスＳ４０５の複素共役であり得る。いくつかの場合には、第２のシーケンスＳ*４１０と、第１のシーケンスＳ４０５は、無相関であり得る。いくつかの例では、第１のＲＳＳ４１５は、第１のシーケンスＳ４０５と第２のシーケンスＳ*４１０との代替繰り返しを含み得る。
【０１４５】
[0154]  前に論じられたように、第１のシーケンスＳ４０５と第２のシーケンスＳ*４１０とはＰＮシーケンスであり得る。図４の例によれば、第１のシーケンスＳ４０５と、第２のシーケンスＳ*４１０とは、代替的に、所定の回数繰り返されてよく、連結された信号は、第１のＲＳＳ４１５と呼ばれることがある。いくつかの場合には、第１のシーケンスＳ４０５と第２のシーケンスＳ*４１０は両方とも、基地局によってサービスされるセルのセル識別子に基づき得る。いくつかの例では、各シーケンスＳ４０５またはシーケンスＳ*４１０は、１つのシンボル期間中に送信され、したがって、第１のＲＳＳ４１５が及んでいるシンボル期間の数は、シーケンスＳ４０５またはシーケンスＳ*４１０の繰り返しの数に対応する。
【０１４６】
[0155]  いくつかの場合には、セルのための再同期は、第１のＲＳＳ４１５の後に送信される第２のＲＳＳ４４０を介してサポートされ得る。いくつかの例では、第２のＲＳＳ４４０は、第１のシーケンスＳと第２のシーケンスＳ*とのシーケンス長４２０よりも長いシーケンス長４３０を有し得る。いくつかの場合には、第２のＲＳＳ４４０のシーケンス長４３０は、第１のＲＳＳ４１５のシーケンス長４２５よりも短くなり得る。第１のＲＳＳを受信すると、（ＵＥなどの）受信機は、受信されたＲＳＳを第１のシーケンスＳ４０５および第２のシーケンスＳ*４１０と相関させることによって受信信号を検出するように構成され得る。いくつかの場合には、受信機は、第１のシーケンスＳ４０５および第２のシーケンスＳ*４１０との、受信されたＲＳＳの相関を計算するように構成され得る。
【０１４７】
[0156]  図５は、本開示の様々な態様による再同期信号設計をサポートする信号設計５００の一例を示す。いくつかの例では、信号設計５００は、ワイヤレス通信システム１００の態様によって実装され得る。
【０１４８】
[0157]  図３および図４を参照しながら前に論じられたように、（図１の基地局１０５および図２の基地局１０５−ａなどの）基地局は、ＵＥによるセルを介した接続をサポートするためのセルの同期信号をブロードキャストし得る。基地局は、（第１の周期性においてなど）第１の周期性に従って第１の同期信号を送信し得る。いくつかの場合には、ＵＥがセルとの同期を失ったとき、ＵＥは、セルと再同期するための第２の同期信号（たとえば、ＲＳＳ）を受信するように構成され得る。いくつかの場合には、第２の同期信号は、セルのセル識別子に基づき得る。図５は、セルと再同期するための第２の同期信号（たとえば、ＲＳＳ）の信号設計を示している。
【０１４９】
[0158]  図５の例では、第２の同期信号（たとえば、ＲＳＳ５４０）は、バイナリシーケンス中の０および１に従って配置された、第１のシーケンスＳ１または第２のシーケンスＳ２のいずれかの第１の繰り返し５０５と、第１のシーケンスＳ１または第２のシーケンスＳ２のいずれかの第２の繰り返し５１０とを含み得る。いくつかの例では、第１のシーケンスＳ１は、バイナリシーケンスの０に従って配置され得る。いくつかの場合には、第２のシーケンスＳ２は、バイナリシーケンスの１に従って配置され得る。いくつかの場合には、第１のシーケンスＳ１は第１の長さ５２０であってよく、第２のシーケンスＳ２は第２の長さ５３０であってよい。バイナリシーケンスが０から始まり、その後に１が続く例では、第１の長さ５２０の第１のシーケンスＳ１が最初に送信されてよく、第１のシーケンスＳ１の後に、第２の長さ５３０の第２のシーケンスＳ２が送信され得る。バイナリシーケンスのためにいくつかの異なるシーケンスタイプが使用され得る。いくつかの例では、バイナリシーケンスは、ｍシーケンス、バーカーコード、ゴールドシーケンス、自己相関関数において最小サイドローブ振幅をもつコンピュータ生成シーケンス、またはそれらの組合せであり得る。いくつかの場合には、シーケンスタイプは、第１のシーケンスＳ１の長さまたはＲＳＳ５４０の長さに基づき得る。一例として、ＲＳＳ５４０の長さがしきい値よりも大きい場合、バイナリシーケンスとしてゴールドシーケンスまたはｍシーケンスが使用され得る。一例では、ゴールドシーケンス生成器がセルＩＤに基づいて初期化されてよく、この初期化の後に擬似ランダムシーケンス（pseudo-random sequence）が生成され得る。いくつかの場合には、ゴールドシーケンスは、ゴールドシーケンス生成器によって生成される擬似ランダムシーケンスの一例であり得る。いくつかの場合には、ＲＳＳ５４０の長さは、サブキャリアの数と、ＯＦＤＭシンボルの数とに基づいて決定され得る。いくつかの場合には、ＲＳＳ５４０の長さは、サブキャリアの数と、シンボルの数と、ＲＳＳ５４０のマッピング（たとえば、４位相シフトキーイング（ＱＰＳＫ）マッピング）とに基づき得る。
【０１５０】
[0159]  さらに、ＲＳＳ５４０の長さがしきい値よりも小さい場合、バイナリシーケンスとして、自己相関関数において最小サイドローブ振幅をもつコンピュータ生成シーケンスが使用され得る。いくつかの場合には、このバイナリシーケンスは、セルＩＤに関する情報を搬送することもある。いくつかの場合には、第２のシーケンスＳ２は、第１のシーケンスＳ１の複素共役（たとえば、ＳおよびＳ*）であり得る。いくつかの場合には、第２のシーケンスＳ２と、第１のシーケンスＳ１は、２つの異なる無相関シーケンスであり得る。
【０１５１】
[0160]  図５の例では、第１のシーケンスＳ１または第２のシーケンスＳ２のいずれかを含む第１の繰り返し５０５は、第１のシーケンスＳ１または第２のシーケンスＳ２のいずれかの第１の繰り返し５０５を含む第２の繰り返し５１０と同様であり得る。前に説明されたように、第１のシーケンスＳ１と第２のシーケンスＳ２とはＰＮシーケンスであり得る。いくつかの場合には、第１のシーケンスＳ１と第２のシーケンスＳ２とは、Ｚａｄｏｆｆ−Ｃｈｕシーケンス、コンピュータ生成シーケンスであるか、またはバイナリカバーコードを使用してより小さいシーケンスを繰り返すことによって構築され得る。いくつかの例では、第１のシーケンスＳ１と第２のシーケンスＳ２とは、基地局１０５−ａによってサービスされるセルのセル識別子に基づき得る。いくつかの例では、第１のシーケンスＳ１と第２のシーケンスＳ２との複数の繰り返しは、ＲＳＳ５４０を形成するために連結され得る。いくつかの例では、各シーケンスＳ１またはＳ２は、１つのシンボル期間中に送信され、したがって、ＲＳＳ５４０が及んでいるシンボル期間の数は、シーケンスＳ１またはＳ２の繰り返しの数に対応する。
【０１５２】
[0161]  さらに、図５の例では、第２の同期信号（たとえば、ＲＳＳ５４０）は、バイナリシーケンス中の０および１に従って配置された、第１のシーケンスＳ１または第２のシーケンスＳ２のいずれかの第１の繰り返し５０５と、第１のシーケンスＳ１または第２のシーケンスＳ２のいずれかの第２の繰り返し５１０とを含み得る。いくつかの場合には、第２のシーケンスＳ２は、第１のシーケンスＳ１の位相回転バージョン（phase-rotated version）（たとえば、ＳおよびＳｅjθ）であり得る。したがって、第１の繰り返し５０５と第２の繰り返し５１０とは、第１のシーケンスＳ１（たとえば、Ｓ）または第２のシーケンスＳ２（たとえば、Ｓｅjθ）のいずれかを含み得る。前に説明されたように、第１のシーケンスＳ１と、第２のシーケンスＳ２とは、それぞれ、ＰＮシーケンスと、ＰＮシーケンスの位相回転バージョンとであり得る。いくつかの例では、第１のシーケンスＳ１と第２のシーケンスＳ２とは、基地局１０５−ａによってサービスされるセルのセル識別子に基づき得る。いくつかの例では、第１のシーケンスＳ１と第２のシーケンスＳ２との複数の繰り返しは、ＲＳＳ５４０を形成するために連結され得る。
【０１５３】
[0162]  いくつかの場合には、第１のシーケンスＳ１の長さは、１サブフレームに対応する持続時間にわたり得る。一例では、１サブフレームに対応する持続時間は、１ｍｓであり得る。追加または代替として、第２のシーケンスＳ２の長さは、１サブフレーム（または１ｍｓ）に対応する持続時間にわたり得る。いくつかの例では、第１のシーケンスＳ１と第２のシーケンスＳ２との複数の繰り返し（またはＲＳＳ５４０）の長さは、４ｍｓ、８ｍｓ、１６ｍｓ、３２ｍｓ、または４０ｍｓの総持続時間に対応し得る。
【０１５４】
[0163]  いくつかの場合には、前に論じられたように、第１のシーケンスＳ１は、バイナリシーケンスの０に従って繰り返され（または配置され）てよく、第２のシーケンスＳ２は、バイナリシーケンスの１に従って配置されてよい。第１のシーケンスＳ１と第２のシーケンスＳ２との複数の繰り返し（またはＲＳＳ５４０）の長さが、４ｍｓ、８ｍｓ、１６ｍｓ、３２ｍｓおよび４０ｍｓのうちの１つの総持続時間に対応する場合、バイナリシーケンスは、以下の表１を使用して構築され得る。
【０１５５】
【表１】
2021511760.tif 000003
【０１５６】
[0164]  いくつかの例では、バイナリシーケンスのためにいくつかの異なるシーケンスタイプが使用され得る。いくつかの例では、バイナリシーケンスは、ｍシーケンス、バーカーコード、ゴールドシーケンス、自己相関関数において最小サイドローブ振幅をもつコンピュータ生成シーケンス、またはそれらの組合せを含み得る。いくつかの例では、バイナリシーケンスは、ハミング自己相関関数において最大サイドローブ振幅を最小限に抑えることによって生成され得る。一例として、表１に記載されているように、４ｍｓの持続時間を有するＲＳＳ５４０を送信するためのバイナリシーケンス｛１，０，１，１｝は、自己相関関数において最小サイドローブ振幅を有するバイナリシーケンスに対応し得る。同様に、バイナリシーケンス｛１，０，０，１，０，１，１，１｝は、８ｍｓの持続時間を有するＲＳＳ５４０のために自己相関関数において最小サイドローブ振幅を有し得る。加えて、バイナリシーケンス｛０，０，１，１，０，１，０，０，０，１，１，０，０，１，０，１｝は、１６ｍｓの持続時間を有するＲＳＳ５４０のために自己相関関数において最小サイドローブ振幅を有し得る。いくつかの場合には、バイナリシーケンス｛１，１，０，０，１，０，０，１，０，１，１，１，０，０，０，１，１，１，０，１，０，１，０，０，１，０，０，０，１，１，０，１｝は、３２ｍｓの持続時間を有するＲＳＳ５４０のために自己相関関数において最小サイドローブ振幅を有し得る。いくつかの場合には、バイナリシーケンス｛０，１，１，０，１，１，０，０，０，１，０，１，０，０，１，１，１，０，１，１，１，０，０，０，０，１，１，１，０，１，０，０，１，１，０，１，０，１，１，０｝は、４０ｍｓの持続時間を有するＲＳＳ５４０のために自己相関関数において最小サイドローブ振幅を有し得る。
【０１５７】
[0165]  前に論じられたように、第１のシーケンスＳ１と第２のシーケンスＳ２との複数の繰り返しは、バイナリシーケンス中の０および１に従って配置され得る。一例では、バイナリシーケンスは、バイナリシーケンスが０を含む場所において第１のシーケンスＳ１を含んでよく、バイナリシーケンスが１を含む場所において第２のシーケンスＳ２を含んでよい。そのような場合、ＲＳＳ５４０持続時間が８ｍｓであるとき、バイナリシーケンスは、｛Ｓ２，Ｓ１，Ｓ１，Ｓ２，Ｓ１，Ｓ２，Ｓ２，Ｓ２｝のように構築され得る。いくつかの場合には、シーケンスタイプは、第１のシーケンスＳ１の長さまたはＲＳＳ５４０の長さに基づき得る。たとえば、ＲＳＳ５４０の長さがしきい値よりも大きい場合、バイナリシーケンスとしてゴールドシーケンスまたはｍシーケンスが使用され得る。代替的に、ＲＳＳ５４０の長さがしきい値よりも小さい場合、バイナリシーケンスとして、自己相関関数において最小サイドローブ振幅をもつコンピュータ生成シーケンスが使用され得る。いくつかの場合には、このバイナリシーケンスは、セルＩＤに関する情報を搬送することもある。いくつかの例では、バイナリシーケンスは、サブフレーム番号（ＳＦＮ：subframe number）をも含み得る。いくつかの場合には、バイナリシーケンスは、システム情報が変化したかどうかを示すために使用されることも可能である。一例では、バイナリシーケンスは、あらゆるセルについて一意であってよく、第２の同期シーケンス（たとえば、ＲＳＳ）Ｓは、複数のセルについて同じであってよい。
【０１５８】
[0166]  図６は、本開示の様々な態様による再同期信号設計をサポートする信号設計６００の一例を示す。特に、図６は、再同期信号のための様々な例示的な周波数領域信号設計を示す。いくつかの例では、信号設計６００は、ワイヤレス通信システム１００の態様によって実装され得る。
【０１５９】
[0167]  いくつかの例では、（図１の基地局１０５および図２の基地局１０５−ａなどの）基地局は、（図１のＵＥ１１５および図２のＵＥ１１５−ａなどの）ＵＥのためのセル上の接続をサポートするためのセルの同期信号をブロードキャストし得る。たとえば、基地局は、第１の周期性に従ってＵＥに第１の同期信号を送信し得る。いくつかの場合には、ＵＥは、第１の同期信号を受信した後に、接続モードから遷移するか、またはスリープモードに遷移するか、またはセルとの同期を失い得る。そのような場合、ＵＥは、セルと再同期するための第２の同期信号（たとえば、ＲＳＳ）を受信し得る。いくつかの場合には、第２の同期信号は、セルのセル識別子に基づき得る。いくつかの場合には、シーケンスＳは所定の長さであり得る。いくつかの場合には、第２の同期信号は、図３〜図５を参照しながら前に説明されたように、シーケンスＳを含み得る。いくつかの場合には、図３〜図５を参照しながら前に論じられたように、（ＲＳＳなどの）第２の同期信号は、時間領域において生成され得る。さらに、いくつかの場合には、（ＲＳＳなどの）第２の同期信号は、セル帯域幅の異なる部分を占有するために生成され得る。いくつかの構成オプションが図６の例に記載されている。
【０１６０】
[0168]  第１の例６０１として、第２の同期信号は、第１の同期信号が及んでいるいくつかのＰＲＢ６０５−ａにわたるシーケンスＳ６１０によって生成され得る。たとえば、第１の同期信号は、６つのＰＲＢ６０５−ａにわたり得る。いくつかの場合には、シーケンスＳ６１０は、周波数領域においてすべての６つのＰＲＢにわたるように構成され得る。そのような場合、シーケンスＳ６１０は、個々のＰＲＢに（たとえば、第１の同期信号に対する）どんな電力ブースティング（power boosting）をも適用することなしに、基地局からＵＥに送信され得る。
【０１６１】
[0169]  第２の例６１５として、第２の同期信号は、ＰＲＢ６０５−ｂのサブセットにわたるシーケンスＳ６２０によって生成され得る。前に論じられたように、ＰＲＢ６０５−ｂは、６つのＰＲＢを含み得る。いくつかの場合には、シーケンスＳ６２０は、連続方式で６つのＰＲＢのサブセットにわたるように構成され得る。第２の例６１５では、シーケンスＳ６２０は、連続方式で３つのＰＲＢにわたるように構成され得る。シーケンスＳ６２０が及んでいるＰＲＢのサブセットは、完全なＰＲＢのみにわたり得るか、または例６１５によって示されているように部分的なＰＲＢにわたり得る。シーケンスＳ６２０は、シーケンスＳ６２０が送信されるＰＲＢに（２×電力ブースティングなどの）電力ブーストを適用することによって、基地局からＵＥに送信され得る。たとえば、第２の同期信号は、シーケンスＳ６２０が及んでいるＰＲＢに対するＰＲＢ６０５−ｂの数の比に従って電力ブーストされ得る。
【０１６２】
[0170]  第３の例６２５として、第２の同期信号は、ＰＲＢ６０５−ｃのサブセットにわたるシーケンスＳ６３０によって生成され得る。前に論じられたように、ＰＲＢ６０５−ｃは、６つのＰＲＢを含み得る。いくつかの場合には、シーケンスＳ６３０は、連続方式でＰＲＢ６０５−ｃのサブセットにわたるように構成され得る。第３の例６２５では、シーケンスＳ６３０は、連続方式で２つのＰＲＢにわたるように構成され得る。いくつかの場合には、シーケンスＳ６３０は、例６１５に関して論じられたように所定の電力ブースティングを適用することによって送信され得る。図示の例では、シーケンスＳ６３０は、シーケンスＳ６３０が送信されるＰＲＢに３×電力ブースティングを適用することによって、基地局からＵＥに送信され得る。
【０１６３】
[0171]  第４の例６４０として、第２の同期信号は、ＰＲＢ６０５−ｄのサブセットにわたるシーケンスＳ６４５によって生成され得る。第４の例６４０では、シーケンスＳ６４５は、第１のＰＲＢ上で、および第２の不連続なＰＲＢ上で送信され得る。前に論じられたように、ＰＲＢ６０５−ｄは、６つのＰＲＢを含み得る。不連続方式でＰＲＢ６０５−ｄのサブセットにわたることにより、追加の周波数ダイバーシティ（frequency diversity）が提供され得る。いくつかの場合には、シーケンスＳ６４５は、例６１５および６２５に関して論じられたように所定の電力ブースティングを適用することによって送信され得る。図示の例では、シーケンスＳ６４５は、第１のＰＲＢと第２のＰＲＢとに３×電力ブースティングを適用することによって送信され得る。いくつかの場合には、シーケンスＳ６４５を含む不連続領域は、周波数ダイバーシティを最大にするために、ＰＲＢ６０５−ｄのエッジにあってよい。
【０１６４】
[0172]  図７Ａは、本開示の様々な態様による再同期信号設計をサポートする信号設計７００の一例を示す。特に、図７Ａは、再同期信号またはウェークアップ信号（ＷＵＳ：wake-up signal）を含むＰＲＢのための例示的な時間周波数リソース割振り（time-frequency resource allocation）を示す。いくつかの例では、信号設計７００は、ワイヤレス通信システム１００の態様によって実装され得る。
【０１６５】
[0173]  いくつかの例では、（図１の基地局１０５および図２の基地局１０５−ａなどの）基地局は、（図１のＵＥ１１５および図２のＵＥ１１５−ａなどの）ＵＥのためのセル上の接続をサポートするためのセルの同期信号をブロードキャストし得る。たとえば、基地局は、第１の周期性に従ってＵＥに第１の同期信号を送信し得る。いくつかの場合には、ＵＥが第１の同期信号を受信した後に接続モードから遷移した場合、基地局は、セルと再同期するための第２の同期信号（たとえば、ＲＳＳ）を送信し得る。いくつかの態様によれば、ＲＳＳは、基準信号、第１の同期信号、またはブロードキャストチャネルのうちの少なくとも１つを含み得る、１つまたは複数のＰＲＢを介して送信され得る。たとえば、ＲＳＳは、ＣＲＳ、ＰＳＳ、ＳＳＳ、またはＰＢＣＨをも含む１つまたは複数のＰＲＢを介して送信され得る。信号７１０（たとえば、ＲＳＳ、ＷＵＳ）は、いくつかのＰＲＢ７０５にわたり得る。いくつかの場合には、ＰＲＢはＣＲＳを含むことがあり、ＣＲＳは、１つまたは複数のアンテナポートに関連付けられ得る。各ＰＲＢは、いくつかのリソース要素７１２を含み得る。
【０１６６】
[0174]  本開示のいくつかの態様によれば、基地局は、信号を時間周波数リソースブロックのリソース要素７１２の第１のサブセットに、および基準信号のセットを時間周波数リソースブロックのリソース要素の第２のサブセットにマッピングし得る。いくつかの場合には、リソース要素の第１のサブセットは、時間周波数リソースブロックの第１のシンボル期間のリソース要素のサブセットと、時間周波数リソースブロックの第２のシンボル期間の各リソース要素とを含み得る。図７Ａの例では、ＰＲＢ７０５は、８つのＰＲＢ上にわたり得る。各ＰＲＢは、いくつかのシンボル期間７１４といくつかのサブキャリア７１６とに対応するリソース要素を含み得る。３つのシンボル期間７１４と６つのサブキャリア７１６とのブロックであるものとして示されているが、これらの寸法は明快のために示されており、ＰＲＢ７０５は、１２もしくは１４個のシンボル期間７１４および１２個のサブキャリア７１６、または任意の好適な寸法など、他のサイズであってよいことを理解されたい。いくつかの場合には、（ＰＲＢ０などの）ＰＲＢ中に含まれるリソース要素７１２は、ＲＳＳまたはＷＵＳのためにマッピングされたリソース要素と、ＣＲＳリソース要素とを含み得る。いくつかの場合には、ＣＲＳ、ＲＳＳおよび／またはＷＵＳは、（たとえば、第１の同期信号に対して）電力ブーストされ得る。いくつかの場合には、ＣＲＳに関連する電力ブーストと、（ＲＳＳ／ＷＵＳに関連するリソース要素などの）残りのリソース要素に関連する電力ブーストとの間に関係があり得る。
【０１６７】
[0175]  いくつかの実装形態では、ＲＳＳまたはＷＵＳのリソース要素当たりのエネルギー（ＥＰＲＥ：energy per resource element）は、ＯＦＤＭシンボル上で一定であり得る。したがって、ＵＥは、ＲＳＳまたはＷＵＳについて、ＥＰＲＥが一定であると仮定し得る。たとえば、ＥＰＲＥがリソース要素上で一定でない場合、ＲＳＳまたはＷＵＳシーケンスについての検出性能は劣化され得る。加えて、ＵＥは、ＲＳＳまたはＷＵＳを使用してチャネル推定を実施するかまたはチャネル測定を実施するように構成されてよく、ＲＳＳまたはＷＵＳが、異なるリソース要素上で異なるＥＰＲＥを有する場合、それは、チャネル推定または測定性能に影響を及ぼし得る。いくつかの場合には、基地局は、アンテナポートと送信チェーン（たとえば、無線周波数（ＲＦ）チェーン）またはアンテナとの間の対応を用いて構成され得る。いくつかの場合には、異なるＲＦチェーンまたはアンテナ（もしくはアンテナのグループ）上の送信電力は一定であり得る。すなわち、基地局は、異なるＲＦチェーンまたはアンテナ間で電力を別様に割り振らないことがある。同様に、シンボル期間当たりの送信電力も一定であり得る。すなわち、基地局は、シンボル期間の間で別様に送信電力を割り振らないことがある。
【０１６８】
[0176]  いくつかの例では、ＣＲＳ、ＲＳＳおよびＷＵＳは、異なる電力ブースティングパラメータ（power boosting parameter）に関連付けられ得る。図６を参照しながら論じられたように、いくつかの場合における電力ブースティングパラメータは、１つまたは複数のＰＲＢのブランキング（blanking）に基づき得る。チャネル推定または測定における検出または使用では、ＵＥが、ＲＳＳまたはＷＵＳのＥＰＲＥに対してＣＲＳの送信電力を決定することが有益であり得る。特に、ＵＥが、ＲＳＳのＥＰＲＥとＣＲＳのＥＰＲＥとの間の関係、ならびにＷＵＳのＥＰＲＥとＣＲＳのＥＰＲＥとの間の関係を決定することが有益であり得る。いくつかの場合には、ＲＳＳまたはＷＵＳは２つのＰＲＢ中で送信されてよく、１つまたは複数のＰＲＢがブランキングされ得る。たとえば、０ｄＢ、２ｄＢ、４ｄＢ、または６ｄＢの電力ブースティングは、それぞれ、０個、２個、４個、または６個のＰＲＢのブランキングに対応し得る。いくつかの場合には、ＲＳＳまたはＷＵＳは、複数のＲＦチェーンまたは物理アンテナを介して送信されてよく、ここで、各ＲＦチェーンまたはアンテナはアンテナポートに関連付けられる。
【０１６９】
[0177]  いくつかの場合には、ＣＲＳを含まないシンボル期間（たとえば、シンボル期間７１４−ｂまたは７１４−ｃ）のための基準信号のセットとデータチャネルのリソース要素との間の第１の電力比（ρA）と、ＣＲＳを含むシンボル期間（たとえば、シンボル期間７１４−１）のための基準信号のセットとデータチャネルのリソース要素との間の第２の電力比（ρB）とが、（たとえば、ＵＥのためにまたはセルのために）構成され得る。いくつかの場合には、ρAは、ＣＲＳなしのデータチャネルのシンボル期間の電力比と呼ばれることがあり、ρBは、ＣＲＳありのデータチャネルのシンボル期間の電力比と呼ばれることがある。いくつかの場合には、ρAとρBとは、比パラメータ（たとえば、ＰB）によって伝達されてよく、ＰBが構成されない場合、ＵＥは、ρA＝ρBを仮定し得る。いくつかの場合には、ρAとρBとのセル固有比は、上位レイヤによってシグナリングされるセル固有パラメータＰBと、構成されたｅノードＢセル固有アンテナポートの数とに従って示され得る。単一のアンテナポートの場合、ＰBが１に等しいとき、各リソース要素（たとえば、ＣＲＳ、ＲＳＳ、およびＷＵＳのためのリソース要素）は、同じ電力（たとえば、Ｐ）をも有することになることがわかる。ρAがρBに等しくない場合、ＵＥは、上位レイヤによってシグナリングされるセル固有パラメータＰBと、構成されたｅノードＢセル固有アンテナポートの数とに基づいてＲＳＳおよび／またはＷＵＳリソース要素の電力、あるいは代替的にあらかじめ定義された値を決定するために、第１の電力比と第２の電力比との関数を評価するように構成され得る。
【０１７０】
[0178]  図７Ａに記載された例によれば、ＰＲＢのうちの１つまたは複数は、（アンテナポート０  ７１５およびアンテナポート１  ７２０などの）２つのアンテナポートにマッピングされ得る。いくつかの場合には、アンテナポート０  ７１５中のＣＲＳは、アンテナポート１  ７２０中のＣＲＳでＦＤＭ化され得る。すなわち、アンテナポート０  ７１５について、アンテナポート１  ７２０のためのＣＲＳに対応するリソース要素は、送信されるシンボルを有しないことがある（たとえば、ヌルシンボルを搬送することがある）。逆に、アンテナポート１  ７２０について、アンテナポート０  ７１５のためのＣＲＳに対応するリソース要素は、送信されるシンボルを有しないことがある（たとえば、ヌルシンボルを搬送することがある）。上記で説明されたように、各アンテナポートは、単一のＲＦチェーンまたはアンテナ（もしくはアンテナのグループ）に対応し得る。図７Ａを参照しながら説明されるように、ＣＲＳは、様々なＲＦチェーンまたはアンテナに対応するＦＤＭおよびアンテナポートの影響を釣り合わせるために、１つのリソース要素から電力を借りて、別のリソース要素の電力を増加させるように構成され得る。たとえば、アンテナポート７１５では、ＣＲＳは、リソース要素７２５から電力を借りて、リソース要素７３０の電力をブーストし得る。
【０１７１】
[0179]  加えて、アンテナポート７２０では、ＣＲＳは、リソース要素７３０から電力を借りて、リソース要素７２５の電力をブーストし得る。いくつかの場合には、各リソース要素は電力Ｐに関連し得る。したがって、借りた後に、リソース要素７２５のためにアンテナポート７１５を介して送信される電力は０になり得、リソース要素７３０のためにアンテナポート７１５を介して送信される電力は２Ｐになり得る。同様に、借りた後に、リソース要素７３５のためにアンテナポート７２０を介して送信される電力は２Ｐになり得、リソース要素７４０のためにアンテナポート７２０を介して送信される電力は０になり得る。いくつかの場合には、ＣＲＳポートが直交であるので、ＵＥは、（アンテナポート７１５および７２０を通して）ＣＲＳポートのために２Ｐ電力を受信し、ＲＳＳまたはＷＵＳに関連するリソース要素が、各アンテナポートについて電力Ｐで送信される場合、同様に残りのリソース要素のために２Ｐ電力を受信し得る。この場合、ＲＳＳまたはＷＵＳの電力ブースティングは実施されない。いくつかの場合には、ネットワークは、（たとえば、追加のＰＲＢのブランキングを介して）ＲＳＳ、またはＷＵＳを電力ブーストするように構成され得る。このようにして、図７Ａの例は、ＣＲＳ送信のために別個のアンテナポートが使用されるとき、ＣＲＳの送信電力をブーストするために利用され得る。
【０１７２】
[0180]  いくつかの例では、ＲＳＳまたはＷＵＳが、２個のＰＲＢを介して送信され、６個のＰＲＢがブランキングされた場合、ＲＳＳのＥＰＲＥとＣＲＳのＥＰＲＥとの比は、１アンテナポートまたは２アンテナポートでは６ｄＢに、および４アンテナポートでは９ｄＢになり得る。ＵＥは、構成メッセージを介して、ブランキングされたＰＲＢの数を識別し得る。したがって、ＣＲＳのＥＰＲＥに対するＲＳＳのＥＰＲＥの比は、１または２アンテナポートではブランキングされたＰＲＢの構成された数によって与えられ、４アンテナポートではブランキングされたＰＲＢの構成された数＋３ｄＢによって与えられ得る。加えて、ＷＵＳについて、ＷＵＳのＥＰＲＥは、１アンテナポートまたは２アンテナポートでは３ｄＢだけ、および４アンテナポートでは６ｄＢだけＣＲＳのＥＰＲＥを上回ってブーストされ得る。すなわち、ＣＲＳに対するＷＵＳのＥＰＲＥの比は、１アンテナポートまたは２アンテナポートでは１０×ｌｏｇ10３ｄＢに、および４アンテナポートでは１０×ｌｏｇ10６ｄＢになり得るしたがって、ＲＳＳまたはＷＵＳのＥＰＲＥは、ブランキングされたＰＲＢの数と、アンテナポートの数とに依存し得る。
【０１７３】
[0181]  図７Ｂは、本開示の様々な態様による再同期信号設計をサポートする信号設計７５０の一例を示す。特に、図７Ｂは、再同期信号またはＷＵＳを含むＰＲＢのための例示的な時間周波数リソース割振りを示す。いくつかの例では、信号設計７５０は、ワイヤレス通信システム１００の態様によって実装され得る。
【０１７４】
[0182]  図７Ａを参照しながら論じられたように、（図１の基地局１０５および図２の基地局１０５−ａなどの）基地局は、第１の周期性に従ってＵＥに第１の同期信号を送信し得る。ＵＥが同期から遷移した場合、基地局は、セルと再同期するための第２の同期信号（たとえば、ＲＳＳ）を送信し得る。ＷＵＳは、非周期的に（たとえば、ページングオケージョンより前に）送信され得る。図７Ｂの例では、基地局は、信号を時間周波数リソースブロックのリソース要素の第１のサブセットに、および基準信号のセットを時間周波数リソースブロックのリソース要素の第２のサブセットにマッピングし得る。
【０１７５】
[0183]  図７Ａを参照しながら説明されたように、ＣＲＳを含まないシンボル期間のための基準信号のセットとデータチャネルのリソース要素との間の第１の電力比（ρA）と、ＣＲＳを含むシンボル期間のための基準信号のセットとデータチャネルのリソース要素との間の第２の電力比（ρB）とが、（たとえば、ＵＥのためにまたはセルのために）構成され得る。いくつかの場合には、ρAは、ＣＲＳなしのデータチャネルのシンボル期間の電力比と呼ばれることがあり、ρBは、ＣＲＳありのデータチャネルのシンボル期間の電力比と呼ばれることがある。いくつかの場合には、ρAとρBとは、比パラメータ（たとえば、ＰB）によって伝達されてよく、ＰBのデフォルト値は１であり得る（たとえば、ρA＝ρB）。いくつかの場合には、ρAとρBとの比はセル固有パラメータであり得る。
【０１７６】
[0184]  図７Ｂに記載された例によれば、ＰＲＢのうちの１つまたは複数は、４つのアンテナポート７５５、７６０、７６５、および７７０にマッピングされ得る。いくつかの場合には、第１のアンテナポート７５５は、第２のアンテナポート７６０を用いてＦＤＭ化されてよく、残りのアンテナポート７６５および７７０は、（隣接するシンボル中などで）第１および第２のアンテナポート７５５および７６０を用いてＴＤＭ化されてよい。そのような場合、１つまたは複数のアンテナポートは、（他のアンテナポートのためのＣＲＳに対応するリソース要素がそれにおいてブランキングされたシンボルなどの）いくつかのＯＦＤＭシンボル中で追加の電力を有し得る。しかしながら、ＲＳＳはすべてのシンボル上で一定のＥＰＲＥを有するように構成されているので、この追加の電力は、これらのシンボル中のＲＳＳまたはＷＵＳに転送されないことがある。したがって、４つのアンテナポートの場合、ＣＲＳを送信するためのリソース要素は、２Ｐの送信電力に関連することがあり、ＲＳＳに関連するリソース要素は、４Ｐの送信電力に関連することがある。したがって、（他のＰＲＢのブランキングなしの）ＲＳＳのデフォルトＥＰＲＥは、ＣＲＳのＥＰＲＥよりも３ｄＢ高い。
【０１７７】
[0185]  図８Ａは、本開示の様々な態様による再同期信号設計をサポートする信号設計８００の一例を示す。特に、図８Ａは、再同期信号のための様々な例示的な周波数領域信号設計を示す。いくつかの例では、信号設計８００は、ワイヤレス通信システム１００の態様によって実装され得る。
【０１７８】
[0186]  前に論じられたように、（図１の基地局１０５および図２の基地局１０５−ａなどの）基地局は、（図１のＵＥ１１５および図２のＵＥ１１５−ａなどの）ＵＥのためのセル上の接続をサポートするためのセルの同期信号をブロードキャストし得る。たとえば、基地局は、第１の周期性に従ってＵＥに第１の同期信号を送信し得る。いくつかの場合には、基地局は、セルと再同期するための第２の同期信号（たとえば、ＲＳＳ）を送信し得る。追加または代替として、基地局は、ページングオケージョンより前にＷＵＳを送信し得る。いくつかの態様によれば、ＲＳＳまたはＷＵＳは、基準信号、第１の同期信号、またはブロードキャストチャネルを含むＰＲＢ中で送信され得る。たとえば、ＲＳＳまたはＷＵＳのために使用されるＰＲＢは、ＣＲＳ、ＰＳＳ、ＳＳＳ、またはＰＢＣＨを搬送し得る。
【０１７９】
[0187]  本開示のいくつかの態様によれば、基地局は、信号（たとえば、ＲＳＳ、ＷＵＳ）を時間周波数リソースブロックのリソース要素の第１のサブセットに、および基準信号（たとえば、ＣＲＳ）のセットを時間周波数リソースブロックのリソース要素の第２のサブセットにマッピングし得る。図８Ａの例では、ＰＲＢのうちの１つまたは複数は、２つのアンテナポート８１５および８２０にマッピングされ得る。アンテナポート０  ８１５中のＣＲＳは、アンテナポート１  ８２０中のＣＲＳでＦＤＭ化され得る。図８Ａの例では、リソース要素８５０は、アンテナポート８１５のために（ＣＲＳを含むリソース要素などの）ρbに関連付けられてよく、リソース要素８６０は、アンテナポート８２０のために（ＣＲＳを含むリソース要素などの）ρbに関連付けられてよい。いくつかの場合には、リソース要素８２５は０電力に関連付けられてよく、リソース要素８３０は１（またはＰ）電力に関連付けられてよい。同様に、アンテナポート８２０について、リソース要素８３５は１（またはＰ）電力に関連付けられてよく、リソース要素８４０は０電力に関連付けられてよい。
【０１８０】
[0188]  いくつかの場合には、ＵＥは、第１のシンボル期間のための基準信号のセットとデータチャネルのリソース要素との間の第１の電力比（ρA）と、第２のシンボル期間のための基準信号のセットとデータチャネルのリソース要素との間の第２の電力比（ρB）との関数を評価することによってＣＲＳ、ＲＳＳおよび／またはＷＵＳの電力を識別し得る。いくつかの場合には、ＣＲＳが、１つのアンテナポート（図示されず）上で送信される場合、電力比は、以下の式と表２とを使用して計算され得る。
【０１８１】
【数１】
2021511760.tif 000004
【０１８２】
、ただし、
【０１８３】
【数２】
2021511760.tif 000005
【０１８４】
[0189]  いくつかの場合には、ＣＲＳが、（図８Ａに示されている）２つのアンテナポートまたは４アンテナポート（図示されず）上で送信される場合、電力比は、以下の式と表２とを使用して計算され得る。
【０１８５】
【数３】
2021511760.tif 000006
【０１８６】
、ただし、
【０１８７】
【数４】
2021511760.tif 000007
【０１８８】
【表２】
2021511760.tif 000008
【０１８９】
[0190]  図８Ｂは、本開示の様々な態様による再同期信号設計をサポートする信号設計８５１の一例を示す。特に、図８Ｂは、再同期信号のための様々な例示的な周波数領域信号設計を示す。いくつかの例では、信号設計８５１は、ワイヤレス通信システム１００の態様によって実装され得る。
【０１９０】
[0191]  本開示のいくつかの態様によれば、基地局は、信号（たとえば、ＲＳＳ、ＷＵＳ）を時間周波数リソースブロックのリソース要素の第１のサブセットに、および基準信号（たとえば、ＣＲＳ）のセットを時間周波数リソースブロックのリソース要素の第２のサブセットにマッピングし得る。図８Ｂの例では、ＰＲＢのうちの１つまたは複数は、アンテナポート（アンテナポート０）にマッピングされ得、ここで、アンテナポートの総数は４である。
【０１９１】
[0192]  いくつかの場合には、ＵＥは、基準信号のセットのアンテナポートの数に基づいてリソース要素の第１のサブセットの各々と基準信号のセットとの間の電力比の関数を決定し得る。たとえば、関数は、第１の電力比（ρA）によって第２の電力比（ρB）を正規化することを含むことができる。代替的に、関数は、第１の電力比と第２の電力比との最小値、または第１の電力比と第２の電力比との最大値を含み得る。いくつかの例では、関数は、第１のスケーリングファクタとの第１の電力比の積と、第２のスケーリングファクタとの第２の電力比の積との和を含み得る。たとえば、関数は、β＊ρB＋α＊ρAとして計算されてよく、ここで、１または２アンテナポートの場合、β＝３／１１およびα＝８／１１であるか、または４アンテナポートの場合、β＝４／１１およびα＝７／１１である。いくつかの場合には、物理ダウンリンク共有チャネル（ＰＤＳＣＨ：Physical Downlink Shared Channel）に対するＲＳＳまたはＷＵＳのＥＰＲＥの比ρAは、ポートのＥＰＲＥ（ＥＰＲＥport）であり得る。たとえば、ＰＤＳＣＨに対するＲＳＳまたはＷＵＳのＥＰＲＥρaは、｛ρおよび１｝の最小値であり得る。図８Ｂの例では、リソース要素８５５はＰＤＳＣＨに関連付けられ、リソース要素８６１は、それらがρBに等しい場合、ＲＳＳおよび／またはＷＵＳに関連付けられ、リソース要素８６５は、それらがρAに等しい場合、ＲＳＳおよび／またはＷＵＳに関連付けられる。加えて、ＣＲＳに対するＲＳＳまたはＷＵＳのＥＰＲＥの比は、ｐ＊ＥＰＲＥportであり得、ここで、ｐはアンテナポートの数である。いくつかの場合には、たとえば、ρA＝ρBであるとき、ＣＲＳに対するＲＳＳまたはＷＵＳのＥＰＲＥは、１または２アンテナポートでは０ｄＢ、および４アンテナポートでは＋３ｄＢであり得る。追加または代替として、電力比は表３に従って決定され得る。
【０１９２】
【表３】
2021511760.tif 000009
【０１９３】
[0193]  特に、ＵＥは、ＲＳＳのＥＰＲＥとＣＲＳのＥＰＲＥとの比を
【０１９４】
【数５】
2021511760.tif 000010
【０１９５】
として計算するように構成されてよく、ただし、
【０１９６】
【数６】
2021511760.tif 000011
【０１９７】
および
【０１９８】
【数７】
2021511760.tif 000012
【０１９９】
は、表３からのＣＲＳ  ＥＰＲＥに対するデフォルトρAおよびρBの値であり、ｐはＣＲＳポートの数である。加えて、ＵＥは、ＷＵＳのＥＰＲＥとＣＲＳのＥＰＲＥとの比
【０２００】
【数８】
2021511760.tif 000013
【０２０１】
を計算するように構成されてよく、ただし、
【０２０２】
【数９】
2021511760.tif 000014
【０２０３】
および
【０２０４】
【数１０】
2021511760.tif 000015
【０２０５】
は、表３からのＣＲＳ  ＥＰＲＥに対するデフォルトρAおよびρBの値であり、ｐはＣＲＳポートの数である。すべてのＲＢ上で均一な電力割振りを可能にするその
【０２０６】
【数１１】
2021511760.tif 000016
【０２０７】
および
【０２０８】
【数１２】
2021511760.tif 000017
【０２０９】
に留意されたい。
【０２１０】
【数１３】
2021511760.tif 000018
【０２１１】
の場合、ＣＲＳ  ＥＰＲＥに対するＲＳＳ  ＥＰＲＥは、それぞれ、１または２ポートＣＲＳでは０ｄＢ、および４ポートＣＲＳでは３ｄＢである。代替的に、ＵＥは、構成されたＰBとＣＲＳポートの数とに従って値を発見するために、ＣＲＳ  ＥＰＲＥに対するＲＳＳ  ＥＰＲＥについてあらかじめ定義された表（たとえば、表３）を参照し得る。
【０２１２】
[0194]  図９は、本開示の態様による再同期信号設計をサポートするワイヤレスデバイス９０５のブロック図９００を示す。ワイヤレスデバイス９０５は、本明細書で説明されるＵＥ１１５の態様の一例であり得る。ワイヤレスデバイス９０５は、受信機９１０と、ＵＥ通信マネージャ９１５と、送信機９２０とを含み得る。ワイヤレスデバイス９０５は、プロセッサをも含み得る。これらの構成要素の各々は、（たとえば、１つまたは複数のバスを介して）互いに通信していることがある。
【０２１３】
[0195]  受信機９１０は、１つまたは複数のアンテナを介してシグナリング９０７を受信し得、シグナリングを処理するために様々な動作（たとえば、ダウンコンバージョン、アナログデジタル変換、フィルタ処理、ベースバンド処理など）を実施し得る。この情報は、デバイスの他の構成要素に受け渡され得る。いくつかの場合には、受信機９１０は、パケット、ユーザデータ、または様々な情報チャネルに関連する制御情報（たとえば、再同期信号設計などに関係する制御チャネル、データチャネル、および情報）などの情報を受信し得る。受信機９１０は、図１２を参照しながら説明されるトランシーバ１２３５の態様の一例であり得る。受信機９１０は、単一のアンテナまたはアンテナのセットを利用し得る。
【０２１４】
[0196]  受信機９１０は、セルに関連するシステム情報を受信することと、システム情報が、第２の同期信号の存在、第２の同期信号のタイミング情報（たとえば、第２の周期性、第１の同期信号からのタイミングオフセット）、第２の同期信号の長さ、第２の同期信号の周波数オフセットおよび／または周波数ロケーション、第２の同期信号の送信電力、第２の同期信号の帯域幅、第２の同期信号のホッピングパターン、第２の周期性の乗法的ファクタ、あるいはオーバーヘッド割合のうちの少なくとも１つを示す、第２の同期信号から決定される位相またはタイミング情報に基づいて、セルと再同期するための第１の同期信号の第２のインスタンスを受信することとを行い得る。
【０２１５】
[0197]  ＵＥ通信マネージャ９１５は、図１２を参照しながら説明されるＵＥ通信マネージャ１０１５の態様の一例であり得る。ＵＥ通信マネージャ９１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、ＵＥ通信マネージャ９１５および／またはそれの様々な副構成要素のうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本開示で説明される機能を実施するように設計されたそれらの任意の組合せによって実行され得る。ＵＥ通信マネージャ９１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、ＵＥ通信マネージャ９１５および／またはそれの様々な副構成要素のうちの少なくともいくつかは、本開示の様々な態様による、分離した別個の構成要素であり得る。他の例では、ＵＥ通信マネージャ９１５および／またはそれの様々な副構成要素のうちの少なくともいくつかは、限定はされないが、本開示の様々な態様による、Ｉ／Ｏ構成要素、トランシーバ、ネットワークサーバ、別のコンピューティングデバイス、本開示で説明される１つまたは複数の他の構成要素、あるいはそれらの組合せを含む、１つまたは複数の他のハードウェア構成要素と組み合わされ得る。
【０２１６】
[0198]  ＵＥ通信マネージャ９１５は、信号９０７の表現であり得、第１の同期信号と第２の同期信号とを含み得る、信号９１２を受信し得る。ＵＥ通信マネージャ９１５は、セルと同期するための第１の同期信号を受信してよく、第１の同期信号は、セルにサービスする基地局によって第１の周期性に従って送信される。ＵＥ通信マネージャ９１５は、同期することの後に、セルと再同期するための第２の同期信号を受信することと、第２の同期信号が、第２の周期性に従って基地局によって送信され、ここで、第２の同期信号が、セルのセル識別子に基づく第１のシーケンスの繰り返しのセットを含む、再同期することに基づいてセルを介して基地局と通信することとを行い得る。いくつかの場合には、第２の周期性は、第１の周期性とは異なり得る。
【０２１７】
[0199]  ＵＥ通信マネージャ９１５は、時間周波数リソースブロックのリソース要素の第１のサブセットにマッピングされた信号と、時間周波数リソースブロックのリソース要素の第２のサブセットにマッピングされた基準信号のセットとを含む信号９１２を受信することと、ここで、リソース要素の第１のサブセットが、時間周波数リソースブロックの第１のシンボル期間のリソース要素のサブセットと、時間周波数リソースブロックの第２のシンボル期間の各リソース要素とを含む、基準信号のセットのアンテナポートの数に基づいてリソース要素の第１のサブセットの各々と基準信号のセットとの間の電力比を識別することと、電力比に基づいて信号を復調することとを行い得る。いくつかの場合には、ＵＥ通信マネージャ９１５は、情報９１７を送信機９２０に受け渡し得る。ＵＥ通信マネージャ９１５は、本明細書で説明されるＵＥ通信マネージャ１０１５の態様の一例であり得る。
【０２１８】
[0200]  送信機９２０は、デバイスの他の構成要素によって生成されたかまたはそれから受信された信号９２２を送信し得る。いくつかの例では、送信機９２０は、トランシーバモジュール中で受信機９１０とコロケートされ得る。たとえば、送信機９２０は、図１２を参照しながら説明されるトランシーバ１２３５の態様の一例であり得る。送信機９２０は、単一のアンテナまたはアンテナのセットを利用し得る。
【０２１９】
[0201]  図１０は、本開示の態様による再同期信号設計をサポートするワイヤレスデバイス１００５のブロック図１０００を示す。ワイヤレスデバイス１００５は、図９を参照しながら説明されたワイヤレスデバイス９０５またはＵＥ１１５の態様の一例であり得る。ワイヤレスデバイス１００５は、受信機１０１０と、ＵＥ通信マネージャ１０１５と、送信機１０２０とを含み得る。ワイヤレスデバイス１００５は、プロセッサをも含み得る。これらの構成要素の各々は、（たとえば、１つまたは複数のバスを介して）互いに通信していることがある。
【０２２０】
[0202]  受信機１０１０は、１つまたは複数のアンテナを介してシグナリング１００７を受信し得る。いくつかの場合には、シグナリング１００７は、パケット、ユーザデータ、または様々な情報チャネルに関連する制御情報（たとえば、再同期信号設計などに関係する制御チャネル、データチャネル、および情報）などの情報を含み得る。情報は、デバイスの他の構成要素に受け渡され得る。受信機１０１０は、図１２を参照しながら説明されるトランシーバ１２３５の態様の一例であり得る。受信機１０１０は、単一のアンテナまたはアンテナのセットを利用し得る。受信機１０１０は、信号１００７、または（たとえば、フィルタ処理、デジタル化などされた）シグナリング１００７の表現を、信号１０１２中でＵＥ通信マネージャ１０１５に伝え得る。
【０２２１】
[0203]  ＵＥ通信マネージャ１０１５は、図１２を参照しながら説明されるＵＥ通信マネージャ１０１５の態様の一例であり得る。ＵＥ通信マネージャ１０１５はまた、同期構成要素１０２５と、再同期構成要素１０３０と、通信構成要素１０３５と、信号受信構成要素１０４０と、電力比構成要素１０４５と、復調構成要素１０５０とを含み得る。
【０２２２】
[0204]  同期構成要素１０２５は、セルと同期するための第１の同期信号を受信してよく、第１の同期信号は、セルにサービスする基地局によって第１の周期性に従って送信される。いくつかの場合には、第１の同期信号は、信号１０１２中に含まれ得る。
【０２２３】
[0205]  再同期構成要素１０３０は、同期することの後に、セルと再同期するための第２の同期信号を受信してよく、第２の同期信号は、第２の周期性に従って基地局によって送信される。いくつかの場合には、第２の同期信号は、信号１０１２中に含まれ得る。いくつかの場合には、第２の周期性は、第１の周期性とは異なる。いくつかの場合には、第２の同期信号は、セルのセル識別子に基づく第１のシーケンスの繰り返しのセットを含む。再同期構成要素１０３０は、セルと再同期するための第３の同期信号を受信してよく、第３の同期信号は、第２の同期信号の後にセルを介して基地局によって送信され、第１のシーケンスのシーケンス長よりも長いシーケンス長を有する。
【０２２４】
[0206]  いくつかの場合には、再同期構成要素１０３０は、基地局から、ネイバーセルのための再同期信号構成を受信してよく、再同期信号構成は、ネイバーセルのための再同期信号の存在、再同期信号の周期性、再同期信号の長さ、再同期信号のタイミングオフセット、再同期信号の周波数オフセット、再同期信号の送信電力、再同期信号の帯域幅、または再同期信号のホッピングパターンのうちの少なくとも１つを含む。いくつかの場合には、第２の同期信号は、第２のシーケンスの繰り返しのセットを含み、ここで、第１のシーケンスの繰り返しのセットと、第２のシーケンスの繰り返しのセットとは、バイナリシーケンスに従って送信される。いくつかの場合には、再同期信号構成は、基地局からシステム情報中でまたは専用シグナリング中で受信される。
【０２２５】
[0207]  通信構成要素１０３５は、再同期することに基づいてセルを介して基地局と通信し得る。たとえば、通信構成要素１０３５は、第１の同期信号と第２の同期信号とに関連する情報を、信号１０１７を介して送信機１０２０に受け渡し得る。
【０２２６】
[0208]  信号受信構成要素１０４０は、時間周波数リソースブロックのリソース要素の第１のサブセットにマッピングされた信号と、時間周波数リソースブロックのリソース要素の第２のサブセットにマッピングされた基準信号のセットとを受信してよく、ここで、リソース要素の第１のサブセットは、時間周波数リソースブロックの第１のシンボル期間のリソース要素のサブセットと、時間周波数リソースブロックの第２のシンボル期間の各リソース要素とを含む。
【０２２７】
[0209]  電力比構成要素１０４５は、基準信号のセットのアンテナポートの数に基づいてリソース要素の第１のサブセットの各々と基準信号のセットとの間の電力比を識別し得る。復調構成要素１０５０は、電力比に基づいて信号を復調し得る。復調構成要素１０５０は、復調された信号を、信号１０１７を介して送信機１０２０に受け渡し得る。
【０２２８】
[0210]  送信機１０２０は、デバイスの他の構成要素によって生成されたシグナリング１０１７に基づいてシグナリング１０２２を送信し得る。たとえば、ＵＥ通信マネージャ１０１５は、情報１０１７を送信機１０２０に受け渡し得る。いくつかの例では、送信機１０２０は、トランシーバモジュール中で受信機１０１０とコロケートされ得る。たとえば、送信機１０２０は、図１２を参照しながら説明されるトランシーバ１２３５の態様の一例であり得る。送信機１０２０は、単一のアンテナまたはアンテナのセットを利用し得る。
【０２２９】
[0211]  図１１Ａは、本開示の態様による再同期信号設計をサポートするＵＥ通信マネージャ１１１５のブロック図１１００を示す。ＵＥ通信マネージャ１１１５は、図９、図１０、および図１２を参照しながら説明されるＵＥ通信マネージャ９１５、ＵＥ通信マネージャ１０１５、またはＵＥ通信マネージャ１２１５の態様の一例であり得る。ＵＥ通信マネージャ１１１５は、同期構成要素１１２０と、再同期構成要素１１２５と、通信構成要素１１３０と、シーケンス構成要素１１３５と、セル識別子構成要素１１４０と、相関構成要素１１４５と、周期性構成要素１１５０と、サブフレーム構成要素１１５５と、パンクチャ構成要素１１６０と、遷移構成要素（transition component）１１６５とを含み得る。これらのモジュールの各々は、直接的または間接的に、（たとえば、１つまたは複数のバスを介して）互いに通信し得る。
【０２３０】
[0212]  同期構成要素１１２０は、セルと同期するための第１の同期信号１１０２を受信してよく、第１の同期信号１１０２は、セルにサービスする基地局によって第１の周期性に従って送信される。同期構成要素１１２０は、第１の同期情報１１０７を決定し、第１の同期情報１１０７を通信構成要素１１３０に受け渡し得る。いくつかの場合には、同期構成要素１１２０は、第１の同期情報１１０７をセル識別子構成要素１１４０に受け渡し得る。
【０２３１】
[0213]  セル識別子構成要素１１４０は、第１の同期情報１１０７から基地局のセル識別子を決定し得る。いくつかの場合には、セル識別子構成要素１１４０は、決定されたセル識別子１１０９を再同期構成要素１１２５に受け渡し得る。再同期構成要素１１２５は、セル識別子１１０９を、今度は、シーケンス構成要素１１３５と相関構成要素１１４５とに受け渡し得る。
【０２３２】
[0214]  再同期構成要素１１２５は、同期することの後に、セルと再同期するための第２の同期信号１１０４を受信してよく、第２の同期信号１１０４は、第２の周期性に従って基地局によって送信され、ここで、第２の同期信号１１０４は、セルのセル識別子に基づく第１のシーケンスの繰り返しのセットを含む。第２の周期性は、第１の周期性とは別個に構成されてよく、それとは異なり得る。いくつかの場合には、第２の同期信号は、第２のシーケンスの繰り返しのセットを含み、ここで、第１のシーケンスの繰り返しのセットと、第２のシーケンスの繰り返しのセットとは、バイナリシーケンスに従って送信される。再同期構成要素１１２５は、第２の同期信号１１０４に基づいて第２の同期情報１１１３を決定し得、第２の同期情報１１１３を通信構成要素１１３０に受け渡し得る。第２の同期情報１１１３は、デバイスの同期を示す信号１１１１を含み得る。
【０２３３】
[0215]  いくつかの例では、第１の同期信号１１０２は、複数のＰＲＢにわたってよく、第２の同期信号１１０４は、これらの複数のＰＲＢにわたってよい。いくつかの例では、第１の同期信号１１０２は、複数のＰＲＢにわたってよく、第２の同期信号１１０４は、これらの複数のＰＲＢのサブセットにわたってよい。いくつかの例では、第２の同期信号１１０４に関連する送信電力は、複数のＰＲＢのサブセット中のＰＲＢの第２の数に対する複数のＰＲＢ中のＰＲＢの第１の数の比だけ、第１の同期信号１１０２に関連する送信電力に対して増加され得る。いくつかの場合には、複数のＰＲＢのサブセットは、ＰＲＢの連続セットに対応する。いくつかの場合には、複数のＰＲＢのサブセットは、ＰＲＢの不連続セットに対応する。
【０２３４】
[0216]  いくつかの場合には、再同期構成要素１１２５は、再同期構成要素１１２５は、セルと再同期するための第３の同期信号１１０６を受信してよく、第３の同期信号１１０６は、第２の同期信号１１０４の後にセルを介して基地局によって送信され、第１のシーケンスのシーケンス長よりも長いシーケンス長を有する。再同期構成要素１１２５は、第３の同期信号１１０６に基づいて第２の同期情報１１１３を決定し得、第２の同期情報１１１３を通信構成要素１１３０に受け渡し得る。いくつかの場合には、第３の同期信号１１０６のシーケンス長は、第２の同期信号１１０４のシーケンス長よりも短い。
【０２３５】
[0217]  いくつかの例では、再同期構成要素１１２５は、基地局から、ネイバーセルのための再同期信号構成１１０８を受信してよく、再同期信号構成１１０８は、ネイバーセルのための再同期信号の存在、再同期信号の周期性、再同期信号の長さ、再同期信号のタイミングオフセット、再同期信号の周波数オフセット、再同期信号の送信電力、再同期信号の帯域幅、または再同期信号のホッピングパターンのうちの少なくとも１つを含む。いくつかの場合には、再同期構成要素１１２５は、再同期信号構成１１０８に基づいて第２の同期情報１１１３を決定し得、第２の同期情報１１１３を通信構成要素１１３０に受け渡し得る。いくつかの場合には、再同期信号構成１１０８は、基地局からシステム情報中でまたは専用シグナリング中で受信される。
【０２３６】
[0218]  シーケンス構成要素１１３５は、セル識別子構成要素１１４０からセル識別子１１０９を受信し得る。シーケンス構成要素１１３５は、第２の同期信号１１０４の長さまたはセル識別子１１０９に基づいて第２の同期信号１１０４のためのバイナリシーケンスを識別し得る。いくつかの場合には、第１のシーケンスは、第１のサブシーケンスと、第２のサブシーケンスとを含む。いくつかの場合には、第２のサブシーケンスは、第１のサブシーケンスの複素共役に対応する。いくつかの場合には、第１のシーケンスと、第２のシーケンスとは、互いに相互相関の低い絶対値を有する。いくつかの場合には、第２のシーケンスは、第１のシーケンスの複素共役に対応する。
【０２３７】
[0219]  いくつかの場合には、第１のシーケンスは、ＰＮシーケンス、Ｚａｄｏｆｆ−Ｃｈｕシーケンス、またはバイナリシーケンスとのサブシーケンスのクロネッカー積の結果に対応する。いくつかの場合には、サブシーケンスは、ＰＮシーケンスまたはＺａｄｏｆｆ−Ｃｈｕシーケンスに対応する。いくつかの場合には、バイナリシーケンスは、最大長シーケンス、バーカーコード、またはゴールドシーケンスに対応する。
【０２３８】
[0220]  相関構成要素１１４５は、セル識別子１１０９を受信し得る。相関構成要素１１４５は、セル識別子１１０９に基づいて決定される第１のシーケンスの表現を使用して再同期することのために第２の同期信号１１０４を相関させ得る。
【０２３９】
[0221]  周期性構成要素１１５０は、システム情報中で受信された第２の同期信号１１０４の長さと第２の周期性との間の関連付けに基づいて第２の周期性を決定し得、システム情報中で受信された第２の周期性と第２の同期信号１１０４の長さとの間の関連付けに基づいて第２の同期信号の長さを決定し得る。いくつかの場合には、システム情報中で受信された第２の同期信号１１０４の長さと第２の周期性との間の関連付けは、乗法的ファクタに基づいて決定される。いくつかの場合には、システム情報中で受信された第２の周期性と第２の同期信号１１０４の長さとの間の関連付けは、オーバーヘッド割合に基づいて決定される。再同期構成要素１１２５は、第２の同期信号１１０４と、周期性構成要素１１５０によって決定された第２の周期性とに基づいて、第２の同期情報１１１３を決定し得る。
【０２４０】
[0222]  サブフレーム構成要素１１５５は、再同期構成要素１１２５によって第２の同期信号１１０４を受信することのために、スケジュールされたサブフレームのセットを修正し得る。いくつかの場合には、第２の同期信号１１０４を受信することは、第２の同期信号１１０４のためのスケジュールされたサブフレームのセットのうちの少なくとも１つが、第２の同期信号１１０４の送信のために制限されたサブフレームと一致すると識別することを含む。サブフレーム構成要素１１５５は、スケジュールされたサブフレームの修正されたセットを、第２の同期情報１１１３中で通信構成要素１１３０に受け渡し得る。いくつかの場合には、制限されたサブフレームは、マルチキャストサブフレーム、ＭＴＣ無効サブフレーム、ＴＤＤアップリンクサブフレーム、またはＴＤＤスペシャルサブフレームのうちの１つを含む。いくつかの場合には、スケジュールされたサブフレームのセットを修正することは、スケジュールされたサブフレームのセットのうちの少なくとも１つを、制限されたサブフレームの後の次のサブフレームに延期することと、制限されたサブフレームのために、スケジュールされたサブフレームのセットのうちの少なくとも１つの受信を抑制することと、制限されたサブフレーム中で、スケジュールされたサブフレームのセットのうちの少なくとも１つの一部分を受信することとを含むグループから修正行為を選択することを含む。いくつかの場合には、修正行為を選択することは、ＴＤＤスペシャルサブフレーム構成に基づく。
【０２４１】
[0223]  パンクチャ構成要素１１６０は、第２の同期信号１１０４がパンクチャされると決定し得る。いくつかの場合には、第２の同期信号１１０４は、基準信号、第１の同期信号１１０２、またはブロードキャストチャネルのうちの少なくとも１つによってパンクチャされ得る。
【０２４２】
[0224]  通信構成要素１１３０は、第１の同期情報１１０７と、第２の同期情報１１１３とを受信し得る。いくつかの場合には、通信構成要素１１３０は、第２の同期情報１１１３を介して、スケジュールされたサブフレームの修正されたセットを受信し得る。通信構成要素１１３０は、再同期すること（たとえば、第２の同期情報１１１３）に基づいて、セルを介して基地局と通信し（たとえば、ランダムアクセス手順または他の接続手順を実施し）得る。いくつかの例では、通信構成要素１１３０は、通信情報１１１７をさらなる処理のためにワイヤレスデバイス内の他の構成要素に受け渡し得る。
【０２４３】
[0225]  遷移構成要素１１６５は、デバイスの同期を示す信号１１１１を受信し得る。いくつかの場合には、遷移構成要素１１６５は、同期することの後に、基地局との接続モードから遷移し得る。いくつかの例では、遷移構成要素１１６５は、通信情報１１１９をさらなる処理のためにワイヤレスデバイス内の他の構成要素に受け渡し得る。
【０２４４】
[0226]  図１１Ｂは、本開示の態様による再同期信号設計をサポートするＵＥ通信マネージャ１１５２のブロック図１１５１を示す。ＵＥ通信マネージャ１１５２は、図９、図１０、図１１Ａ、および図１２を参照しながら説明されるＵＥ通信マネージャ９１５、ＵＥ通信マネージャ１０１５、ＵＥ通信マネージャ１１１５、またはＵＥ通信マネージャ１２１５の態様の一例であり得る。ＵＥ通信マネージャ１１５２は、信号受信構成要素１１７０と、電力比構成要素１１７５と、復調構成要素１１８０と、チャネル推定構成要素１１８５と、電力ブーストパラメータ構成要素１１９０とを含み得る。これらのモジュールの各々は、直接的または間接的に、（たとえば、１つまたは複数のバスを介して）互いに通信し得る。
【０２４５】
[0227]  信号受信構成要素１１７０は、時間周波数リソースブロックのリソース要素の第１のサブセットにマッピングされた信号１１５３と、時間周波数リソースブロックのリソース要素の第２のサブセットにマッピングされた基準信号１１５３のセットとを受信してよく、ここで、リソース要素の第１のサブセットは、時間周波数リソースブロックの第１のシンボル期間のリソース要素のサブセットと、時間周波数リソースブロックの第２のシンボル期間の各リソース要素とを含む。
【０２４６】
[0228]  いくつかの場合には、信号１１５３は、セルのセル識別子に基づく第１のシーケンスの繰り返しのセットを含む再同期信号を含む。いくつかの場合には、信号１１５３は、ＵＥのための関連するページングオケージョンより前に送信されるウェークアップ信号を含む。信号受信構成要素１１７０は、時間周波数リソースブロックのリソース要素の第１のサブセットにマッピングされた信号１１５３と、リソース要素の第２のサブセットにマッピングされた基準信号１１５３のセットとに基づいて、信号１１７１を決定し得る。信号受信構成要素１１７０は、信号１１７１を、信号１１７１を介して電力比構成要素１１７５に受け渡し得る。
【０２４７】
[0229]  電力比構成要素１１７５は、信号１１７１を介して、時間周波数リソースブロックのリソース要素の第１のサブセットにマッピングされた信号１１５３と、リソース要素の第２のサブセットにマッピングされた基準信号１１５３のセットとを含む信号１１７１を受信し得る。電力比構成要素１１７５は、基準信号のセットのアンテナポートの数に基づいてリソース要素の第１のサブセットの各々と基準信号のセットとの間の電力比１１７２を識別し得る。いくつかの例では、電力比構成要素１１７５は、第１のシンボル期間のための基準信号のセットとデータチャネルのリソース要素との間の第１の電力比と、第２のシンボル期間のための基準信号のセットとデータチャネルのリソース要素との間の第２の電力比との関数を評価し得る。
【０２４８】
[0230]  いくつかの場合には、関数は、第１の電力比と第２の電力比との最小値を含む。いくつかの場合には、関数は、第１の電力比と第２の電力比との最大値を含む。いくつかの場合には、関数は、第１のスケーリングファクタとの第１の電力比の積と、第２のスケーリングファクタとの第２の電力比の積との和を含む。
【０２４９】
[0231]  いくつかの場合には、基準信号のセットとデータチャネルのリソース要素との間の第１の電力比は、第１のシンボル期間のために構成され、基準信号のセットとデータチャネルのリソース要素との間の第２の電力比は、第２のシンボル期間のために構成され、ここで、システム情報パラメータの値の第１のサブセットについて、電力比は第１の電力比に対応し、システム情報パラメータの値の第２のサブセットについて、電力比１１７２は第２の電力比に対応する。
【０２５０】
[0232]  いくつかの場合には、電力比１１７２を識別することは、第１のシンボル期間のための基準信号のセットとデータチャネルのリソース要素との間の第１の電力比、および第２のシンボル期間のための基準信号のセットとデータチャネルのリソース要素との間の第２の電力比に独立している。いくつかの場合には、電力比１１７２は、いくつかのアンテナポートの各々についてのポート毎電力比に基づく。いくつかの場合には、いくつかのアンテナポートの各々は、信号の送信機における単一の無線周波数（ＲＦ）チェーンに関連付けられる。電力比構成要素１１７５は、決定された電力比１１７２を復調構成要素１１８０とチャネル推定構成要素１１８５とに受け渡し得る。
【０２５１】
[0233]  電力ブーストパラメータ構成要素１１９０は、信号１１５３に関連する電力ブーストパラメータ１１７４を受信してよく、電力ブーストパラメータ１１７４は、信号の送信電力の構成可能な増加を示す。いくつかの例では、電力比１１７２を識別することは、電力ブーストパラメータ１１７４に基づく。
【０２５２】
[0234]  復調構成要素１１８０は、信号１１５３を受信し得、電力比構成要素１１７５から、決定された電力比１１７２を受信し得る。復調構成要素１１８０は、電力比１１７２に基づいて信号１１５３を復調し得る。いくつかの例では、復調構成要素１１８０は、復調された信号１１７７をさらなる処理のためにワイヤレスデバイス内の他の構成要素（たとえば、デコーダなど）に受け渡し得る。
【０２５３】
[0235]  チャネル推定構成要素１１８５は、電力比構成要素１１７５から、決定された電力比１１７２を受信し得る。チャネル推定構成要素１１８５は、電力比１１７２に基づいて信号１１５３を使用してチャネル推定またはチャネル測定を実施し得る。いくつかの例では、チャネル推定構成要素１１８５は、チャネル測定値１１７７をさらなる処理のためにワイヤレスデバイス内の他の構成要素に受け渡し得る。
【０２５４】
[0236]  図１２は、本開示の態様による再同期信号設計をサポートするデバイス１２０５を含むシステム１２００の図を示す。デバイス１００５は、たとえば、図９および図１０を参照しながら上記で説明されたワイヤレスデバイス９０５、ワイヤレスデバイス１００５、またはＵＥ１１５の構成要素の一例であり得るか、またはそれらを含む。デバイス１２０５は、ＵＥ通信マネージャ１２１５と、プロセッサ１２２０と、メモリ１２２５と、ソフトウェア１２３０と、トランシーバ１２３５と、アンテナ１２４０と、Ｉ／Ｏコントローラ１２４５とを含む、通信を送信および受信するための構成要素を含む双方向音声およびデータ通信のための構成要素を含み得る。これらの構成要素は、１つまたは複数のバス（たとえば、バス１２１０）を介して電子通信していることがある。デバイス１２０５は、１つまたは複数の基地局１０５とワイヤレスに通信し得る。
【０２５５】
[0237]  プロセッサ１２２０は、インテリジェントハードウェアデバイス（たとえば、汎用プロセッサ、ＤＳＰ、中央処理ユニット（ＣＰＵ）、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。いくつかの場合に、プロセッサ１２２０は、メモリコントローラを使用してメモリアレイを動作させるように構成され得る。他の場合には、メモリコントローラはプロセッサ１２２０に組み込まれ得る。プロセッサ１２２０は、様々な機能（たとえば、再同期信号設計をサポートする機能またはタスク）を実施するためにメモリに記憶されたコンピュータ可読命令を実行するように構成され得る。
【０２５６】
[0238]  メモリ１２２５は、ランダムアクセスメモリ（ＲＡＭ）と読取り専用メモリ（ＲＯＭ）とを含み得る。メモリ１２２５は、実行されたとき、本明細書で説明される様々な機能をプロセッサに実施させる命令を含むコンピュータ可読、コンピュータ実行可能ソフトウェア１２３０を記憶し得る。いくつかの場合には、メモリ１２２５は、特に、周辺構成要素またはデバイスとの対話など、基本的なハードウェアまたはソフトウェア動作を制御し得る基本入出力システム（ＢＩＯＳ）を含んでいることがある。
【０２５７】
[0239]  ソフトウェア１２３０は、再同期信号設計をサポートするためのコードを含む、本開示の態様を実装するためのコードを含み得る。ソフトウェア１２３０は、システムメモリまたは他のメモリなどの非一時的コンピュータ可読媒体に記憶され得る。いくつかの場合には、ソフトウェア１２３０は、プロセッサによって直接的に実行可能でないことがあるが、（たとえば、コンパイルされ実行されたときに）本明細書で説明される機能をコンピュータに実施させ得る。
【０２５８】
[0240]  トランシーバ１２３５は、上記で説明されたように、１つまたは複数のアンテナ、ワイヤードリンク、またはワイヤレスリンクを介して双方向に通信し得る。たとえば、トランシーバ１２３５は、ワイヤレストランシーバを表すことがあり、別のワイヤレストランシーバと双方向に通信し得る。トランシーバ１２３５はまた、パケットを変調し、変調されたパケットを送信のためにアンテナに提供するための、およびアンテナから受信されたパケットを復調するためのモデムを含み得る。
【０２５９】
[0241]  いくつかの場合には、ワイヤレスデバイスは、単一のアンテナ１２４０を含み得る。しかしながら、いくつかの場合には、デバイスは、複数のワイヤレス送信を同時に送信または受信することが可能であり得る２つ以上のアンテナ１２４０を有し得る。
【０２６０】
[0242]  Ｉ／Ｏコントローラ１２４５は、デバイス１２０５のための入力信号と出力信号とを管理し得る。Ｉ／Ｏコントローラ１２４５はまた、デバイス１２０５に組み込まれていない周辺機器を管理し得る。いくつかの場合には、Ｉ／Ｏコントローラ１２４５は、外部周辺機器への物理接続またはポートを表し得る。いくつかの場合には、Ｉ／Ｏコントローラ１２４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなど、オペレーティングシステムを利用し得る。他の場合には、Ｉ／Ｏコントローラ１２４５は、モデム、キーボード、マウス、タッチスクリーン、または同様のデバイスを表すか、またはそれらと対話し得る。いくつかの場合には、Ｉ／Ｏコントローラ１２４５はプロセッサの一部として実装され得る。いくつかの場合には、ユーザは、Ｉ／Ｏコントローラ１２４５を介して、またはＩ／Ｏコントローラ１２４５によって制御されるハードウェア構成要素を介してデバイス１２０５と対話し得る。
【０２６１】
[0243]  図１３は、本開示の態様による再同期信号設計をサポートするワイヤレスデバイス１３０５のブロック図１３００を示す。ワイヤレスデバイス１３０５は、本明細書で説明される基地局１０５の態様の一例であり得る。ワイヤレスデバイス１３０５は、受信機１３１０と、基地局通信マネージャ１３１５と、送信機１３２０とを含み得る。ワイヤレスデバイス１３０５は、プロセッサをも含み得る。これらの構成要素の各々は、（たとえば、１つまたは複数のバスを介して）互いに通信していることがある。
【０２６２】
[0244]  受信機１３１０は、１つまたは複数のアンテナを介してシグナリング１３０７を受信し得、シグナリングを処理するために様々な動作（たとえば、ダウンコンバージョン、アナログデジタル変換、フィルタ処理、ベースバンド処理など）を実施し得る。この情報は、デバイスの他の構成要素に受け渡され得る。受信機１３１０は、パケット、ユーザデータ、または様々な情報チャネルに関連する制御情報（たとえば、再同期信号設計などに関係する制御チャネル、データチャネル、および情報）などの情報を受信し得る。情報は、デバイスの他の構成要素に受け渡され得る。受信機１３１０は、図１６を参照しながら説明されるトランシーバ１６３５の態様の一例であり得る。受信機１３１０は、単一のアンテナまたはアンテナのセットを利用し得る。
【０２６３】
[0245]  基地局通信マネージャ１３１５は、図１６を参照しながら説明される基地局通信マネージャ１６１５の態様の一例であり得る。基地局通信マネージャ１３１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ１３１５および／またはそれの様々な副構成要素のうちの少なくともいくつかの機能は、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本開示で説明される機能を実施するように設計されたそれらの任意の組合せによって実行され得る。基地局通信マネージャ１３１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、基地局通信マネージャ１３１５および／またはそれの様々な副構成要素のうちの少なくともいくつかは、本開示の様々な態様による、分離した別個の構成要素であり得る。他の例では、基地局通信マネージャ１３１５および／またはそれの様々な副構成要素のうちの少なくともいくつかは、限定はされないが、本開示の様々な態様による、Ｉ／Ｏ構成要素、トランシーバ、ネットワークサーバ、別のコンピューティングデバイス、本開示で説明される１つまたは複数の他の構成要素、あるいはそれらの組合せを含む、１つまたは複数の他のハードウェア構成要素と組み合わされ得る。
【０２６４】
[0246]  基地局通信マネージャ１３１５は、信号１３０７の表現であり得、第１の同期信号と第２の同期信号とを含み得る、信号１３１２を受信し得る。基地局通信マネージャ１３１５は、セルのための第１の同期信号を送信することと、第１の同期信号が、第１の周期性に従って送信される、セルのための第２の同期信号を送信することと、第２の同期信号が、第１の周期性とは異なる第２の周期性に従って送信され、ここで、第２の同期信号が、セルのセル識別子に基づく第１のシーケンスの繰り返しのセットを含む、第１の同期信号または第２の同期信号の送信に基づいてセルを介して少なくとも１つのＵＥと通信することとを行い得る。
【０２６５】
[0247]  基地局通信マネージャ１３１５は、信号を時間周波数リソースブロックのリソース要素の第１のサブセットに、および基準信号のセットを時間周波数リソースブロックのリソース要素の第２のサブセットにマッピングすることと、ここで、リソース要素の第１のサブセットが、時間周波数リソースブロックの第１のシンボル期間のリソース要素のサブセットと、時間周波数リソースブロックの第２のシンボル期間の各リソース要素とを含む、基準信号のセットのアンテナポートの数に基づいてリソース要素の第１のサブセットの各々と基準信号のセットとの間の電力比を識別することと、電力比に基づいて信号と基準信号のセットとを送信することとを行い得る。いくつかの場合には、基地局通信マネージャ１３１５は、情報１３１７を送信機１３２０に受け渡し得る。基地局通信マネージャ１３１５は、本明細書で説明される基地局通信マネージャ１４１５の態様の一例であり得る。
【０２６６】
[0248]  送信機１３２０は、デバイスの他の構成要素によって生成されたかまたはそれから受信された信号１３２２を送信し得る。いくつかの例では、送信機１３２０は、トランシーバモジュール中で受信機１３１０とコロケートされ得る。たとえば、送信機１３２０は、図１６を参照しながら説明されるトランシーバ１６３５の態様の一例であり得る。送信機１３２０は、単一のアンテナまたはアンテナのセットを利用し得る。
【０２６７】
[0249]  送信機１３２０は、第１のアンテナポートを介して第１のサブシーケンスを、および第２のアンテナポートを介して第２のサブシーケンスを送信することと、第１のアンテナポートを介して第１のシーケンスを、および第２のアンテナポートを介して第２のシーケンスを送信することと、セルに関連するシステム情報を送信することと、システム情報が、第２の同期信号の存在、第２の同期信号のタイミング情報（たとえば、第２の周期性、第１の同期信号からのタイミングオフセット）、第２の同期信号の長さ、第２の同期信号の周波数オフセットおよび／または周波数ロケーション、第２の同期信号の送信電力、第２の同期信号の帯域幅、第２の同期信号のホッピングパターン、第２の周期性の乗法的ファクタ、あるいはオーバーヘッド割合のうちの少なくとも１つを示す、を行う。
【０２６８】
[0250]  図１４は、本開示の態様による再同期信号設計をサポートするワイヤレスデバイス１４０５のブロック図１４００を示す。ワイヤレスデバイス１４０５は、図１０を参照しながら説明されたワイヤレスデバイス１３０５または基地局１０５の態様の一例であり得る。ワイヤレスデバイス１４０５は、受信機１４１０と、基地局通信マネージャ１４１５と、送信機１４２０とを含み得る。ワイヤレスデバイス１３０５は、プロセッサをも含み得る。これらの構成要素の各々は、（たとえば、１つまたは複数のバスを介して）互いに通信していることがある。
【０２６９】
[0251]  受信機１４１０は、１つまたは複数のアンテナを介してシグナリング１４０７を受信し得る受信し得る。いくつかの場合には、シグナリング１４０７は、パケット、ユーザデータ、または様々な情報チャネルに関連する制御情報（たとえば、再同期信号設計などに関係する制御チャネル、データチャネル、および情報）などの情報を含み得る。情報は、デバイスの他の構成要素に受け渡され得る。受信機１４１０は、図１６を参照しながら説明されるトランシーバ１６３５の態様の一例であり得る。受信機１４１０は、単一のアンテナまたはアンテナのセットを利用し得る。受信機１４１０は、信号１４０７、または（たとえば、フィルタ処理、デジタル化などされた）シグナリング１４０７の表現を、信号１４１２中で基地局通信マネージャ１４１５に伝え得る。
【０２７０】
[0252]  基地局通信マネージャ１４１５は、図１６を参照しながら説明される基地局通信マネージャ１６１５の態様の一例であり得る。基地局通信マネージャ１４１５はまた、同期構成要素１４２５と、通信構成要素１４３０と、マッピング構成要素１４３５と、電力比構成要素１４４０と、信号送信構成要素１４４５とを含み得る。
【０２７１】
[0253]  同期構成要素１４２５は、セルのための第１の同期信号を送信することと、第１の同期信号が、第１の周期性に従って送信される、セルのための第２の同期信号を送信することと、第２の同期信号が、第２の周期性に従って送信され、ここで、第２の同期信号が、セルのセル識別子に基づく第１のシーケンスの繰り返しのセットを含む、を行い得る。いくつかの場合には、第２の周期性は、第１の周期性とは異なる。いくつかの場合には、同期構成要素１４２５は、第２の同期信号の後にセルのための第３の同期信号を送信してよく、第３の同期信号は、第１のシーケンスのシーケンス長よりも長いシーケンス長を有する。いくつかの例では、同期構成要素１４２５は、少なくとも１つのＵＥに、ネイバーセルのための再同期信号構成を送信してよく、再同期信号構成は、ネイバーセルのための再同期信号の存在、再同期信号の周期性、再同期信号の長さ、再同期信号のタイミングオフセット、再同期信号の周波数オフセット、再同期信号の送信電力、再同期信号の帯域幅、または再同期信号のホッピングパターンのうちの少なくとも１つを含む。いくつかの場合には、第２の同期信号は、第２のシーケンスの繰り返しのセットを含み、ここで、第１のシーケンスの繰り返しのセットと、第２のシーケンスの繰り返しのセットとは、バイナリシーケンスに従って送信される。いくつかの場合には、再同期信号構成は、基地局から少なくとも１つのＵＥにシステム情報中でまたは専用シグナリング中で送信される。
【０２７２】
[0254]  いくつかの例では、第１の同期信号は、複数のＰＲＢにわたってよく、第２の同期信号は、これらの複数のＰＲＢにわたってよい。いくつかの例では、第１の同期信号は、複数のＰＲＢにわたってよく、第２の同期信号は、これらの複数のＰＲＢのサブセットにわたってよい。いくつかの例では、第２の同期信号に関連する送信電力は、複数のＰＲＢのサブセット中のＰＲＢの第２の数に対する複数のＰＲＢ中のＰＲＢの第１の数の比だけ、第１の同期信号に関連する送信電力に対して増加され得る。いくつかの場合には、複数のＰＲＢのサブセットは、ＰＲＢの連続セットに対応し得る。いくつかの場合には、複数のＰＲＢのサブセットは、ＰＲＢの不連続セットに対応し得る。
【０２７３】
[0255]  通信構成要素１４３０は、第１の同期信号または第２の同期信号の送信に基づいてセルを介して少なくとも１つのＵＥと通信し得る。たとえば、通信構成要素１４３０は、第１の同期信号と第２の同期信号とに関連する情報を、信号１４１７を介して送信機１４２０に受け渡し得る。
【０２７４】
[0256]  マッピング構成要素１４３５は、信号を時間周波数リソースブロックのリソース要素の第１のサブセットに、および基準信号のセットを時間周波数リソースブロックのリソース要素の第２のサブセットにマッピングしてよく、ここで、リソース要素の第１のサブセットは、時間周波数リソースブロックの第１のシンボル期間のリソース要素のサブセットと、時間周波数リソースブロックの第２のシンボル期間の各リソース要素とを含む。
【０２７５】
[0257]  電力比構成要素１４４０は、基準信号のセットのアンテナポートの数に基づいてリソース要素の第１のサブセットの各々と基準信号のセットとの間の電力比を識別し得る。信号送信構成要素１４４５は、電力比に基づいて信号と基準信号のセットとを送信し得る。たとえば、信号送信構成要素１４４５は、信号１４１７中に信号と基準信号のセットとを含め、信号１４１７を送信機１４２０に受け渡し得る。
【０２７６】
[0258]  送信機１４２０は、デバイスの他の構成要素によって生成された信号１４２２を送信し得る。いくつかの例では、送信機１４２０は、トランシーバモジュール中で受信機１４１０とコロケートされ得る。たとえば、送信機１４２０は、図１６を参照しながら説明されるトランシーバ１６３５の態様の一例であり得る。送信機１４２０は、単一のアンテナまたはアンテナのセットを利用し得る。
【０２７７】
[0259]  図１５Ａは、本開示の態様による再同期信号設計をサポートする基地局通信マネージャ１５１５のブロック図１５００を示す。基地局通信マネージャ１５１５は、図１２、図１３、および図１６を参照しながら説明される基地局通信マネージャ１６１５の態様の一例であり得る。基地局通信マネージャ１５１５は、同期構成要素１５２０と、通信構成要素１５２５と、シーケンス構成要素１５３０と、周期性構成要素１５３５と、サブフレーム構成要素１５４０と、パンクチャ構成要素１５４５とを含み得る。これらのモジュールの各々は、直接的または間接的に、（たとえば、１つまたは複数のバスを介して）互いに通信し得る。
【０２７８】
[0260]  同期構成要素１５２０は、同期信号情報１５０２を受信し得る。同期構成要素１５２０は、同期信号１５０２に基づいて第１の同期信号と第２の同期信号とを決定し得る。同期構成要素１５２０は、セルのための第１の同期信号を送信することと、第１の同期信号が、第１の周期性に従って送信される、セルのための第２の同期信号を送信することと、第２の同期信号が、第２の周期性に従って送信され、ここで、第２の同期信号が、セルのセル識別子に基づく第１のシーケンスの繰り返しのセットを含む、を行い得る。いくつかの場合には、第２の周期性は、第１の周期性とは異なる。いくつかの場合には、同期構成要素１５２０は、第１の同期信号と第２の同期信号とを、信号１５２６を介して通信構成要素１５２５に送り得る。
【０２７９】
[0261]  同期構成要素１５２０は、第２の同期信号の後にセルのための第３の同期信号を送信することと、第３の同期信号が、第１のシーケンスのシーケンス長よりも長いシーケンス長を有する、少なくとも１つのＵＥに、ネイバーセルのための再同期信号構成を送信することと、再同期信号構成が、ネイバーセルのための再同期信号の存在、再同期信号の周期性、再同期信号の長さ、再同期信号のタイミングオフセット、再同期信号の周波数オフセット、再同期信号の送信電力、再同期信号の帯域幅、または再同期信号のホッピングパターンのうちの少なくとも１つを含む、を行い得る。いくつかの場合には、同期構成要素１５２０は、同期情報１５０２に基づいて第３の同期信号と再同期信号とを決定し得る。いくつかの場合には、第２の同期信号は、第２のシーケンスの繰り返しのセットを含み、ここで、第１のシーケンスの繰り返しのセットと、第２のシーケンスの繰り返しのセットとは、バイナリシーケンスに従って送信される。いくつかの場合には、再同期信号構成は、基地局から少なくとも１つのＵＥにシステム情報中でまたは専用シグナリング中で送信される。
【０２８０】
[0262]  シーケンス構成要素１５３０は、セル識別子１５０６を受信し得る。シーケンス構成要素１５３０は、第２の同期信号の長さまたはセル識別子１５０６に基づいてバイナリシーケンスを識別し得る。いくつかの場合には、第１のシーケンスは、第１のサブシーケンスと、第２のサブシーケンスとを含む。いくつかの場合には、第２のサブシーケンスは、第１のサブシーケンスの複素共役に対応する。いくつかの場合には、第１のシーケンスと、第２のシーケンスとは、互いに相互相関の低い絶対値を有する。いくつかの場合には、第２のシーケンスは、第１のシーケンスの複素共役に対応する。いくつかの場合には、第３の同期信号のシーケンス長は、第２の同期信号のシーケンス長よりも短い。いくつかの場合には、第１のシーケンスは、ＰＮシーケンス、Ｚａｄｏｆｆ−Ｃｈｕシーケンス、またはバイナリシーケンスとのサブシーケンスのクロネッカー積の結果に対応する。いくつかの場合には、サブシーケンスは、ＰＮシーケンスまたはＺａｄｏｆｆ−Ｃｈｕシーケンスに対応する。いくつかの場合には、バイナリシーケンスは、最大長シーケンス、バーカーコード、またはゴールドシーケンスに対応する。
【０２８１】
[0263]  周期性構成要素１５３５は、システム情報１５１２を受信し得る。周期性構成要素１５３５は、システム情報１５１２中に示される第２の同期信号の長さと第２の周期性との間の関連付けに基づいて第２の周期性を決定し、システム情報１５１２中に示される第２の周期性と第２の同期信号の長さとの間の関連付けに基づいて第２の同期信号の長さを決定し得る。いくつかの場合には、システム情報１５１２中で受信された第２の同期信号の長さと第２の周期性との間の関連付けは、乗法的ファクタ（multiplicative factor）に基づいて決定される。いくつかの場合には、システム情報１５１２中で受信された第２の周期性と第２の同期信号の長さとの間の関連付けは、オーバーヘッド割合に基づいて決定される。
【０２８２】
[0264]  サブフレーム構成要素１５４０は、第２の同期信号のためのスケジュールされたサブフレームのセットのうちの少なくとも１つが、第２の同期信号ののために制限されたサブフレームと一致すると識別し、第２の同期信号を送信することのために、スケジュールされたサブフレームのセットを修正し得る。いくつかの場合には、制限されたサブフレームは、マルチキャストサブフレーム、ＭＴＣ無効サブフレーム、ＴＤＤアップリンクサブフレーム、またはＴＤＤスペシャルサブフレームのうちの１つを含む。いくつかの場合には、スケジュールされたサブフレームのセットを修正することは、スケジュールされたサブフレームのセットのうちの少なくとも１つを、制限されたサブフレームの後の次のサブフレームに延期することと、制限されたサブフレームのために、スケジュールされたサブフレームのセットのうちの少なくとも１つの送信を抑制することと、制限されたサブフレーム中で、スケジュールされたサブフレームのセットのうちの少なくとも１つの一部分を送信することとを含むグループから修正行為を選択することを含む。いくつかの場合には、修正行為を選択することは、ＴＤＤスペシャルサブフレーム構成に基づく。
【０２８３】
[0265]  パンクチャ構成要素１５４５は、基準信号、第１の同期信号、またはブロードキャストチャネルのうちの少なくとも１つを用いて第２の同期信号をパンクチャし得る。通信構成要素１５２５は、信号１５２６を介して第１の同期信号と第２の同期信号とを受信し得る。通信構成要素１５２５は、第１の同期信号または第２の同期信号の送信に基づいてセルを介して少なくとも１つのＵＥと通信し得る。いくつかの場合には、通信構成要素１５２５は、信号１５２８を介して通信し得る。
【０２８４】
[0266]  図１５Ｂは、本開示の態様による再同期信号設計をサポートする基地局通信マネージャ１５５２のブロック図１５５１を示す。基地局通信マネージャ１５５２は、図１３、図１５Ａおよび図１６を参照しながら説明される基地局通信マネージャ１３１５、または基地局通信マネージャ１５１５、または基地局通信マネージャ１６１５の態様の一例であり得る。基地局通信マネージャ１５１５は、マッピング構成要素１５５０と、電力比構成要素１５５５と、信号送信構成要素１５６０と、電力ブーストパラメータ構成要素１５６５とを含み得る。これらのモジュールの各々は、直接的または間接的に、（たとえば、１つまたは複数のバスを介して）互いに通信し得る。
【０２８５】
[0267]  マッピング構成要素１５５０は、信号１５２４を受信してよく、信号１５２４を時間周波数リソースブロックのリソース要素の第１のサブセットに、および基準信号のセットを時間周波数リソースブロックのリソース要素の第２のサブセットにマッピングしてよく、ここで、リソース要素の第１のサブセットは、時間周波数リソースブロックの第１のシンボル期間のリソース要素のサブセットと、時間周波数リソースブロックの第２のシンボル期間の各リソース要素とを含む。いくつかの場合には、基準信号のセットのうちの第１の基準信号は、時間周波数リソースブロックの第１のリソース要素にマッピングされ、基準信号のセットのうちの第２の基準信号は、時間周波数リソースブロックの第２のリソース要素にマッピングされる。マッピング構成要素１５５０は、マッピングされた信号１５５４を電力比構成要素１５５５に受け渡し得る。
【０２８６】
[0268]  電力比構成要素１５５５は、基準信号のセットのアンテナポートの数に基づいてリソース要素の第１のサブセットの各々と基準信号のセットとの間の電力比１５５６を識別し得る。いくつかの例では、電力比構成要素１５５５は、第１のシンボル期間のための基準信号のセットとデータチャネルのリソース要素との間の第１の電力比と、第２のシンボル期間のための基準信号のセットとデータチャネルのリソース要素との間の第２の電力比との関数を評価し得る。
【０２８７】
[0269]  いくつかの場合には、関数は、第１の電力比と第２の電力比との最小値を含む。いくつかの場合には、関数は、第１の電力比と第２の電力比との最大値を含む。いくつかの場合には、関数は、第１のスケーリングファクタとの第１の電力比の積と、第２のスケーリングファクタとの第２の電力比の積との和を含む。
【０２８８】
[0270]  いくつかの場合には、基準信号のセットとデータチャネルのリソース要素との間の第１の電力比は、第１のシンボル期間のために構成され、基準信号のセットとデータチャネルのリソース要素との間の第２の電力比は、第２のシンボル期間のために構成され、ここで、システム情報パラメータの値の第１のサブセットについて、電力比１５５６は第１の電力比に対応し、システム情報パラメータの値の第２のサブセットについて、電力比１５５６は第２の電力比に対応する。
【０２８９】
[0271]  いくつかの場合には、電力比１５５６を識別することは、第１のシンボル期間のための基準信号のセットとデータチャネルのリソース要素との間の第１の電力比、および第２のシンボル期間のための基準信号のセットとデータチャネルのリソース要素との間の第２の電力比に独立している。いくつかの場合には、電力比１５５６は、いくつかのアンテナポートの各々についてのポート毎電力比に基づく。いくつかの場合には、いくつかのアンテナポートの各々は、基地局における単一のＲＦチェーンに関連付けられる。電力比構成要素１５５５は、決定された電力比１５５６を信号送信構成要素１５６０に受け渡し得る。
【０２９０】
[0272]  電力ブーストパラメータ構成要素１５６５は、信号に関連する電力ブーストパラメータを構成してよく、電力ブーストパラメータは、信号の送信電力の構成可能な増加を示す。いくつかの例では、電力比１５５６を識別することは、電力ブーストパラメータに基づく。いくつかの場合には、電力ブーストパラメータは、いくつかのブランキングされた時間周波数リソースブロックに基づく。
【０２９１】
[0273]  信号送信構成要素１５６０は、電力比１５６５に基づいて信号と基準信号のセットとを送信し得る。いくつかの場合には、送信することは、第１のアンテナポートを介して、第１のリソース要素を介して第１の基準信号を、および第２のリソース要素を介してヌルシンボルを送信することと、第２のアンテナポートを介して、第２のリソース要素を介して第２の基準信号を、および第１のリソース要素を介してヌルシンボルを送信することとを含む。いくつかの場合には、信号は、セルのセル識別子に基づく第１のシーケンスの繰り返しのセットを含む再同期信号を含む。いくつかの場合には、信号は、ページングオケージョンより前に送信されるウェークアップ信号を含む。信号送信構成要素１５６０は、信号１５６２を介して信号と基準信号のセットとを送信し得る。
【０２９２】
[0274]  図１６は、本開示の態様による再同期信号設計をサポートするデバイス１６０５を含むシステム１６００の図を示す。デバイス１６０５は、たとえば、図１を参照しながら、上記で説明された基地局１０５の構成要素の一例であるか、またはそれを含み得る。デバイス１６０５は、基地局通信マネージャ１６１５と、プロセッサ１６２０と、メモリ１６２５と、ソフトウェア１６３０と、トランシーバ１６３５と、アンテナ１６４０と、ネットワーク通信マネージャ１６４５と、局間通信マネージャ１６５０とを含む、通信を送信および受信するための構成要素を含む双方向音声およびデータ通信のための構成要素を含み得る。これらの構成要素は、１つまたは複数のバス（たとえば、バス１６１０）を介して電子通信していることがある。デバイス１６０５は、１つまたは複数のＵＥ１１５とワイヤレスに通信し得る。
【０２９３】
[0275]  プロセッサ１６２０は、インテリジェントハードウェアデバイス（たとえば、汎用プロセッサ、ＤＳＰ、ＣＰＵ、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。いくつかの場合には、プロセッサ１６２０は、メモリコントローラを使用してメモリアレイを動作させるように構成され得る。他の場合には、メモリコントローラはプロセッサ１６２０に組み込まれ得る。プロセッサ１６２０は、様々な機能（たとえば、再同期信号設計をサポートする機能またはタスク）を実施するためにメモリに記憶されたコンピュータ可読命令を実行するように構成され得る。
【０２９４】
[0276]  メモリ１６２５は、ＲＡＭとＲＯＭとを含み得る。メモリ１６２５は、実行されたとき、本明細書で説明される様々な機能をプロセッサに実施させる命令を含むコンピュータ可読、コンピュータ実行可能ソフトウェア１６３０を記憶し得る。いくつかの場合には、メモリ１６２５は、特に、周辺構成要素またはデバイスとの対話など、基本的なハードウェアまたはソフトウェア動作を制御し得るＢＩＯＳを含んでいることがある。
【０２９５】
[0277]  ソフトウェア１６３０は、再同期信号設計をサポートするためのコードを含む、本開示の態様を実装するためのコードを含み得る。ソフトウェア１６３０は、システムメモリまたは他のメモリなどの非一時的コンピュータ可読媒体に記憶され得る。いくつかの場合には、ソフトウェア１６３０は、プロセッサによって直接的に実行可能でないことがあるが、（たとえば、コンパイルされ実行されたときに）本明細書で説明される機能をコンピュータに実施させ得る。
【０２９６】
[0278]  トランシーバ１６３５は、上記で説明されたように、１つまたは複数のアンテナ、ワイヤードリンク、またはワイヤレスリンクを介して双方向に通信し得る。たとえば、トランシーバ１６３５は、ワイヤレストランシーバを表し得、別のワイヤレストランシーバと双方向に通信し得る。トランシーバ１６３５はまた、パケットを変調し、変調されたパケットを送信のためにアンテナに提供するための、およびアンテナから受信されたパケットを復調するためのモデムを含み得る。いくつかの場合には、ワイヤレスデバイスは、単一のアンテナ１６４０を含み得る。しかしながら、いくつかの場合には、デバイスは、複数のワイヤレス送信を同時に送信または受信することが可能であり得る２つ以上のアンテナ１６４０を有し得る。
【０２９７】
[0279]  ネットワーク通信マネージャ１６４５は、（たとえば、１つまたは複数のワイヤードバックホールリンクを介して）コアネットワークとの通信を管理し得る。たとえば、ネットワーク通信マネージャ１６４５は、１つまたは複数のＵＥ１１５など、クライアントデバイスのためのデータ通信の転送を管理し得る。
【０２９８】
[0280]  局間通信マネージャ１６５０は、他の基地局１０５との通信を管理し得、他の基地局１０５と協働してＵＥ１１５との通信を制御するためのコントローラまたはスケジューラを含み得る。たとえば、局間通信マネージャ１６５０は、ビームフォーミングまたはジョイント送信などの様々な干渉緩和技法のためにＵＥ１１５への送信のためのスケジューリングを協調させ得る。いくつかの例では、局間通信マネージャ１６５０は、基地局１０５間の通信を行うために、ＬＴＥ／ＬＴＥ−Ａワイヤレス通信ネットワーク技術内のＸ２インターフェースを提供し得る。
【０２９９】
[0281]  図１７は、本開示の態様による再同期信号設計のための方法１７００を示すフローチャートを示す。方法１７００の動作は、本明細書で説明されるＵＥ１１５またはそれの構成要素によって実装され得る。たとえば、方法１７００の動作は、図９〜図１２を参照しながら説明されたＵＥ通信マネージャによって実施され得る。いくつかの例では、ＵＥ１１５は、以下で説明される機能を実施するようにデバイスの機能要素を制御するためのコードのセットを実行し得る。追加または代替として、ＵＥ１１５は、専用ハードウェアを使用して、以下で説明される機能の態様を実施し得る。
【０３００】
[0282]  １７０５において、ＵＥ１１５は、セルと同期するための第１の同期信号を受信し得る。いくつかの場合には、第１の同期信号は、セルにサービスする基地局によって第１の周期性に従って送信され得る。いくつかの場合には、第１の同期信号は、複数のＰＲＢにわたる。１７０５の動作は、本明細書で説明される方法に従って実施され得る。いくつかの例では、１７０５の動作の態様は、図９〜図１２を参照しながら説明された同期構成要素によって実施され得る。
【０３０１】
[0283]  １７１０において、ＵＥ１１５は、セルと再同期するための第２の同期信号を受信し得る。いくつかの例では、第２の同期信号は、同期することの後に受信され得る。いくつかの場合には、第１の周期性とは異なる第２の周期性に従って基地局によって送信される第２の同期信号。いくつかの場合には、第２の同期信号は、セルのセル識別子に基づく第１のシーケンスの複数の繰り返しを含み得る。いくつかの場合には、第２の同期信号は、第２のシーケンスの複数の繰り返しを含み得る。第１のシーケンスの複数の繰り返しと、第２のシーケンスの複数の繰り返しとは、バイナリシーケンスに従って送信され得る。１７１０の動作は、本明細書で説明される方法に従って実施され得る。いくつかの例では、１７１０の動作の態様は、図９〜図１２を参照しながら説明された再同期構成要素によって実施され得る。
【０３０２】
[0284]  １７１５において、ＵＥ１１５は、再同期することに基づいてセルを介して基地局と通信し得る。１７１５の動作は、本明細書で説明される方法に従って実施され得る。いくつかの例では、１７１５の動作の態様は、図９〜図１２を参照しながら説明された通信構成要素によって実施され得る。
【０３０３】
[0285]  図１８は、本開示の態様による再同期信号設計のための方法１８００を示すフローチャートを示す。方法１８００の動作は、本明細書で説明されるＵＥ１１５またはそれの構成要素によって実装され得る。たとえば、方法１８００の動作は、図９〜図１２を参照しながら説明されたＵＥ通信マネージャによって実施され得る。いくつかの例では、ＵＥ１１５は、以下で説明される機能を実施するようにデバイスの機能要素を制御するためのコードのセットを実行し得る。追加または代替として、ＵＥ１１５は、専用ハードウェアを使用して、以下で説明される機能の態様を実施し得る。
【０３０４】
[0286]  １８０５において、ＵＥ１１５は、セルと同期するための第１の同期信号を受信し得る。図１６を参照しながら前に説明されたように、第１の同期信号は、セルにサービスする基地局によって第１の周期性に従って送信され得る。１８０５の動作は、本明細書で説明される方法に従って実施され得る。いくつかの例では、１８０５の動作の態様は、図９〜図１２を参照しながら説明された同期構成要素によって実施され得る。
【０３０５】
[0287]  １８１０において、ＵＥ１１５は、基地局のセル識別子を決定し得る。いくつかの場合には、ＵＥ１１５は、第１の同期信号から基地局のセル識別子を決定し得る。１８１０の動作は、本明細書で説明される方法に従って実施され得る。いくつかの例では、１８１０の動作の態様は、図９〜図１２を参照しながら説明されたセル識別子構成要素によって実施され得る。
【０３０６】
[0288]  １８１５において、ＵＥ１１５は、セルと再同期するための第２の同期信号を受信し得る。いくつかの場合には、第２の同期信号は、第２の周期性に従って基地局によって送信され得る。いくつかの場合には、第２の周期性は、第１の周期性とは異なり得る。いくつかの場合には、第２の同期信号は、セルのセル識別子に基づく第１のシーケンスの複数の繰り返しを含み得る。１８１５の動作は、本明細書で説明される方法に従って実施され得る。いくつかの例では、１８１５の動作の態様は、図９〜図１２を参照しながら説明された再同期構成要素によって実施され得る。
【０３０７】
[0289]  １８２０において、ＵＥ１１５は、再同期することのために第２の同期信号を相関させ得る。いくつかの場合には、ＵＥ１１５は、セル識別子に基づいて決定される第１のシーケンスの表現を使用して第２の同期信号を相関させ得る。１８２０の動作は、本明細書で説明される方法に従って実施され得る。いくつかの例では、１８２０の動作の態様は、図９〜図１２を参照しながら説明された相関構成要素によって実施され得る。
【０３０８】
[0290]  １８２５において、ＵＥ１１５は、再同期することに基づいてセルを介して基地局と通信し得る。１８２５の動作は、本明細書で説明される方法に従って実施され得る。いくつかの例では、１８２５の動作の態様は、図９〜図１２を参照しながら説明された通信構成要素によって実施され得る。
【０３０９】
[0291]  図１９は、本開示の態様による再同期信号設計のための方法１９００を示すフローチャートを示す。方法１９００の動作は、本明細書で説明される基地局１０５またはそれの構成要素によって実装され得る。たとえば、方法１９００の動作は、図１３〜図１６を参照しながら説明された基地局通信マネージャによって実施され得る。いくつかの例では、基地局１０５は、以下で説明される機能を実施するようにデバイスの機能要素を制御するためのコードのセットを実行し得る。追加または代替として、基地局１０５は、専用ハードウェアを使用して、以下で説明される機能の態様を実施し得る。
【０３１０】
[0292]  １９０５において、セルにサービスする基地局１０５は、セルのための第１の同期信号を送信し得る。いくつかの場合には、第１の同期信号は、第１の周期性に従って送信され得る。１９０５の動作は、本明細書で説明される方法に従って実施され得る。いくつかの例では、１９０５の動作の態様は、図１３〜図１６を参照しながら説明された同期構成要素によって実施され得る。
【０３１１】
[0293]  １９１０において、基地局１０５は、セルのための第２の同期信号を送信してよく、第２の同期信号は、第１の周期性とは異なる第２の周期性に従って送信される。いくつかの場合には、第２の同期信号は、セルのセル識別子に基づく第１のシーケンスの複数の繰り返しを含み得る。基地局１０５は、サービングセルのセル識別子を識別し得、セル識別子に基づいて第２の同期信号を送信し得る。１９１０の動作は、本明細書で説明される方法に従って実施され得る。いくつかの例では、１９１０の動作の態様は、図１３〜図１６を参照しながら説明された同期構成要素によって実施され得る。
【０３１２】
[0294]  １９１５において、基地局１０５は、第１の同期信号または第２の同期信号の送信に基づいてセルを介して少なくとも１つのＵＥと通信し得る。１９１５の動作は、本明細書で説明される方法に従って実施され得る。いくつかの例では、１９１５の動作の態様は、図１３〜図１６を参照しながら説明された通信構成要素によって実施され得る。
【０３１３】
[0295]  図２０は、本開示の態様による再同期信号設計のための方法２０００を示すフローチャートを示す。方法２０００の動作は、本明細書で説明される基地局１０５またはそれの構成要素によって実装され得る。たとえば、方法２０００の動作は、図１３〜図１６を参照しながら説明された基地局通信マネージャによって実施され得る。いくつかの例では、基地局１０５は、以下で説明される機能を実施するようにデバイスの機能要素を制御するためのコードのセットを実行し得る。追加または代替として、基地局１０５は、専用ハードウェアを使用して、以下で説明される機能の態様を実施し得る。
【０３１４】
[0296]  ２００５において、セルにサービスする基地局１０５は、セルのための第１の同期信号を送信し得る。いくつかの場合には、第１の同期信号は、第１の周期性に従って送信され得る。２００５の動作は、本明細書で説明される方法に従って実施され得る。いくつかの例では、２００５の動作の態様は、図１３〜図１６を参照しながら説明された同期構成要素によって実施され得る。
【０３１５】
[0297]  ２０１０において、基地局１０５は、第２の同期信号のための複数のスケジュールされたサブフレームのうちの少なくとも１つが、第２の同期信号ののために制限されたサブフレームと一致すると識別し得る。いくつかの場合には、制限されたサブフレームは、マルチキャストサブフレーム、ＭＴＣ無効サブフレーム、ＴＤＤアップリンクサブフレーム、またはＴＤＤスペシャルサブフレームを含み得る。２０１０の動作は、本明細書で説明される方法に従って実施され得る。いくつかの例では、２０１０の動作の態様は、図１３〜図１６を参照しながら説明されたサブフレーム構成要素によって実施され得る。
【０３１６】
[0298]  ２０１５において、基地局１０５は、第２の同期信号を送信することのために、複数のスケジュールされたサブフレームを修正し得る。修正するために、基地局１０５は、複数のスケジュールされたサブフレームのうちの少なくとも１つを、制限されたサブフレームの後の次のサブフレームに延期することと、制限されたサブフレームのために、複数のスケジュールされたサブフレームのうちの少なくとも１つの送信を抑制することとを含むグループから修正行為を最初に選択し得る。基地局１０５は、次いで、制限されたサブフレーム中で、複数のスケジュールされたサブフレームのうちの少なくとも１つの一部分を送信し得る。２０１５の動作は、本明細書で説明される方法に従って実施され得る。いくつかの例では、２０１５の動作の態様は、図１３〜図１６を参照しながら説明されたサブフレーム構成要素によって実施され得る。
【０３１７】
[0299]  ２０２０において、基地局１０５は、スケジュールされたサブフレームの修正されたセットに基づいてセルのための第２の同期信号を送信し得る。いくつかの例では、第２の同期信号は、第２の周期性に従って送信され得る。いくつかの場合には、第２の周期性は、第１の周期性とは異なり得る。いくつかの場合には、第２の同期信号は、セルのセル識別子に基づく第１のシーケンスの複数の繰り返しを含み得る。２０２０の動作は、本明細書で説明される方法に従って実施され得る。いくつかの例では、２０２０の動作の態様は、図１３〜図１６を参照しながら説明された同期構成要素によって実施され得る。
【０３１８】
[0300]  ２０２５において、基地局１０５は、第１の同期信号または第２の同期信号の送信に基づいてセルを介して少なくとも１つのＵＥと通信し得る。２０２５の動作は、本明細書で説明される方法に従って実施され得る。いくつかの例では、２０２５の動作の態様は、図１３〜図１６を参照しながら説明された通信構成要素によって実施され得る。
【０３１９】
[0301]  図２１は、本開示の態様による再同期信号設計をサポートする方法２１００を示すフローチャートを示す。方法２１００の動作は、本明細書で説明されるＵＥ１１５またはそれの構成要素によって実装され得る。たとえば、方法２１００の動作は、図９〜図１２を参照しながら説明された通信マネージャによって実施され得る。いくつかの例では、ＵＥは、以下で説明される機能を実施するようにＵＥの機能要素を制御するための命令のセットを実行し得る。追加または代替として、ＵＥは、専用ハードウェアを使用して、以下で説明される機能の態様を実施し得る。
【０３２０】
[0302]  ２１０５において、ＵＥは、時間周波数リソースブロックのリソース要素の第１のサブセットにマッピングされた信号と、時間周波数リソースブロックのリソース要素の第２のサブセットにマッピングされた基準信号のセットとを受信し得る。いくつかの場合には、リソース要素の第１のサブセットは、時間周波数リソースブロックの第１のシンボル期間のリソース要素のサブセットと、時間周波数リソースブロックの第２のシンボル期間の各リソース要素とを含む。２１０５の動作は、本明細書で説明される方法に従って実施され得る。いくつかの例では、２１０５の動作の態様は、図９〜図１２を参照しながら説明された信号受信構成要素によって実施され得る。
【０３２１】
[0303]  ２１１０において、ＵＥは、基準信号のセットのアンテナポートの数に基づいてリソース要素の第１のサブセットの各々と基準信号のセットとの間の電力比を識別し得る。電力比を識別するために、ＵＥは、第１のシンボル期間のための基準信号のセットとデータチャネルのリソース要素との間の第１の電力比と、第２のシンボル期間のための基準信号のセットとデータチャネルのリソース要素との間の第２の電力比との関数を評価し得る。２１１０の動作は、本明細書で説明される方法に従って実施され得る。いくつかの例では、２１１０の動作の態様は、図９〜図１２を参照しながら説明された電力比構成要素によって実施され得る。
【０３２２】
[0304]  ２１１５において、ＵＥは、電力比に基づいて信号を復調し得る。２１１５の動作は、本明細書で説明される方法に従って実施され得る。いくつかの例では、２１１５の動作の態様は、図９〜図１２を参照しながら説明された復調構成要素によって実施され得る。
【０３２３】
[0305]  図２２は、本開示の態様による再同期信号設計をサポートする方法２２００を示すフローチャートを示す。方法２２００の動作は、本明細書で説明されるＵＥ１１５またはそれの構成要素によって実装され得る。たとえば、方法２２００の動作は、図９〜図１２を参照しながら説明された通信マネージャによって実施され得る。いくつかの例では、ＵＥは、以下で説明される機能を実施するようにＵＥの機能要素を制御するための命令のセットを実行し得る。追加または代替として、ＵＥは、専用ハードウェアを使用して、以下で説明される機能の態様を実施し得る。
【０３２４】
[0306]  ２２０５において、ＵＥは、時間周波数リソースブロックのリソース要素の第１のサブセットにマッピングされた信号と、時間周波数リソースブロックのリソース要素の第２のサブセットにマッピングされた基準信号のセットとを受信し得る。いくつかの場合には、リソース要素の第１のサブセットは、時間周波数リソースブロックの第１のシンボル期間のリソース要素のサブセットと、時間周波数リソースブロックの第２のシンボル期間の各リソース要素とを含む。２２０５の動作は、本明細書で説明される方法に従って実施され得る。いくつかの例では、２２０５の動作の態様は、図９〜図１２を参照しながら説明された信号受信構成要素によって実施され得る。
【０３２５】
[0307]  ２２１０において、ＵＥは、第１のシンボル期間のための基準信号のセットとデータチャネルのリソース要素との間の第１の電力比と、第２のシンボル期間のための基準信号のセットとデータチャネルのリソース要素との間の第２の電力比との関数を評価し得る。いくつかの場合には、関数は、第１の電力比によって第２の電力比を正規化することを含む。いくつかの場合には、関数は、第１の電力比と第２の電力比との最小値を含む。いくつかの場合には、関数は、第１の電力比と第２の電力比との最大値を含む。いくつかの場合には、関数は、第１のスケーリングファクタとの第１の電力比の積と、第２のスケーリングファクタとの第２の電力比の積との和を含む。２２１０の動作は、本明細書で説明される方法に従って実施され得る。いくつかの例では、２２１０の動作の態様は、図９〜図１２を参照しながら説明された電力比構成要素によって実施され得る。
【０３２６】
[0308]  ２２１５において、ＵＥは、基準信号のセットのアンテナポートの数に基づいてリソース要素の第１のサブセットの各々と基準信号のセットとの間の電力比を識別し得る。２２１５の動作は、本明細書で説明される方法に従って実施され得る。いくつかの例では、２２１５の動作の態様は、図９〜図１２を参照しながら説明された電力比構成要素によって実施され得る。
【０３２７】
[0309]  ２２２０において、ＵＥは、電力比に基づいて信号を復調し得る。２２２０の動作は、本明細書で説明される方法に従って実施され得る。いくつかの例では、２２２０の動作の態様は、図９〜図１２を参照しながら説明された復調構成要素によって実施され得る。
【０３２８】
[0310]  図２３は、本開示の態様による再同期信号設計をサポートする方法２３００を示すフローチャートを示す。方法２３００の動作は、本明細書で説明される基地局１０５またはそれの構成要素によって実装され得る。たとえば、方法２３００の動作は、図１３〜図１６を参照しながら説明された通信マネージャによって実施され得る。いくつかの例では、基地局は、以下で説明される機能を実施するように基地局の機能要素を制御するための命令のセットを実行し得る。追加または代替として、基地局は、専用ハードウェアを使用して、以下で説明される機能の態様を実施し得る。
【０３２９】
[0311]  ２３０５において、基地局は、信号を時間周波数リソースブロックのリソース要素の第１のサブセットに、および基準信号のセットを時間周波数リソースブロックのリソース要素の第２のサブセットにマッピングし得る。いくつかの場合には、リソース要素の第１のサブセットは、時間周波数リソースブロックの第１のシンボル期間のリソース要素のサブセットと、時間周波数リソースブロックの第２のシンボル期間の各リソース要素とを含む。２３０５の動作は、本明細書で説明される方法に従って実施され得る。いくつかの例では、２３０５の動作の態様は、図１３〜図１６を参照しながら説明されたマッピング構成要素によって実施され得る。
【０３３０】
[0312]  ２３１０において、基地局は、基準信号のセットのアンテナポートの数に基づいてリソース要素の第１のサブセットの各々と基準信号のセットとの間の電力比を識別し得る。２３１０の動作は、本明細書で説明される方法に従って実施され得る。いくつかの例では、２３１０の動作の態様は、図１３〜図１６を参照しながら説明された電力比構成要素によって実施され得る。
【０３３１】
[0313]  ２３１５において、基地局は、電力比に基づいて信号と基準信号のセットとを送信し得る。２３１５の動作は、本明細書で説明される方法に従って実施され得る。いくつかの例では、２３１５の動作の態様は、図１３〜図１６を参照しながら説明された信号送信構成要素によって実施され得る。
【０３３２】
[0314]  上記で説明された方法は、可能な実装形態について説明していること、ならびに動作およびステップが並べ替えられるかまたはさもなければ変更され得ること、ならびに他の実装形態が可能であることに留意されたい。さらに、方法のうちの２つ以上からの態様が組み合わされ得る。
【０３３３】
[0315]  本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００  １Ｘ、１Ｘなどと呼ばれることがある。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形態とを含む。ＴＤＭＡシステムは、モバイル通信用グローバルシステム（ＧＳＭ（登録商標））などの無線技術を実装し得る。
【０３３４】
[0316]  ＯＦＤＭＡシステムは、ウルトラモバイルブロードバンド（ＵＭＢ）、発展型ＵＴＲＡ（Ｅ−ＵＴＲＡ）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。ＬＴＥ、ＬＴＥ−Ａ、ＬＴＥ−Ａプロは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａプロ、ＮＲ、およびＧＳＭは、「第３世代パートナーシッププロジェクト」（３ＧＰＰ（登録商標））という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書で説明される技法は、上述のシステムおよび無線技術、ならびに他のシステムおよび無線技術のために使用され得る。ＬＴＥ、ＬＴＥ−Ａ、ＬＴＥ−Ａプロ、またはＮＲシステムの態様について例として説明されることがあり、ＬＴＥ、ＬＴＥ−Ａ、ＬＴＥ−Ａプロ、またはＮＲの用語が説明の大部分において使用され得るが、本明細書で説明される技法は、ＬＴＥ、ＬＴＥ−Ａ、ＬＴＥ−Ａプロ、またはＮＲの適用例以外に適用可能である。
【０３３５】
[0317]  マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、低電力基地局１０５に関連付けられ得、スモールセルは、マクロセルと同じかまたは異なる（たとえば、認可、無認可などの）周波数帯域内で動作し得る。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥ１１５による無制限アクセスを可能にし得る。フェムトセルは、小さい地理的エリア（たとえば、自宅）を同じくカバーし得、フェムトセルとの関連付けを有するＵＥ１１５（たとえば、限定加入者グループ（ＣＳＧ）中のＵＥ１１５、自宅内のユーザのためのＵＥ１１５など）による制限付きアクセスを提供し得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セルをサポートし得、１つまたは複数のコンポーネントキャリアを使用する通信をやはりサポートし得る。
【０３３６】
[0318]  ワイヤレス通信システム１００または本明細書で説明されるシステムは、同期動作または非同期動作をサポートし得る。同期動作の場合、基地局１０５は同様のフレームタイミングを有し得、異なる基地局１０５からの送信は時間的にほぼ整合され得る。非同期動作の場合、基地局１０５は異なるフレームタイミングを有し得、異なる基地局１０５からの送信は時間的に整合されないことがある。本明細書で説明される技法は、同期動作または非同期動作のいずれかにも使用され得る。
【０３３７】
[0319]  本明細書で説明される情報および信号は、様々な異なる技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁気粒子、光場または光粒子、あるいはそれらの任意の組合せによって表され得る。
【０３３８】
[0320]  本明細書の開示に関して説明される様々な例示的なブロックおよびモジュールは、汎用プロセッサ、ＤＳＰ、ＡＳＩＣ、ＦＰＧＡもしくは他のＰＬＤ、個別ゲートもしくはトランジスタ論理、個別ハードウェア構成要素、または本明細書で説明される機能を実施するように設計されたそれらの任意の組合せを用いて実装または実施され得る。汎用プロセッサは、マイクロプロセッサであり得るが、代替として、プロセッサは、任意の従来のプロセッサ、コントローラ、マイクロコントローラ、または状態機械であり得る。プロセッサはまた、コンピューティングデバイスの組合せ（たとえば、ＤＳＰとマイクロプロセッサの組合せ、複数のマイクロプロセッサ、ＤＳＰコアと連携する１つまたは複数のマイクロプロセッサ、あるいは任意の他のそのような構成）として実装され得る。
【０３３９】
[0321]  本明細書で説明される機能は、ハードウェア、プロセッサによって実行されるソフトウェア、ファームウェア、またはそれらの任意の組合せで実装され得る。プロセッサによって実行されるソフトウェアに実装される場合、機能は、１つまたは複数の命令またはコードとして、コンピュータ可読媒体上に記憶されるか、またはコンピュータ可読媒体を介して送信され得る。他の例および実装形態は、本開示の範囲および添付の特許請求の範囲内にある。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装されることが可能である。機能を実装する特徴はまた、機能の部分が、異なる物理的ロケーションに実装されるように分散されることを含めて、様々な位置に物理的に配置され得る。
【０３４０】
[0322]  コンピュータ可読媒体（Computer-readable media）は、ある場所から別の場所へのコンピュータプログラムの転送を容易にする任意の媒体を含む、非一時的コンピュータ記憶媒体（non-transitory computer storage media）と通信媒体（communication media）との両方を含む。非一時的記憶媒体は、汎用コンピュータまたは専用コンピュータによってアクセスされることが可能な任意の利用可能な媒体であり得る。限定ではなく例として、非一時的コンピュータ可読媒体は、ランダムアクセスメモリ（ＲＡＭ）、読取り専用メモリ（ＲＯＭ）、電気的消去可能プログラマブル読取り専用メモリ（ＥＥＰＲＯＭ（登録商標））、フラッシュメモリ、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用されることが可能で、汎用もしくは専用コンピュータまたは汎用もしくは専用プロセッサによってアクセスされることが可能な任意の他の非一時的媒体を含み得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義の中に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０３４１】
[0323]  特許請求の範囲内を含めて本明細書で使用される、項目のリスト（たとえば、「のうちの少なくとも１つ」または「のうちの１つまたは複数」などの句で終わる項目のリスト）中で使用される「または」は、たとえば、Ａ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するような包括的なリストを示す。また、本明細書で使用される「に基づいて」という句は、条件の閉集合への参照と解釈されないものとする。たとえば、「条件Ａに基づいて」と記述された例示的なステップは、本開示の範囲から逸脱することなく、条件Ａと条件Ｂの両方に基づき得る。言い換えれば、本明細書で使用される「に基づいて」という句は、「に少なくとも部分的に基づいて」という句と同様に解釈されるものとする。
【０３４２】
[0324]  添付の図では、同様の構成要素または特徴は同じ参照ラベルを有し得る。さらに、同じタイプの様々な構成要素は、参照ラベルの後に、ダッシュと、同様の構成要素を区別する第２のラベルとを続けることによって区別され得る。第１の参照ラベルのみが本明細書において使用される場合、その説明は、第２の参照ラベル、または他の後続の参照ラベルにかかわらず、同じ第１の参照ラベルを有する同様の構成要素のうちのいずれにも適用可能である。
【０３４３】
[0325]  添付の図面に関して本明細書に記載された説明は、例示的な構成を記載しており、実装され得るか、または特許請求の範囲内にあるすべての例を表すとは限らない。本明細書で使用される「例示的」という用語は、「例、事例、または例示の働きをすること」を意味し、「好ましい」または「他の例よりも有利な」を意味しない。詳細な説明は、説明される技法の理解を提供するための具体的な詳細を含む。しかしながら、これらの技法は、これらの具体的な詳細なしに実践され得る。いくつかの事例では、説明される例の概念を不明瞭にすることを回避するために、よく知られている構造およびデバイスがブロック図の形態で示される。
【０３４４】
[0326]  本明細書の説明は、当業者が本開示を作成または使用することを可能にするように提供される。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
【図１】
2021511760.tif 000019
【図２】
2021511760.tif 000020
【図３】
2021511760.tif 000021
【図４】
2021511760.tif 000022
【図５】
2021511760.tif 000023
【図６】
2021511760.tif 000024
【図７Ａ】
2021511760.tif 000025
【図７Ｂ】
2021511760.tif 000026
【図８Ａ】
2021511760.tif 000027
【図８Ｂ】
2021511760.tif 000028
【図９】
2021511760.tif 000029
【図１０】
2021511760.tif 000030
【図１１Ａ】
2021511760.tif 000031
【図１１Ｂ】
2021511760.tif 000032
【図１２】
2021511760.tif 000033
【図１３】
2021511760.tif 000034
【図１４】
2021511760.tif 000035
【図１５Ａ】
2021511760.tif 000036
【図１５Ｂ】
2021511760.tif 000037
【図１６】
2021511760.tif 000038
【図１７】
2021511760.tif 000039
【図１８】
2021511760.tif 000040
【図１９】
2021511760.tif 000041
【図２０】
2021511760.tif 000042
【図２１】
2021511760.tif 000043
【図２２】
2021511760.tif 000044
【図２３】
2021511760.tif 000045
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
セルと同期するための第１の同期信号を受信することと、前記第１の同期信号が、第１の周期性に従って、前記セルにサービスする基地局によって送信される、
第２の同期信号に関連する１つまたは複数のパラメータを備えるシステム情報を受信することと、
前記同期することの後に、前記システム情報に少なくとも部分的に基づいて、前記セルと再同期するための第２の同期信号を受信することと、前記第２の同期信号が、第２の周期性に従って前記基地局によって送信され、ここにおいて、前記第２の同期信号が、前記セルのセル識別子に少なくとも部分的に基づく第１のシーケンスの複数の繰り返しを備える、
前記再同期することに少なくとも部分的に基づいて前記セルを介して前記基地局と通信することと
を備える、方法。
【請求項２】
前記第２の同期信号が、第２のシーケンスの複数の繰り返しを備え、前記第１のシーケンスの前記複数の繰り返しと、前記第２のシーケンスの前記複数の繰り返しとが、バイナリシーケンスに従って送信される、請求項１に記載の方法。
【請求項３】
前記第１のシーケンスと、前記第２のシーケンスとが、互いに相互相関の低い絶対値を有する、請求項２に記載の方法。
【請求項４】
前記第２のシーケンスが、前記第１のシーケンスの複素共役に対応する、請求項２に記載の方法。
【請求項５】
前記第２のシーケンスが、前記第１のシーケンスの位相回転バージョンに対応する、請求項２に記載の方法。
【請求項６】
前記バイナリシーケンスが、前記第１のシーケンスの長さ、または前記第２の同期信号の長さ、または前記セル識別子、またはそれらの組合せに少なくとも部分的に基づく、請求項２に記載の方法。
【請求項７】
前記バイナリシーケンスのシーケンスタイプが、前記第１のシーケンスの長さまたは前記第２の同期信号の長さに少なくとも部分的に基づき、前記シーケンスタイプが、ゴールドシーケンスに対応する、請求項２に記載の方法。
【請求項８】
前記バイナリシーケンスの前記シーケンスタイプは、前記第１のシーケンスの前記長さまたは前記第２の同期信号の前記長さがしきい値を満たすことに少なくとも部分的に基づく、請求項７に記載の方法。
【請求項９】
前記バイナリシーケンスの前記シーケンスタイプは、前記第１のシーケンスの前記長さまたは前記第２の同期信号の前記長さが前記しきい値を満たすことに少なくとも部分的に基づいて、ゴールドシーケンスまたはｍシーケンスを備える、請求項８に記載の方法。
【請求項１０】
前記バイナリシーケンスの前記シーケンスタイプは、前記第１のシーケンスの前記長さまたは前記第２の同期信号の前記長さが前記しきい値を満たさないことに少なくとも部分的に基づいて、自己相関関数において最小サイドローブ振幅をもつコンピュータ生成シーケンスを備える、請求項８に記載の方法。
【請求項１１】
前記バイナリシーケンスが、｛１，０，１，１｝によって与えられる４ビットバイナリシーケンス、｛１，０，０，１，０，１，１，１｝によって与えられる８ビットバイナリシーケンス、｛０，０，１，１，０，１，０，０，０，１，１，０，０，１，０，１｝によって与えられる１６ビットバイナリシーケンス、｛１，１，０，０，１，０，０，１，０，１，１，１，０，０，０，１，１，１，０，１，０，１，０，０，１，０，０，０，１，１，０，１｝によって与えられる３２ビットバイナリシーケンス、または｛０，１，１，０，１，１，０，０，０，１，０，１，０，０，１，１，１，０，１，１，１，０，０，０，０，１，１，１，０，１，０，０，１，１，０，１，０，１，１，０｝によって与えられる４０ビットバイナリシーケンスを備える、請求項２に記載の方法。
【請求項１２】
前記バイナリシーケンスのシーケンスタイプが、前記第１のシーケンスの長さまたは前記第２の同期信号の長さに少なくとも部分的に基づき、前記シーケンスタイプは、ｍシーケンスに対応する、請求項２に記載の方法。
【請求項１３】
前記バイナリシーケンスのシーケンスタイプが、前記第１のシーケンスの長さまたは前記第２の同期信号の長さに少なくとも部分的に基づき、前記シーケンスタイプは、自己相関関数において最小サイドローブ振幅をもつコンピュータ生成シーケンスに対応する、請求項２に記載の方法。
【請求項１４】
前記第１のシーケンスが、第１のサブシーケンスと、第２のサブシーケンスとを備える、請求項１に記載の方法。
【請求項１５】
前記第２のサブシーケンスが、前記第１のサブシーケンスの複素共役に対応する、請求項１４に記載の方法。
【請求項１６】
前記セルと前記再同期するための第３の同期信号を受信すること、前記第３の同期信号が、前記第２の同期信号の後に前記セルを介して前記基地局によって送信され、前記第１のシーケンスのシーケンス長よりも長いシーケンス長を有する、
をさらに備える、請求項１に記載の方法。
【請求項１７】
前記第３の同期信号の前記シーケンス長が、前記第２の同期信号のシーケンス長よりも短い、請求項１６に記載の方法。
【請求項１８】
前記第１の同期信号が、複数の物理リソースブロック（ＰＲＢ）にわたり、前記第２の同期信号が、前記複数のＰＲＢにわたる、請求項１に記載の方法。
【請求項１９】
前記第２の同期信号が、狭帯域プロトコルタイプの帯域幅に対応する複数の物理リソースブロック（ＰＲＢ）のサブセットにわたる、請求項１に記載の方法。
【請求項２０】
前記第２の同期信号に関連する送信電力が、前記複数のＰＲＢの前記サブセット中のＰＲＢの第２の数に対する前記複数のＰＲＢ中のＰＲＢの第１の数の比だけ、前記第１の同期信号に関連する送信電力に対して増加される、請求項１９に記載の方法。
【請求項２１】
前記複数のＰＲＢの前記サブセットが、ＰＲＢの連続セットに対応する、請求項１９に記載の方法。
【請求項２２】
前記複数のＰＲＢの前記サブセットが、ＰＲＢの不連続セットに対応する、請求項１９に記載の方法。
【請求項２３】
前記第１の同期信号から前記基地局の前記セル識別子を決定することと、
前記セル識別子に少なくとも部分的に基づいて決定される前記第１のシーケンスの表現を使用して前記再同期することのために前記第２の同期信号を相関させることと
をさらに備える、請求項１に記載の方法。
【請求項２４】
前記システム情報中で受信された前記第２の同期信号の長さと前記第２の周期性との間の関連付けに少なくとも部分的に基づいて前記第２の周期性を決定すること
をさらに備える、請求項１に記載の方法。
【請求項２５】
前記システム情報中で受信された前記第２の同期信号の前記長さと前記第２の周期性との間の前記関連付けが、乗法的ファクタに少なくとも部分的に基づいて決定される、請求項２４に記載の方法。
【請求項２６】
前記システム情報中で受信された前記第２の周期性と前記第２の同期信号の長さとの間の関連付けに少なくとも部分的に基づいて前記第２の同期信号の長さを決定すること
をさらに備える、請求項１に記載の方法。
【請求項２７】
前記システム情報中で受信された前記第２の周期性と前記第２の同期信号の前記長さとの間の前記関連付けが、オーバーヘッド割合に少なくとも部分的に基づいて決定される、請求項２６に記載の方法。
【請求項２８】
前記第２の同期信号のための複数のスケジュールされたサブフレームのうちの少なくとも１つが、前記第２の同期信号の送信のために制限されたサブフレームと一致し、前記第２の同期信号を前記受信することが、
前記第２の同期信号を前記受信することのために、前記複数のスケジュールされたサブフレームを修正すること
を備える、請求項１に記載の方法。
【請求項２９】
前記制限されたサブフレームは、マルチキャストサブフレーム、マシンタイプ通信（ＭＴＣ）無効サブフレーム、時分割複信（ＴＤＤ）アップリンクサブフレーム、またはＴＤＤスペシャルサブフレームのうちの１つを備える、請求項２８に記載の方法。
【請求項３０】
前記複数のスケジュールされたサブフレームを前記修正することが、前記複数のスケジュールされたサブフレームのうちの前記少なくとも１つを、前記制限されたサブフレームの後の次のサブフレームに延期することと、前記制限されたサブフレームのために、前記複数のスケジュールされたサブフレームのうちの前記少なくとも１つの受信を抑制することと、前記制限されたサブフレーム中で、前記複数のスケジュールされたサブフレームのうちの前記少なくとも１つの一部分を受信することとを備えるグループから修正行為を選択することを備える、請求項２８に記載の方法。
【請求項３１】
前記修正行為を前記選択することが、ＴＤＤスペシャルサブフレーム構成に少なくとも部分的に基づく、請求項３０に記載の方法。
【請求項３２】
前記第２の同期信号が、基準信号、前記第１の同期信号、またはブロードキャストチャネルのうちの少なくとも１つによってパンクチャされる、請求項１に記載の方法。
【請求項３３】
前記基地局からネイバーセルのための再同期信号構成を受信すること、前記再同期信号構成が、前記ネイバーセルのための再同期信号の存在、前記再同期信号の周期性、前記再同期信号の長さ、前記再同期信号のタイミングオフセット、前記再同期信号の周波数オフセット、前記再同期信号の送信電力、前記再同期信号の帯域幅、または前記再同期信号のホッピングパターンのうちの少なくとも１つを備える、
をさらに備える、請求項１に記載の方法。
【請求項３４】
前記再同期信号構成が、前記基地局からシステム情報中でまたは専用シグナリング中で受信される、請求項３３に記載の方法。
【請求項３５】
前記同期することの後に、前記基地局との接続モードから遷移すること
をさらに備える、請求項１に記載の方法。
【請求項３６】
前記サブシーケンスが、擬似雑音シーケンスまたはＺａｄｏｆｆ−Ｃｈｕシーケンスに対応し、前記バイナリシーケンスが、最大長シーケンス、バーカーコード、またはゴールドシーケンスに対応する、請求項３５に記載の方法。
【請求項３７】
前記第１のシーケンスが、擬似雑音シーケンス（pseudo-noise sequence）、Ｚａｄｏｆｆ−Ｃｈｕシーケンス、またはバイナリシーケンスとのサブシーケンスのクロネッカー積の結果に対応する、請求項１に記載の方法。
【請求項３８】
前記第２の同期信号から決定される位相またはタイミング情報に少なくとも部分的に基づいて、前記セルと前記再同期するための前記第１の同期信号の第２のインスタンスを受信すること
をさらに備える、請求項１に記載の方法。
【請求項３９】
前記第１のシーケンスの長さが、前記第２の同期信号の長さに少なくとも部分的に基づき、前記第２の同期信号の前記長さが、前記第１のシーケンスの前記長さの倍数である、請求項１に記載の方法。
【請求項４０】
前記第１のシーケンスの前記長さと前記第２の同期信号の前記長さとの間の関連付けが、ルックアップテーブルから識別される、請求項３９に記載の方法。
【請求項４１】
前記１つまたは複数のパラメータは、前記第２の同期信号の存在を示す、請求項１に記載の方法。
【請求項４２】
前記１つまたは複数のパラメータは、前記第２の同期信号のタイミング情報を備える、請求項１に記載の方法。
【請求項４３】
前記１つまたは複数のパラメータは、前記第２の同期信号の長さを備える、請求項１に記載の方法。
【請求項４４】
前記１つまたは複数のパラメータは、前記第２の同期信号の周波数オフセットおよび／または周波数ロケーションを備える、請求項１に記載の方法。
【請求項４５】
前記１つまたは複数のパラメータは、前記第２の同期信号の送信電力を備える、請求項１に記載の方法。
【請求項４６】
前記１つまたは複数のパラメータは、前記第２の同期信号の帯域幅を備える、請求項１に記載の方法。
【請求項４７】
前記１つまたは複数のパラメータは、前記第２の同期信号のホッピングパターンを備える、請求項１に記載の方法。
【請求項４８】
前記１つまたは複数のパラメータは、前記第２の周期性の乗法的ファクタを備える、請求項１に記載の方法。
【請求項４９】
前記１つまたは複数のパラメータは、オーバーヘッド割合を備える、請求項１に記載の方法。
【請求項５０】
ワイヤレス通信のための方法であって、
セルにサービスする基地局によって、前記セルのための第１の同期信号を送信することと、前記第１の同期信号が、第１の周期性に従って送信される、
第２の同期信号に関連する１つまたは複数のパラメータを備えるシステム情報を送信することと、
前記システム情報に少なくとも部分的に基づいて前記セルのための前記第２の同期信号を送信することと、前記第２の同期信号が、第２の周期性に従って送信され、ここにおいて、前記第２の同期信号が、前記セルのセル識別子に少なくとも部分的に基づく第１のシーケンスの複数の繰り返しを備える、
前記第１の同期信号または前記第２の同期信号の前記送信に少なくとも部分的に基づいて前記セルを介して少なくとも１つのユーザ機器（ＵＥ）と通信することと
を備える、方法。
【請求項５１】
第１のアンテナポートを介して前記第１のサブシーケンスを、および第２のアンテナポートを介して前記第２のサブシーケンスを送信すること
をさらに備える、請求項５０に記載の方法。
【請求項５２】
前記第２の同期信号が、第２のシーケンスの複数の繰り返しを備え、前記第１のシーケンスの前記複数の繰り返しと、前記第２のシーケンスの前記複数の繰り返しとが、バイナリシーケンスに従って送信される、請求項５０に記載の方法。
【請求項５３】
前記第１のシーケンスと、前記第２のシーケンスとが、互いに相互相関の低い絶対値を有する、請求項５２に記載の方法。
【請求項５４】
前記第２のシーケンスが、前記第１のシーケンスの複素共役に対応する、請求項５２に記載の方法。
【請求項５５】
前記バイナリシーケンスが、前記第１のシーケンスの長さ、または前記第２の同期信号の長さ、または前記セル識別子、またはそれらの組合せに少なくとも部分的に基づく、請求項５２に記載の方法。
【請求項５６】
前記バイナリシーケンスのシーケンスタイプが、前記第１のシーケンスの長さまたは前記第２の同期信号の長さに少なくとも部分的に基づき、前記シーケンスタイプが、ゴールドシーケンスに対応する、請求項５２に記載の方法。
【請求項５７】
前記バイナリシーケンスの前記シーケンスタイプは、前記第１のシーケンスの前記長さまたは前記第２の同期信号の前記長さがしきい値を満たすことに少なくとも部分的に基づく、請求項５６に記載の方法。
【請求項５８】
前記バイナリシーケンスの前記シーケンスタイプは、前記第１のシーケンスの前記長さまたは前記第２の同期信号の前記長さが前記しきい値を満たすことに少なくとも部分的に基づいて、ゴールドシーケンスまたはｍシーケンスを備える、請求項５７に記載の方法。
【請求項５９】
前記バイナリシーケンスの前記シーケンスタイプは、前記第１のシーケンスの前記長さまたは前記第２の同期信号の前記長さが前記しきい値を満たさないことに少なくとも部分的に基づいて、自己相関関数において最小サイドローブ振幅をもつコンピュータ生成シーケンスを備える、請求項５８に記載の方法。
【請求項６０】
前記バイナリシーケンスのシーケンスタイプが、前記第１のシーケンスの長さまたは前記第２の同期信号の長さに少なくとも部分的に基づき、前記シーケンスタイプは、ｍシーケンスに対応する、請求項５２に記載の方法。
【請求項６１】
前記バイナリシーケンスのシーケンスタイプが、前記第１のシーケンスの長さまたは前記第２の同期信号の長さに少なくとも部分的に基づき、前記シーケンスタイプは、自己相関関数において最小サイドローブ振幅をもつコンピュータ生成シーケンスに対応する、請求項５２に記載の方法。
【請求項６２】
第１のアンテナポートを介して前記第１のシーケンスを、および第２のアンテナポートを介して前記第２のシーケンスを送信すること
をさらに備える、請求項５０に記載の方法。
【請求項６３】
前記第１のシーケンスが、第１のサブシーケンスと、第２のサブシーケンスとを備える、請求項５０に記載の方法。
【請求項６４】
前記第２のサブシーケンスが、前記第１のサブシーケンスの複素共役に対応する、請求項６３に記載の方法。
【請求項６５】
前記第２の同期信号の後に前記セルのための第３の同期信号を送信すること、前記第３の同期信号が、前記第１のシーケンスのシーケンス長よりも長いシーケンス長を有する、をさらに備える、請求項５０に記載の方法。
【請求項６６】
前記第３の同期信号の前記シーケンス長が、前記第２の同期信号のシーケンス長よりも短い、請求項６５に記載の方法。
【請求項６７】
前記第１の同期信号が、複数の物理リソースブロック（ＰＲＢ）にわたり、前記第２の同期信号が、前記複数のＰＲＢにわたる、請求項５０に記載の方法。
【請求項６８】
前記第１の同期信号が、複数の物理リソースブロック（ＰＲＢ）にわたり、前記第２の同期信号が、前記複数のＰＲＢのサブセットにわたる、請求項５０に記載の方法。
【請求項６９】
前記第２の同期信号に関連する送信電力が、前記複数のＰＲＢの前記サブセット中のＰＲＢの第２の数に対する前記複数のＰＲＢ中のＰＲＢの第１の数の比だけ、前記第１の同期信号に関連する送信電力に対して増加される、請求項６８に記載の方法。
【請求項７０】
前記複数のＰＲＢの前記サブセットが、ＰＲＢの連続セットに対応する、請求項６８に記載の方法。
【請求項７１】
前記複数のＰＲＢの前記サブセットが、ＰＲＢの不連続セットに対応する、請求項６８に記載の方法。
【請求項７２】
前記システム情報中に示される前記第２の同期信号の長さと前記第２の周期性との間の関連付けに少なくとも部分的に基づいて前記第２の周期性を決定すること、ここにおいて、前記システム情報中で受信された前記第２の同期信号の前記長さと前記第２の周期性との間の前記関連付けが、乗法的ファクタに少なくとも部分的に基づいて決定される、
をさらに備える、請求項５０に記載の方法。
【請求項７３】
前記システム情報中に示される前記第２の周期性と前記第２の同期信号の前記長さとの間の関連付けに少なくとも部分的に基づいて前記第２の同期信号の前記長さを決定すること、ここにおいて、前記システム情報中で受信された前記第２の周期性と前記第２の同期信号の前記長さとの間の前記関連付けが、オーバーヘッド割合に少なくとも部分的に基づいて決定される、
をさらに備える、請求項７２に記載の方法。
【請求項７４】
前記第２の同期信号のための複数のスケジュールされたサブフレームのうちの少なくとも１つが、前記第２の同期信号ののために制限されたサブフレームと一致し、前記第２の同期信号を前記送信することが、
前記第２の同期信号を前記送信することのために、前記複数のスケジュールされたサブフレームを修正すること
を備える、請求項５０に記載の方法。
【請求項７５】
前記制限されたサブフレームは、マルチキャストサブフレーム、マシンタイプ通信（ＭＴＣ）無効サブフレーム、時分割複信（ＴＤＤ）アップリンクサブフレーム、またはＴＤＤスペシャルサブフレームのうちの１つを備える、請求項７４に記載の方法。
【請求項７６】
前記複数のスケジュールされたサブフレームを前記修正することが、前記複数のスケジュールされたサブフレームのうちの前記少なくとも１つを、前記制限されたサブフレームの後の次のサブフレームに延期することと、前記制限されたサブフレームのために、前記複数のスケジュールされたサブフレームのうちの前記少なくとも１つの送信を抑制することと、前記制限されたサブフレーム中で、前記複数のスケジュールされたサブフレームのうちの前記少なくとも１つの一部分を送信することとを備えるグループから修正行為を選択することを備える、請求項７４に記載の方法。
【請求項７７】
前記修正行為を前記選択することが、ＴＤＤスペシャルサブフレーム構成に少なくとも部分的に基づく、請求項７６に記載の方法。
【請求項７８】
基準信号、前記第１の同期信号、またはブロードキャストチャネルのうちの少なくとも１つを用いて前記第２の同期信号をパンクチャすること
をさらに備える、請求項５０に記載の方法。
【請求項７９】
前記少なくとも１つのＵＥに、ネイバーセルのための再同期信号構成を送信すること、前記再同期信号構成が、前記ネイバーセルのための再同期信号の存在、前記再同期信号の周期性、前記再同期信号の長さ、前記再同期信号のタイミングオフセット、前記再同期信号の周波数オフセット、前記再同期信号の送信電力、前記再同期信号の帯域幅、または前記再同期信号のホッピングパターンのうちの少なくとも１つを備える、
をさらに備える、請求項５０に記載の方法。
【請求項８０】
前記再同期信号構成が、前記基地局から前記少なくとも１つのＵＥにシステム情報中でまたは専用シグナリング中で送信される、請求項７９に記載の方法。
【請求項８１】
前記第１のシーケンスが、擬似雑音シーケンス、Ｚａｄｏｆｆ−Ｃｈｕシーケンス、またはバイナリシーケンスとのサブシーケンスのクロネッカー積の結果に対応する、請求項５０に記載の方法。
【請求項８２】
前記サブシーケンスが、擬似雑音シーケンスまたはＺａｄｏｆｆ−Ｃｈｕシーケンスに対応し、前記バイナリシーケンスが、最大長シーケンス、バーカーコード、またはゴールドシーケンスに対応する、請求項８１に記載の方法。
【請求項８３】
前記第１のシーケンスの長さを識別することが、前記第２の同期信号の長さに少なくとも部分的に基づき、前記第２の同期信号の前記長さが、前記第１のシーケンスの前記長さの倍数である、請求項５０に記載の方法。
【請求項８４】
前記第１のシーケンスの前記長さと前記第２の同期信号の前記長さとの間の関連付けが、ルックアップテーブルから識別される、請求項８３に記載の方法。
【請求項８５】
前記１つまたは複数のパラメータは、前記第２の同期信号の存在を示す、請求項５０に記載の方法。
【請求項８６】
前記１つまたは複数のパラメータは、前記第２の同期信号のタイミング情報を備える、請求項５０に記載の方法。
【請求項８７】
前記１つまたは複数のパラメータは、前記第２の同期信号の長さを備える、請求項５０に記載の方法。
【請求項８８】
前記１つまたは複数のパラメータは、前記第２の同期信号の周波数オフセットおよび／または周波数ロケーションを備える、請求項５０に記載の方法。
【請求項８９】
前記１つまたは複数のパラメータは、前記第２の同期信号の送信電力を備える、請求項５０に記載の方法。
【請求項９０】
前記１つまたは複数のパラメータは、前記第２の同期信号の帯域幅を備える、請求項５０に記載の方法。
【請求項９１】
前記１つまたは複数のパラメータは、前記第２の同期信号のホッピングパターンを備える、請求項５０に記載の方法。
【請求項９２】
前記１つまたは複数のパラメータは、前記第２の周期性の乗法的ファクタを備える、請求項５０に記載の方法。
【請求項９３】
前記１つまたは複数のパラメータは、オーバーヘッド割合を備える、請求項５０に記載の方法。
【請求項９４】
ワイヤレス通信のための装置であって、
プロセッサと、
前記プロセッサと電子通信しているメモリと、
前記メモリに記憶された命令とを備え、前記命令は、
セルと同期するための第１の同期信号を受信することと、前記第１の同期信号が、第１の周期性に従って、前記セルにサービスする基地局によって送信される、
第２の同期信号に関連する１つまたは複数のパラメータを備えるシステム情報を受信することと、
前記同期することの後に、前記システム情報に少なくとも部分的に基づいて、前記セルと再同期するための第２の同期信号を受信することと、前記第２の同期信号が、第２の周期性に従って前記基地局によって送信され、ここにおいて、前記第２の同期信号が、前記セルのセル識別子に少なくとも部分的に基づく第１のシーケンスの複数の繰り返しを備える、
前記再同期することに少なくとも部分的に基づいて前記セルを介して前記基地局と通信することと
を前記装置に行わせるように前記プロセッサによって実行可能である、装置。
【請求項９５】
前記第２の同期信号が、第２のシーケンスの複数の繰り返しを備え、前記第１のシーケンスの前記複数の繰り返しと、前記第２のシーケンスの前記複数の繰り返しとが、バイナリシーケンスに従って送信される、請求項９４に記載の装置。
【請求項９６】
前記第１のシーケンスと、前記第２のシーケンスとが、互いに相互相関の低い絶対値を有する、請求項９５に記載の装置。
【請求項９７】
ワイヤレス通信のための装置であって、
プロセッサと、
前記プロセッサと電子通信しているメモリと、
前記メモリに記憶された命令とを備え、前記命令は、
セルにサービスする基地局によって、前記セルのための第１の同期信号を送信することと、前記第１の同期信号が、第１の周期性に従って送信される、
第２の同期信号に関連する１つまたは複数のパラメータを備えるシステム情報を送信することと、
前記システム情報に少なくとも部分的に基づいて前記セルのための前記第２の同期信号を送信することと、前記第２の同期信号が、第２の周期性に従って送信され、ここにおいて、前記第２の同期信号が、前記セルのセル識別子に少なくとも部分的に基づく第１のシーケンスの複数の繰り返しを備える、
前記第１の同期信号または前記第２の同期信号の前記送信に少なくとも部分的に基づいて前記セルを介して少なくとも１つのユーザ機器（ＵＥ）と通信することと
を前記装置に行わせるように前記プロセッサによって実行可能である、装置。
【手続補正２】
【補正対象書類名】明細書
【補正対象項目名】０３４４
【補正方法】変更
【補正の内容】
【０３４４】
[0326]  本明細書の説明は、当業者が本開示を作成または使用することを可能にするように提供される。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
以下に本願発明の当初の特許請求の範囲に記載された発明を付記する。
［Ｃ１］
ワイヤレス通信のための方法であって、
セルと同期するための第１の同期信号を受信することと、前記第１の同期信号が、第１の周期性に従って前記セルにサービスする基地局によって送信される、
前記同期することの後に、前記セルと再同期するための第２の同期信号を受信することと、前記第２の同期信号が、第２の周期性に従って前記基地局によって送信され、ここにおいて、前記第２の同期信号が、前記セルのセル識別子に少なくとも部分的に基づく第１のシーケンスの複数の繰り返しを備える、
前記再同期することに少なくとも部分的に基づいて前記セルを介して前記基地局と通信することと
を備える、方法。
［Ｃ２］
前記第２の同期信号が、第２のシーケンスの複数の繰り返しを備え、前記第１のシーケンスの前記複数の繰り返しと、前記第２のシーケンスの前記複数の繰り返しとが、バイナリシーケンスに従って送信される、Ｃ１に記載の方法。
［Ｃ３］
前記第１のシーケンスと、前記第２のシーケンスとが、互いに相互相関の低い絶対値を有する、Ｃ２に記載の方法。
［Ｃ４］
前記第２のシーケンスが、前記第１のシーケンスの複素共役に対応する、Ｃ２に記載の方法。
［Ｃ５］
前記第２のシーケンスが、前記第１のシーケンスの位相回転バージョンに対応する、Ｃ２に記載の方法。
［Ｃ６］
前記バイナリシーケンスが、前記第１のシーケンスの長さ、または前記第２の同期信号の長さ、または前記セル識別子、またはそれらの組合せに少なくとも部分的に基づく、Ｃ２に記載の方法。
［Ｃ７］
前記バイナリシーケンスのシーケンスタイプが、前記第１のシーケンスの長さまたは前記第２の同期信号の長さに少なくとも部分的に基づき、前記シーケンスタイプが、ゴールドシーケンス、ｍシーケンス、または自己相関関数において最小サイドローブ振幅をもつコンピュータ生成シーケンスに対応する、Ｃ２に記載の方法。
［Ｃ８］
前記バイナリシーケンスが、｛１，０，１，１｝によって与えられる４ビットバイナリシーケンス、｛１，０，０，１，０，１，１，１｝によって与えられる８ビットバイナリシーケンス、｛０，０，１，１，０，１，０，０，０，１，１，０，０，１，０，１｝によって与えられる１６ビットバイナリシーケンス、｛１，１，０，０，１，０，０，１，０，１，１，１，０，０，０，１，１，１，０，１，０，１，０，０，１，０，０，０，１，１，０，１｝によって与えられる３２ビットバイナリシーケンス、または｛０，１，１，０，１，１，０，０，０，１，０，１，０，０，１，１，１，０，１，１，１，０，０，０，０，１，１，１，０，１，０，０，１，１，０，１，０，１，１，０｝によって与えられる４０ビットバイナリシーケンスを備える、Ｃ２に記載の方法。
［Ｃ９］
前記第１のシーケンスが、第１のサブシーケンスと、第２のサブシーケンスとを備える、Ｃ１に記載の方法。
［Ｃ１０］
前記第２のサブシーケンスが、前記第１のサブシーケンスの複素共役に対応する、Ｃ９に記載の方法。
［Ｃ１１］
前記セルと前記再同期するための第３の同期信号を受信すること、前記第３の同期信号が、前記第２の同期信号の後に前記セルを介して前記基地局によって送信され、前記第１のシーケンスのシーケンス長よりも長いシーケンス長を有する、
をさらに備える、Ｃ１に記載の方法。
［Ｃ１２］
前記第３の同期信号の前記シーケンス長が、前記第２の同期信号のシーケンス長よりも短い、Ｃ１１に記載の方法。
［Ｃ１３］
前記第１の同期信号が、複数の物理リソースブロック（ＰＲＢ）にわたり、前記第２の同期信号が、前記複数のＰＲＢにわたる、Ｃ１に記載の方法。
［Ｃ１４］
前記第２の同期信号が、狭帯域プロトコルタイプの帯域幅に対応する複数の物理リソースブロック（ＰＲＢ）のサブセットにわたる、Ｃ１に記載の方法。
［Ｃ１５］
前記第２の同期信号に関連する送信電力が、前記複数のＰＲＢの前記サブセット中のＰＲＢの第２の数に対する前記複数のＰＲＢ中のＰＲＢの第１の数の比だけ、前記第１の同期信号に関連する送信電力に対して増加される、Ｃ１４に記載の方法。
［Ｃ１６］
前記複数のＰＲＢの前記サブセットが、ＰＲＢの連続セットに対応する、Ｃ１４に記載の方法。
［Ｃ１７］
前記複数のＰＲＢの前記サブセットが、ＰＲＢの不連続セットに対応する、Ｃ１４に記載の方法。
［Ｃ１８］
前記第１の同期信号から前記基地局の前記セル識別子を決定することと、
前記セル識別子に少なくとも部分的に基づいて決定される前記第１のシーケンスの表現を使用して前記再同期することのために前記第２の同期信号を相関させることと
をさらに備える、Ｃ１に記載の方法。
［Ｃ１９］
前記セルに関連するシステム情報を受信すること、前記システム情報が、前記第２の同期信号の存在、前記第２の同期信号のタイミング情報、前記第２の同期信号の長さ、前記第２の同期信号の周波数オフセットおよび／または周波数ロケーション、前記第２の同期信号の送信電力、前記第２の同期信号の帯域幅、前記第２の同期信号のホッピングパターン、前記第２の周期性の乗法的ファクタ、あるいはオーバーヘッド割合のうちの少なくとも１つを示す、
をさらに備える、Ｃ１に記載の方法。
［Ｃ２０］
前記システム情報中で受信された前記第２の同期信号の前記長さと前記第２の周期性との間の関連付けに少なくとも部分的に基づいて前記第２の周期性を決定すること
をさらに備える、Ｃ１９に記載の方法。
［Ｃ２１］
前記システム情報中で受信された前記第２の同期信号の前記長さと前記第２の周期性との間の前記関連付けが、前記乗法的ファクタに少なくとも部分的に基づいて決定される、Ｃ２０に記載の方法。
［Ｃ２２］
前記システム情報中で受信された前記第２の周期性と前記第２の同期信号の前記長さとの間の関連付けに少なくとも部分的に基づいて前記第２の同期信号の前記長さを決定すること
をさらに備える、Ｃ１９に記載の方法。
［Ｃ２３］
前記システム情報中で受信された前記第２の周期性と前記第２の同期信号の前記長さとの間の前記関連付けが、前記オーバーヘッド割合に少なくとも部分的に基づいて決定される、Ｃ２２に記載の方法。
［Ｃ２４］
前記第２の同期信号のための複数のスケジュールされたサブフレームのうちの少なくとも１つが、前記第２の同期信号の送信のために制限されたサブフレームと一致し、前記第２の同期信号を前記受信することが、
前記第２の同期信号を前記受信することのために、前記複数のスケジュールされたサブフレームを修正すること
を備える、Ｃ１に記載の方法。
［Ｃ２５］
前記制限されたサブフレームは、マルチキャストサブフレーム、マシンタイプ通信（ＭＴＣ）無効サブフレーム、時分割複信（ＴＤＤ）アップリンクサブフレーム、またはＴＤＤスペシャルサブフレームのうちの１つを備える、Ｃ２４に記載の方法。
［Ｃ２６］
前記複数のスケジュールされたサブフレームを前記修正することが、前記複数のスケジュールされたサブフレームのうちの前記少なくとも１つを、前記制限されたサブフレームの後の次のサブフレームに延期することと、前記制限されたサブフレームのために、前記複数のスケジュールされたサブフレームのうちの前記少なくとも１つの受信を抑制することと、前記制限されたサブフレーム中で、前記複数のスケジュールされたサブフレームのうちの前記少なくとも１つの一部分を受信することとからなるグループから修正行為を選択することを備える、Ｃ２４に記載の方法。
［Ｃ２７］
前記修正行為を前記選択することが、ＴＤＤスペシャルサブフレーム構成に少なくとも部分的に基づく、Ｃ２６に記載の方法。
［Ｃ２８］
前記第２の同期信号が、基準信号、前記第１の同期信号、またはブロードキャストチャネルのうちの少なくとも１つによってパンクチャされる、Ｃ１に記載の方法。
［Ｃ２９］
前記基地局からネイバーセルのための再同期信号構成を受信すること、前記再同期信号構成が、前記ネイバーセルのための再同期信号の存在、前記再同期信号の周期性、前記再同期信号の長さ、前記再同期信号のタイミングオフセット、前記再同期信号の周波数オフセット、前記再同期信号の送信電力、前記再同期信号の帯域幅、または前記再同期信号のホッピングパターンのうちの少なくとも１つを備える、
をさらに備える、Ｃ１に記載の方法。
［Ｃ３０］
前記再同期信号構成が、前記基地局からシステム情報中でまたは専用シグナリング中で受信される、Ｃ２９に記載の方法。
［Ｃ３１］
前記同期することの後に、前記基地局との接続モードから遷移すること
をさらに備える、Ｃ１に記載の方法。
［Ｃ３２］
前記第１のシーケンスが、擬似雑音シーケンス（pseudo-noise sequence）、Ｚａｄｏｆｆ−Ｃｈｕシーケンス、またはバイナリシーケンスとのサブシーケンスのクロネッカー積の結果に対応する、Ｃ１に記載の方法。
［Ｃ３３］
前記サブシーケンスが、擬似雑音シーケンスまたはＺａｄｏｆｆ−Ｃｈｕシーケンスに対応し、前記バイナリシーケンスが、最大長シーケンス、バーカーコード、またはゴールドシーケンスに対応する、Ｃ３１に記載の方法。
［Ｃ３４］
前記第２の同期信号から決定される位相またはタイミング情報に少なくとも部分的に基づいて、前記セルと前記再同期するための前記第１の同期信号の第２のインスタンスを受信すること
をさらに備える、Ｃ１に記載の方法。
［Ｃ３５］
前記第１のシーケンスの長さが、前記第２の同期信号の長さに少なくとも部分的に基づき、前記第２の同期信号の前記長さが、前記第１のシーケンスの前記長さの倍数である、Ｃ１に記載の方法。
［Ｃ３６］
前記第１のシーケンスの前記長さと前記第２の同期信号の前記長さとの間の関連付けが、ルックアップテーブルから識別される、Ｃ３５に記載の方法。
［Ｃ３７］
ワイヤレス通信のための方法であって、
セルにサービスする基地局によって、前記セルのための第１の同期信号を送信することと、前記第１の同期信号が、第１の周期性に従って送信される、
前記セルのための第２の同期信号を送信することと、前記第２の同期信号が、第２の周期性に従って送信され、ここにおいて、前記第２の同期信号が、前記セルのセル識別子に少なくとも部分的に基づく第１のシーケンスの複数の繰り返しを備える、
前記第１の同期信号または前記第２の同期信号の前記送信に少なくとも部分的に基づいて前記セルを介して少なくとも１つのユーザ機器（ＵＥ）と通信することと
を備える、方法。
［Ｃ３８］
第１のアンテナポートを介して前記第１のサブシーケンスを、および第２のアンテナポートを介して前記第２のサブシーケンスを送信すること
をさらに備える、Ｃ３７に記載の方法。
［Ｃ３９］
前記第２の同期信号が、第２のシーケンスの複数の繰り返しを備え、前記第１のシーケンスの前記複数の繰り返しと、前記第２のシーケンスの前記複数の繰り返しとが、バイナリシーケンスに従って送信される、Ｃ３８に記載の方法。
［Ｃ４０］
前記第１のシーケンスと、前記第２のシーケンスとが、互いに相互相関の低い絶対値を有する、Ｃ３８に記載の方法。
［Ｃ４１］
前記第２のシーケンスが、前記第１のシーケンスの複素共役に対応する、Ｃ３８に記載の方法。
［Ｃ４２］
前記バイナリシーケンスが、前記第１のシーケンスの長さ、または前記第２の同期信号の長さ、または前記セル識別子、またはそれらの組合せに少なくとも部分的に基づく、Ｃ３８に記載の方法。
［Ｃ４３］
前記バイナリシーケンスのシーケンスタイプが、前記第１のシーケンスの長さまたは前記第２の同期信号の長さに少なくとも部分的に基づき、前記シーケンスタイプが、ゴールドシーケンス、ｍシーケンス、または自己相関関数において最小サイドローブ振幅をもつコンピュータ生成シーケンスに対応する、Ｃ３８に記載の方法。
［Ｃ４４］
第１のアンテナポートを介して前記第１のシーケンスを、および第２のアンテナポートを介して前記第２のシーケンスを送信すること
をさらに備える、Ｃ３８に記載の方法。
［Ｃ４５］
前記第１のシーケンスが、第１のサブシーケンスと、第２のサブシーケンスとを備える、Ｃ３７に記載の方法。
［Ｃ４６］
前記第２のサブシーケンスが、前記第１のサブシーケンスの複素共役に対応する、Ｃ４５に記載の方法。
［Ｃ４７］
前記第２の同期信号の後に前記セルのための第３の同期信号を送信すること、前記第３の同期信号が、前記第１のシーケンスのシーケンス長よりも長いシーケンス長を有する、をさらに備える、Ｃ３７に記載の方法。
［Ｃ４８］
前記第３の同期信号の前記シーケンス長が、前記第２の同期信号のシーケンス長よりも短い、Ｃ４７に記載の方法。
［Ｃ４９］
前記第１の同期信号が、複数の物理リソースブロック（ＰＲＢ）にわたり、前記第２の同期信号が、前記複数のＰＲＢにわたる、Ｃ３７に記載の方法。
［Ｃ５０］
前記第１の同期信号が、複数の物理リソースブロック（ＰＲＢ）にわたり、前記第２の同期信号が、前記複数のＰＲＢのサブセットにわたる、Ｃ３７に記載の方法。
［Ｃ５１］
前記第２の同期信号に関連する送信電力が、前記複数のＰＲＢの前記サブセット中のＰＲＢの第２の数に対する前記複数のＰＲＢ中のＰＲＢの第１の数の比だけ、前記第１の同期信号に関連する送信電力に対して増加される、Ｃ５０に記載の方法。
［Ｃ５２］
前記複数のＰＲＢの前記サブセットが、ＰＲＢの連続セットに対応する、Ｃ５０に記載の方法。
［Ｃ５３］
前記複数のＰＲＢの前記サブセットが、ＰＲＢの不連続セットに対応する、Ｃ５０に記載の方法。
［Ｃ５４］
前記セルに関連するシステム情報を送信すること、前記システム情報が、前記第２の同期信号の存在、前記第２の同期信号のタイミング情報、前記第２の同期信号の長さ、前記第２の同期信号の周波数オフセットおよび／または周波数ロケーション、前記第２の同期信号の送信電力、前記第２の同期信号の帯域幅、前記第２の同期信号のホッピングパターン、前記第２の周期性の乗法的ファクタ、あるいはオーバーヘッド割合のうちの少なくとも１つを示す、
をさらに備える、Ｃ３７に記載の方法。
［Ｃ５５］
前記システム情報中に示される前記第２の同期信号の前記長さと前記第２の周期性との間の関連付けに少なくとも部分的に基づいて前記第２の周期性を決定すること、ここにおいて、前記システム情報中で受信された前記第２の同期信号の前記長さと前記第２の周期性との間の前記関連付けが、前記乗法的ファクタに少なくとも部分的に基づいて決定される、
をさらに備える、Ｃ５４に記載の方法。
［Ｃ５６］
前記システム情報中に示される前記第２の周期性と前記第２の同期信号の前記長さとの間の関連付けに少なくとも部分的に基づいて前記第２の同期信号の前記長さを決定すること、ここにおいて、前記システム情報中で受信された前記第２の周期性と前記第２の同期信号の前記長さとの間の前記関連付けが、前記オーバーヘッド割合に少なくとも部分的に基づいて決定される、
をさらに備える、Ｃ５５に記載の方法。
［Ｃ５７］
前記第２の同期信号のための複数のスケジュールされたサブフレームのうちの少なくとも１つが、前記第２の同期信号ののために制限されたサブフレームと一致し、前記第２の同期信号を前記送信することが、
前記第２の同期信号を前記送信することのために、前記複数のスケジュールされたサブフレームを修正すること
を備える、Ｃ３７に記載の方法。
［Ｃ５８］
前記制限されたサブフレームは、マルチキャストサブフレーム、マシンタイプ通信（ＭＴＣ）無効サブフレーム、時分割複信（ＴＤＤ）アップリンクサブフレーム、またはＴＤＤスペシャルサブフレームのうちの１つを備える、Ｃ５７に記載の方法。
［Ｃ５９］
前記複数のスケジュールされたサブフレームを前記修正することが、前記複数のスケジュールされたサブフレームのうちの前記少なくとも１つを、前記制限されたサブフレームの後の次のサブフレームに延期することと、前記制限されたサブフレームのために、前記複数のスケジュールされたサブフレームのうちの前記少なくとも１つの送信を抑制することと、前記制限されたサブフレーム中で、前記複数のスケジュールされたサブフレームのうちの前記少なくとも１つの一部分を送信することとからなるグループから修正行為を選択することを備える、Ｃ５７に記載の方法。
［Ｃ６０］
前記修正行為を前記選択することが、ＴＤＤスペシャルサブフレーム構成に少なくとも部分的に基づく、Ｃ５９に記載の方法。
［Ｃ６１］
基準信号、前記第１の同期信号、またはブロードキャストチャネルのうちの少なくとも１つを用いて前記第２の同期信号をパンクチャすること
をさらに備える、Ｃ３７に記載の方法。
［Ｃ６２］
前記少なくとも１つのＵＥに、ネイバーセルのための再同期信号構成を送信すること、前記再同期信号構成が、前記ネイバーセルのための再同期信号の存在、前記再同期信号の周期性、前記再同期信号の長さ、前記再同期信号のタイミングオフセット、前記再同期信号の周波数オフセット、前記再同期信号の送信電力、前記再同期信号の帯域幅、または前記再同期信号のホッピングパターンのうちの少なくとも１つを備える、
をさらに備える、Ｃ３７に記載の方法。
［Ｃ６３］
前記再同期信号構成が、前記基地局から前記少なくとも１つのＵＥにシステム情報中でまたは専用シグナリング中で送信される、Ｃ６２に記載の方法。
［Ｃ６４］
前記第１のシーケンスが、擬似雑音シーケンス、Ｚａｄｏｆｆ−Ｃｈｕシーケンス、またはバイナリシーケンスとのサブシーケンスのクロネッカー積の結果に対応する、Ｃ３７に記載の方法。
［Ｃ６５］
前記サブシーケンスが、擬似雑音シーケンスまたはＺａｄｏｆｆ−Ｃｈｕシーケンスに対応し、前記バイナリシーケンスが、最大長シーケンス、バーカーコード、またはゴールドシーケンスに対応する、Ｃ６４に記載の方法。
［Ｃ６６］
前記第１のシーケンスの長さを識別することが、前記第２の同期信号の長さに少なくとも部分的に基づき、前記第２の同期信号の前記長さが、前記第１のシーケンスの前記長さの倍数である、Ｃ３７に記載の方法。
［Ｃ６７］
前記第１のシーケンスの前記長さと前記第２の同期信号の前記長さとの間の関連付けが、ルックアップテーブルから識別される、Ｃ６６に記載の方法。
［Ｃ６８］
ワイヤレス通信のための装置であって、
プロセッサと、
前記プロセッサと電子通信しているメモリと、
前記メモリに記憶された命令とを備え、前記命令は、
セルと同期するための第１の同期信号を受信することと、前記第１の同期信号が、第１の周期性に従って前記セルにサービスする基地局によって送信される、
前記同期することの後に、前記セルと再同期するための第２の同期信号を受信することと、前記第２の同期信号が、第２の周期性に従って前記基地局によって送信され、ここにおいて、前記第２の同期信号が、前記セルのセル識別子に少なくとも部分的に基づく第１のシーケンスの複数の繰り返しを備える、
前記再同期することに少なくとも部分的に基づいて前記セルを介して前記基地局と通信することと
を前記装置に行わせるように前記プロセッサによって実行可能である、装置。
［Ｃ６９］
前記第２の同期信号が、第２のシーケンスの複数の繰り返しを備え、前記第１のシーケンスの前記複数の繰り返しと、前記第２のシーケンスの前記複数の繰り返しとが、バイナリシーケンスに従って送信される、Ｃ６８に記載の装置。
［Ｃ７０］
前記第１のシーケンスと、前記第２のシーケンスとが、互いに相互相関の低い絶対値を有する、Ｃ６９に記載の装置。
［Ｃ７１］
ワイヤレス通信のための装置であって、
プロセッサと、
前記プロセッサと電子通信しているメモリと、
前記メモリに記憶された命令とを備え、前記命令は、
セルにサービスする基地局によって、前記セルのための第１の同期信号を送信することと、前記第１の同期信号が、第１の周期性に従って送信される、
前記セルのための第２の同期信号を送信することと、前記第２の同期信号が、第２の周期性に従って送信され、ここにおいて、前記第２の同期信号が、前記セルのセル識別子に少なくとも部分的に基づく第１のシーケンスの複数の繰り返しを備える、
前記第１の同期信号または前記第２の同期信号の前記送信に少なくとも部分的に基づいて前記セルを介して少なくとも１つのユーザ機器（ＵＥ）と通信することと
を前記装置に行わせるように前記プロセッサによって実行可能である、装置。
［Ｃ７２］
ユーザ機器（ＵＥ）におけるワイヤレス通信のための方法であって、
時間周波数リソースブロックのリソース要素の第１のサブセットにマッピングされた信号と、前記時間周波数リソースブロックの前記リソース要素の第２のサブセットにマッピングされた基準信号のセットとを受信すること、ここにおいて、リソース要素の前記第１のサブセットが、前記時間周波数リソースブロックの第１のシンボル期間のリソース要素のサブセットと、前記時間周波数リソースブロックの第２のシンボル期間の各リソース要素とを備える、
基準信号の前記セットのアンテナポートの数に少なくとも部分的に基づいてリソース要素の前記第１のサブセットの各々と基準信号の前記セットとの間の電力比を識別することと、
前記電力比に少なくとも部分的に基づいて前記信号を復調することと
を備える、方法。
［Ｃ７３］
前記電力比を前記識別することが、
前記第１のシンボル期間のための基準信号の前記セットとデータチャネルのリソース要素との間の第１の電力比と、前記第２のシンボル期間のための基準信号の前記セットと前記データチャネルのリソース要素との間の第２の電力比との関数を評価すること
を備える、Ｃ７２に記載の方法。
［Ｃ７４］
前記関数が、前記第１の電力比によって前記第２の電力比を正規化することを備える、Ｃ７３に記載の方法。
［Ｃ７５］
前記関数が、前記第１の電力比と前記第２の電力比との最小値を備える、Ｃ７３に記載の方法。
［Ｃ７６］
前記関数が、前記第１の電力比と前記第２の電力比との最大値を備える、Ｃ７３に記載の方法。
［Ｃ７７］
前記関数が、第１のスケーリングファクタとの前記第１の電力比の積と、第２のスケーリングファクタとの前記第２の電力比の積との和を備える、Ｃ７３に記載の方法。
［Ｃ７８］
基準信号の前記セットとデータチャネルのリソース要素との間の第１の電力比が、前記第１のシンボル期間のために構成され、基準信号の前記セットと前記データチャネルのリソース要素との間の第２の電力比が、前記第２のシンボル期間のために構成される、Ｃ７２に記載の方法。
［Ｃ７９］
システム情報パラメータの値の第１のサブセットについて、前記電力比が前記第１の電力比に対応し、前記システム情報パラメータの値の第２のサブセットについて、前記電力比が前記第２の電力比に対応する、Ｃ７８に記載の方法。
［Ｃ８０］
前記電力比が、前記アンテナポートの数、および前記第１の電力比と前記第２の電力比との比によってインデックス付けされたテーブルに基づいて識別される、Ｃ７８に記載の方法。
［Ｃ８１］
前記電力比を前記識別することが、前記第１のシンボル期間のための基準信号の前記セットとデータチャネルのリソース要素との間の第１の電力比、および前記第２のシンボル期間のための基準信号の前記セットと前記データチャネルのリソース要素との間の第２の電力比に独立している、Ｃ７２に記載の方法。
［Ｃ８２］
前記電力比が、いくつかの前記アンテナポートの各々についてのポート毎電力比に少なくとも部分的に基づく、Ｃ７２に記載の方法。
［Ｃ８３］
前記電力比に少なくとも部分的に基づいて前記信号を使用してチャネル推定またはチャネル測定を実施すること
をさらに備える、Ｃ７２に記載の方法。
［Ｃ８４］
前記信号に関連する電力ブーストパラメータを受信すること、前記電力ブーストパラメータが、前記信号の送信電力の構成可能な増加を示す、
をさらに備え、ここにおいて、前記電力比を前記識別することが、前記電力ブーストパラメータに少なくとも部分的に基づく、
Ｃ７２に記載の方法。
［Ｃ８５］
前記数のアンテナポートの各々が、前記信号の送信機における単一の無線周波数（ＲＦ）チェーンに関連付けられる、Ｃ７２に記載の方法。
［Ｃ８６］
前記信号が、セルのセル識別子に少なくとも部分的に基づく第１のシーケンスの複数の繰り返しを備える再同期信号を備える、Ｃ７２に記載の方法。
［Ｃ８７］
前記信号が、前記ＵＥのための関連するページングオケージョンより前に送信されるウェークアップ信号を備える、Ｃ７２に記載の方法。
［Ｃ８８］
基地局におけるワイヤレス通信のための方法であって、
信号を時間周波数リソースブロックのリソース要素の第１のサブセットに、および基準信号のセットを前記時間周波数リソースブロックの前記リソース要素の第２のサブセットにマッピングすることと、ここにおいて、リソース要素の前記第１のサブセットが、前記時間周波数リソースブロックの第１のシンボル期間のリソース要素のサブセットと、前記時間周波数リソースブロックの第２のシンボル期間の各リソース要素とを備える、
基準信号の前記セットのアンテナポートの数に少なくとも部分的に基づいてリソース要素の前記第１のサブセットの各々と基準信号の前記セットとの間の電力比を識別することと、
前記電力比に少なくとも部分的に基づいて前記信号と基準信号の前記セットとを送信することと
を備える、方法。
［Ｃ８９］
前記電力比を前記識別することが、
前記第１のシンボル期間のための基準信号の前記セットとデータチャネルのリソース要素との間の第１の電力比と、前記第２のシンボル期間のための基準信号の前記セットと前記データチャネルのリソース要素との間の第２の電力比との関数を評価すること
を備える、Ｃ８８に記載の方法。
［Ｃ９０］
前記関数が、前記第１の電力比によって前記第２の電力比を正規化することを備える、Ｃ８９に記載の方法。
［Ｃ９１］
前記関数が、前記第１の電力比と前記第２の電力比との最小値を備える、Ｃ８９に記載の方法。
［Ｃ９２］
前記関数が、前記第１の電力比と前記第２の電力比との最大値を備える、Ｃ８９に記載の方法。
［Ｃ９３］
前記関数が、第１のスケーリングファクタとの前記第１の電力比の積と、第２のスケーリングファクタとの前記第２の電力比の積との和を備える、Ｃ８９に記載の方法。
［Ｃ９４］
基準信号の前記セットとデータチャネルのリソース要素との間の第１の電力比が、前記第１のシンボル期間のために構成され、基準信号の前記セットと前記データチャネルのリソース要素との間の第２の電力比が、前記第２のシンボル期間のために構成される、Ｃ８８に記載の方法。
［Ｃ９５］
システム情報パラメータの値の第１のサブセットについて、前記電力比が前記第１の電力比に対応し、前記システム情報パラメータの値の第２のサブセットについて、前記電力比が前記第２の電力比に対応する、Ｃ９４に記載の方法。
［Ｃ９６］
前記電力比が、前記アンテナポートの数、および前記第１の電力比と前記第２の電力比との比によってインデックス付けされたテーブルに基づいて識別される、Ｃ９４に記載の方法。
［Ｃ９７］
前記電力比を前記識別することが、前記第１のシンボル期間のための基準信号の前記セットとデータチャネルのリソース要素との間の第１の電力比、および前記第２のシンボル期間のための基準信号の前記セットと前記データチャネルのリソース要素との間の第２の電力比に独立している、Ｃ８８に記載の方法。
［Ｃ９８］
前記電力比が、前記数のアンテナポートの各々についてのポート毎電力比に少なくとも部分的に基づく、Ｃ８８に記載の方法。
［Ｃ９９］
前記信号に関連する電力ブーストパラメータを構成すること、前記電力ブーストパラメータが、前記信号の送信電力の構成可能な増加を示す、
をさらに備え、ここにおいて、前記電力比を前記識別することが、前記電力ブーストパラメータに少なくとも部分的に基づく、
Ｃ８８に記載の方法。
［Ｃ１００］
前記電力ブーストパラメータは、いくつかのブランキングされた時間周波数リソースブロックに少なくとも部分的に基づく、Ｃ９９に記載の方法。
［Ｃ１０１］
基準信号の前記セットのうちの第１の基準信号が、前記時間周波数リソースブロックの第１のリソース要素にマッピングされ、基準信号の前記セットのうちの第２の基準信号が、前記時間周波数リソースブロックの第２のリソース要素にマッピングされ、
前記送信することが、第１のアンテナポートを介して、前記第１のリソース要素を介して前記第１の基準信号を、および前記第２のリソース要素を介してヌルシンボルを送信することと、第２のアンテナポートを介して、前記第２のリソース要素を介して前記第２の基準信号を、および前記第１のリソース要素を介してヌルシンボルを送信することとを備える、
Ｃ８８に記載の方法。
［Ｃ１０２］
前記数のアンテナポートの各々が、前記基地局における単一の無線周波数（ＲＦ）チェーンに関連付けられる、Ｃ８８に記載の方法。
［Ｃ１０３］
前記信号が、セルのセル識別子に少なくとも部分的に基づく第１のシーケンスの複数の繰り返しを備える再同期信号を備える、Ｃ８８に記載の方法。
［Ｃ１０４］
前記信号が、ページングオケージョンより前に送信されるウェークアップ信号を備える、Ｃ８８に記載の方法。
【国際調査報告】
2021511760.tif 000046
2021511760.tif 000047
2021511760.tif 000048
2021511760.tif 000049
2021511760.tif 000050